(57)【要約】  椅子（２０１０）が、支持フレーム（２０１１）、座部（２０１３）、背もたれ部（２０１５）及びリクライニング機構体を有する。リクライニング機構体は、背もたれ部（２０１５）のリクライニング動作時に座部（２０１３）を動かす。リクライニング機構体は、座部と支持フレームを作動的に連結する後側の変形可能な部材（２３５１）と前側の変形可能な部材（２３５３）を有する。リクライニング機構体は、背もたれ部の下方部分と支持フレームを作動的に連結する下側の変形可能な部材及び下側変形可能部材の上方に設けられた引き部材（２３６１）を有する。リクライニング機構体は、背もたれ部（２０１５）をリクライニングさせると、下側変形可能部材が変形すると共に引き部材（２３６１）が後方引張り作用を及ぼし、このような後方引張り作用により座部（２０１３）が動くと共に前側及び後側変形可能部材が変形するように構成されている。
2010505507.tif 000002
【特許請求の範囲】
【請求項１】
椅子であって、支持フレームと、着座する人を支持する座部と、着座した人の背中を支持する背もたれ部と、前記背もたれ部のリクライニング動作時に前記座部を動かすよう構成されたリクライニング機構体とを有し、前記リクライニング機構体は、前記座部の比較的後方の部分と前記支持フレームを作動的に連結する後側の変形可能な部材と、前記座部の比較的前方の部分と前記支持フレームを作動的に連結する前側の変形可能な部材と、前記背もたれ部の下方部分と前記支持フレームを作動的に連結する下側の変形可能な部材と、前記下側変形可能部材の上方に設けられた引き部材とを有し、前記リクライニング機構体は、前記椅子の前記背もたれ部をリクラインニングさせると、前記下側変形可能部材が変形すると共に前記引き部材が後方引張り作用を及ぼし、該後方引張り作用により前記座部が動くと共に前記前側及び前記後側変形可能部材が変形するように構成されている、椅子。
【請求項２】
前記引張り作用により、前記座部は、持ち上がると共に後方に動く、請求項１記載の椅子。
【請求項３】
前記引張り作用により、前記座部は、前記座部が持ち上がると共に後方に動くにつれて後方傾斜角が増大する、請求項２記載の椅子。
【請求項４】
前記引き部材も又、変形可能である、請求項１〜３のいずれか１項に記載の椅子。
【請求項５】
前記前側変形可能部材、前記後側変形可能部材、前記引き部材、及び前記下側変形可能部材の１つ又は２つ以上は、前記椅子の前方方向に対して横方向に延びている、請求項１〜４のうちいずれ一に記載の椅子。
【請求項６】
前記引き部材及び前記下側変形可能部材は、前記椅子の前方方向に対して横方向に延びている、請求項１〜５のいずれか１項に記載の椅子。
【請求項７】
前記前側変形可能部材、前記後側変形可能部材、前記引き部材、及び前記下側変形可能部材の１つ又は２つ以上は、エラストマー材料で作られている、請求項１〜６のいずれか１項に記載の椅子。
【請求項８】
前記エラストマー部材は、熱可塑性ポリエステルエラストマーである、請求項７記載の椅子。
【請求項９】
前記前側及び前記後側変形可能部材は、弛緩状態では実質的に平坦である、請求項１〜８のいずれか１項に記載の椅子。
【請求項１０】
前記背もたれ部がリクライニングされていないとき、前記座部上の前記着座した人の重量を前記支持フレームを介して支持するために１つ又は２つ以上の停止部が設けられている、請求項１〜９のいずれか１項に記載の椅子。
【請求項１１】
前記変形可能部材の少なくとも２つは、一体成形構造体を形成している、請求項１〜１０のいずれか１項に記載の椅子。
【請求項１２】
前記前側変形可能部材、前記後側変形可能部材、及び前記下側変形可能部材は、一体成形構造体を形成している、請求項１１記載の椅子。
【請求項１３】
前記一体成形構造体は、前記椅子の主トランサム上に複合成形されている、請求項１２記載の椅子。
【請求項１４】
前記座部は、座部支持体によって支持され、前記座部は、前記支持フレームに対して前方の方向と後方の方向に選択的に動くことができる、請求項１〜１３のいずれか１項に記載の椅子。
【請求項１５】
前記前方及び前記後方変形部材の各々の上方端部は、前記座部支持体に連結されている、請求項１４記載の椅子。
【請求項１６】
前記リクライニング機構体は、中間支持体を有し、前記座部は、着座する人が前記座部に着座すると変形するよう構成された少なくとも１つの弾性部材によって前記中間支持体上に作動的に支持され、前記前方及び前記後方変形可能部材の各々の上方端部は、前記中間支持体に連結されている、請求項１〜１３のいずれか１項に記載の椅子。
【請求項１７】
前記引き部材の前方端部は、前記座部、前記座部支持体、前記中間支持体、又は前記後方変形可能部材の上方部分に作動的に連結されている、請求項１６記載の椅子。
【請求項１８】
前記リクライニング機構体は、前記座部の各側に又は各側寄りに位置決めされた２つの間隔をおいた前側変形可能部材を有する、請求項１〜１７のいずれか１項に記載の椅子。
【請求項１９】
前記リクライニング機構体は、前記座部の各側にところに又は各側寄りに位置決めされた２つの互いに間隔をおいた後側変形可能部材を有する、請求項１８記載の椅子。
【請求項２０】
前記リクライニング機構体は、前記座部上でユーザの重量を移動させるために前記背もたれ部のメカニカルアドバンテージを調整する選好制御装置を有する、請求項１〜１９のいずれか１項に記載の椅子。
【請求項２１】
前記引き部材は、前記選好制御装置に連結されている、請求項２０記載の椅子。
【請求項２２】
椅子であって、支持フレームと、着座する人を支持する座部と、前記座部上における通常の前方に向いた着座位置に居るときの着座した人の背中を支持する背もたれ部と、リクライニング機構体とを有し、前記リクライニング機構体は、中間支持体と、前記背もたれ部に作動的に連結されていて、前記背もたれ部のリクライニング動作時に前記中間支持体を前記支持フレームに対して動かすよう構成された少なくとも１つの部材と、前記座部を前記中間支持体の上方に作動的に支持する少なくとも１つの弾性支持体とを有し、前記弾性支持体は、着座する人が前記座部に着座すると、前記座部が前記中間支持体に向かって動くことができるよう変形し、それにより前記座部に着座している人の初期衝撃の少なくとも幾分かを吸収するよう構成されている、椅子。
【請求項２３】
前記リクライニング機構体は、前記座部を前記中間支持体の上方に作動的に支持する少なくとも２つの弾性支持体を有する、請求項２２記載の椅子。
【請求項２４】
前記弾性支持体は、前記座部の後側部分寄りに位置決めされた少なくとも１つの後側部材と、前記座部の前側部分寄りに位置決めされた前側部材とを有する、請求項２３記載の椅子。
【請求項２５】
前記後側部材は、好ましくは、撓みばね部材から成る、請求項２４記載の椅子。
【請求項２６】
前記弾性支持体は、着座する人が前記座部に着座すると、前記座部のより前側の部分が前記中間支持体よりも比較的一定の距離上方に位置したままの状態で、前記座部の前記後側部分が前記中間支持体に向かって動くよう構成されている、請求項２４又は２５記載の椅子。
【請求項２７】
前記弾性支持体は、着座者が前方にもたれることにより又は前記座部上で前方に動くことにより荷重を前記座部の前記前側部分に及ぼすと、前記座部が前記中間支持体に対して前方に傾くことができるよう構成されている、請求項２６記載の椅子。
【請求項２８】
前記弾性支持体は、エラストマー材料で作られている、請求項２２〜２７のいずれか１項に記載の椅子。
【請求項２９】
前記弾性支持体は、熱可塑性ポリエステルエラストマーで作られている、請求項２８記載の椅子。
【請求項３０】
前記座部は、座部深さ取付け具を備えた座部支持体によって支持され、前記座部深さ取付け具は、前記支持フレームに対する前記座部の深さを調整するよう前方の方向及び後方の方向における前記座部の選択的な運動を可能にする、請求項２２〜２９のいずれか１項に記載の椅子。
【請求項３１】
前記弾性支持体は、前記中間支持体と前記座部深さ取付け具との間に延びている、請求項３０記載の椅子。
【請求項３２】
前記座部支持体は、前記座部上の通常の中央の位置に居る着座した人を支持するのに十分な支持を可能にしながら着座した人が前記座部を少なくともいずれかの側に傾けることができるよう構成された複数個の弾性部材を有する、請求項３０又は３１記載の椅子。
【請求項３３】
前記弾性部材は、座部パンの一体部分である、請求項３２記載の椅子。
【請求項３４】
前記リクライニング機構体は、前記中間支持体と前記支持フレームとの間に位置する１つ又は２つ以上の変形可能な部材を有し、前記変形可能部材は、前記背もたれ部のリクライニング動作時に、前記座部を動かすよう変形するように構成されている、請求項２２〜３３のいずれか１項に記載の椅子。
【請求項３５】
前記リクライニング機構体は、前記背もたれ部のリクライニング動作時に、前記座部を持ち上げるよう構成されている、請求項３４記載の椅子。
【請求項３６】
前記座部は、前記背もたれ部をリクライニングさせると、持ち上がると共に後方に動く、請求項３５記載の椅子。
【請求項３７】
前記座部は、前記座部が持ち上がると共に後方に動くと、後方傾斜角が増大する、請求項３５又は３６記載の椅子。
【請求項３８】
前記弾性支持体は、着座する人が前記座部に着座すると、前記弾性支持体の初期変形及び荷重吸収に続き、前記座部が底に突き当たり、着座した人が前記座部から離れるまで、着座した人の荷重を受け止めるために前記中間支持体によって支持されるよう構成されている、請求項２２〜３７のいずれか１項に記載の椅子。
【請求項３９】
椅子用の高さ調整可能なアーム組立体であって、互いに間隔をおいた全体として互いに平行な第１の細長い壁と第２の細長い壁を備えた細長いスロットを有する支持体と、前記支持体から片持ちされていて、椅子に着座した人の腕を支持するひじ掛けとを有し、前記ひじ掛けは、前記支持体の近くに位置する端部及び前記支持体の遠くに位置する端部を有し、前記ひじ掛けは、その近位端部のところ又はその近位端部寄りに、少なくとも２つの支承機構体を備えた支持係合機構体を有し、前記支承機構体は、前記細長いスロットの延長方向に互いに間隔をおいて位置すると共に前記支持体の前記細長いスロット内に摺動可能に受け入れられ、前記支承機構体の一方は、第１の長手方向壁に接触し、前記支承機構体の他方は、前記支持体に対する前記ひじ掛けの摺動動作を可能にするよう第２の長手方向壁に接触し、前記ひじ掛けは、前記ひじ掛けを前記支持体に対する選択された位置にロックするロック機構体を更に有し、前記ロック機構体は、前記支持体に係合するロック部材及び前記ひじ掛けの前記遠位端部のところ又はこれに隣接して位置するアクチュエータを有し、前記支持体に対する前記ひじ掛けの高さは、前記アクチュエータを動かし、それにより前記ロック部材が前記支持体との係合状態から離脱し、それにより前記ロック部材と前記支持体との摺動運動を可能にすることにより調整可能である、高さ調整可能なアーム組立体。
【請求項４０】
各前記支承機構体は、前記第１の長手方向壁と前記第２の長手方向壁の両方に接触することができるが、各前記支承機構体は、１度に前記長手方向壁の一方にのみ接触することができる、請求項３９記載の高さ調整可能なアーム組立体。
【請求項４１】
前記支承機構体は、各々、ローラの形態をしており、前記ローラは各々、前記スロットの前記延長方向に対して実質的に横方向に延びるそれぞれの軸線回りに前記ひじ掛けに対して回転可能に設けられている、請求項３９又は４０記載の高さ調整可能なアーム組立体。
【請求項４２】
前記支承機構体は、各々、並置形態の一対のローラを有し、各前記対の一方の前記ローラは、前記長手方向壁の一方に接触し、各前記対の他方の前記ローラは、前記長手方向壁の他方に接触する、請求項３９記載の高さ調整可能なアーム組立体。
【請求項４３】
前記支持体は、椅子の背もたれ部の一部である、請求項３９〜４２のいずれか１項に記載の高さ調整可能なアーム組立体。
【請求項４４】
前記支持体は、前記背もたれ部を前記椅子の別の部分から指示する前記背もたれ部の一部に取り付けられている、請求項４３記載の高さ調整可能なアーム組立体。
【請求項４５】
前記アクチュエータは、前記ロック機構体を解除するよう上方に引き上げられるようになったレバーを有する、請求項３９〜４４のいずれか１項に記載の高さ調整可能なアーム組立体。
【請求項４６】
前記ロック部材は、前記ひじ掛けの一部に連結され、前記ロック部材は、前記支持体に設けられていて、前記スロットの前記延長方向に互いに間隔をおいて位置する複数個のロック特徴部の１つに選択的に係合するようになっている、請求項３９〜４５のいずれか１項に記載の高さ調整可能なアーム組立体。
【請求項４７】
前記アクチュエータレバーは、前記ひじ掛けの一部に回動可能に連結されると共に連結部品によって前記ロック部材に連結されており、前記アクチュエータレバーの回動運動により、前記ロック部材の摺動運動が生じるようになっている、請求項４６記載の高さ調整可能なアーム組立体。
【請求項４８】
椅子であって、支持フレームと、着座した人を支持する座部と、前記椅子の通常の前方に向いた位置に居るときの前記着座した人の背中を支持する凹状の曲率を少なくとも一部に備えた背もたれ部と、前記座部の各側の上方に且つ各側部のところ又は各側部寄りに位置する一対のひじ掛けとを有し、各前記ひじ掛けは、クッション付きであって、前記背もたれ部の前記一部の全体的連続部を形成する内面を有し、前記ひじ掛けと前記座部との間には、着座する人が自分の脚が一方の前記ひじ掛けの下に延び、前記脚部の裏側の一部が他方の前記ひじ掛けの前記クッション付き内面によって支持された状態で前記座部に側方から着座することができるのに十分な隙間が形成されている、椅子。
【請求項４９】
前記各ひじ掛けの前記内面全体は、クッション付きである、請求項４８記載の椅子。
【請求項５０】
各前記ひじ掛けの前記内面は、湾曲している、請求項４８又は４９記載の椅子。
【請求項５１】
各前記ひじ掛けの前記内面は、少なくとも着座する人が前記椅子に側方から着座して前記背もたれ部に寄り掛かっているとき、前記背もたれ部の前記一部の前記凹状曲率の全体的連続部を形成している、請求項５０記載の椅子。
【請求項５２】
前記ひじ掛けは、前記座部に対して高さ調整可能であり、前記ひじ掛けの少なくとも１つの高さ調整済み位置では、前記ひじ掛けと前記座部との間には、着座する人が自分の脚が一方の前記ひじ掛けの下に延びた状態で前記座部に側方から着座することができるのに十分な隙間が形成されている、請求項４８〜５１のいずれか１項に記載の椅子。
【請求項５３】
前記ひじ掛けは、前記背もたれ部に組み込まれている、請求項４８〜５２のいずれか１項に記載の椅子。
【請求項５４】
前記ひじ掛けは、前記背もたれ部を前記椅子の別の部分から支持する前記背もたれ部の一部に取り付けられている、請求項５３記載の椅子。
【請求項５５】
前記ひじ掛けは、前記背もたれ部から前方に片持ちされている、請求項５３又は５４記載の椅子。
【請求項５６】
前記椅子に通常の前方の向きで着座したときに着座した人の背中の腰部領域に対して追加の支持を行う腰部支持体を更に有し、前記腰部支持体は、着座した人の背中の下方部分の２つの側部について実質的に独立した支持体となる２つの互いに間隔をおいた着座者支持部分を有する、請求項４４〜５５のいずれか１項に記載の椅子。
【請求項５７】
椅子用の背もたれ部であって、背もたれフレームを有し、前記背もたれフレームは、着座した大人の背中の下方領域の少なくとも大部分を横切って延びるようになった下方部分と、前記下方部分から垂直方向に間隔をおいて設けられていて、着座した人の背中の上方領域の少なくとも大部分を横切って延びるようになった上方部分と、前記上方部分と前記下方部分との間の相対的に幅の狭い相互連結領域とを有し、前記相対的に幅の狭い相互連結領域は、前記下方部分に対する前記上方部分の後方の方向における撓み運動を可能にするほど弾性的に撓むことができ、前記背もたれ部は、着座した人の背中のための支持面を提供するよう前記背もたれフレームに作動的に連結されたカバーを更に有する、椅子用背もたれ部。
【請求項５８】
前記相補連結領域は、更に、前記背もたれフレームの前記上方部分が前記背もたれフレームの前記下方部分に対してねじれることができるようにするためにねじり作用によりねじれるよう構成されている、請求項５７記載の椅子用背もたれ部。
【請求項５９】
前記相対的に幅の狭い相互連結領域は、単一の部材から成る、請求項５７又は５８記載の椅子用背もたれ部。
【請求項６０】
前記上方部分の少なくとも下方部及び前記下方部分の少なくとも上方部は、弾性的に撓むことができる、請求項５７〜５９のいずれか１項に記載の椅子用背もたれ部。
【請求項６１】
前記背もたれ部は、前記背もたれ部を前記椅子の別の部分から支持するよう前記下方部分から延びる少なくとも１つの支持部材を有する、請求項５７〜６０のいずれか１項に記載の椅子用背もたれ部。
【請求項６２】
前記支持部材は、前記背もたれ部の底縁部のところ又はこれに隣接した位置から延びている、請求項６１記載の椅子用背もたれ部。
【請求項６３】
前記背もたれフレームの前記上方部分は、横方向に延びる頂部材と、前記相対的に幅の狭い相互連結領域に連結された横方向に延びる底部材と、前記頂部材と前記底部材を互いに連結する少なくとも２つの互いに間隔をおいた全体として垂直の部材とを有する、請求項５７〜６２のいずれか１項に記載の椅子用背もたれ部。
【請求項６４】
前記全体として垂直の部材は、前記横方向頂部材及び前記横方向底部材のそれぞれの端部のところ又はそれぞれの端部寄りに位置決めされている、請求項６３記載の椅子用背もたれ部。
【請求項６５】
前記頂部材は、前記背もたれ部の上方から見て全体として直線状であり、前記底部材は、前記背もたれ部の前側から見て全体として凹状である、請求項６３又は６４記載の椅子用背もたれ部。
【請求項６６】
前記背もたれフレームの前記下方部分は、横方向に延びる頂部材と、横方向に延びる底部材と、前記頂部材と前記底部材を互いに連結した少なくとも２つの互いに間隔をおいた部材とを有する、請求項６３〜６５のいずれか１項に記載の椅子用背もたれ部。
【請求項６７】
前記２つの互いに間隔をおいた部材は、前記横方向頂部材及び前記横方向底部材のそれぞれの端部を互いに連結している、請求項６６記載の椅子用背もたれ部。
【請求項６８】
少なくとも前記頂部材は、前から見て全体として凹状であり、前記頂部材及び前記間隔をおいた部材の外端部は、着座した大人の背中の下方部分の側部周りに延びている、請求項６６又は６７記載の椅子用背もたれ部。
【請求項６９】
前記背もたれ部は、前記背もたれ部の前記下方部分によって支持されたひじ掛けを備えるアーム組立体を有している、請求項５７〜６８のいずれか一に記載の椅子用背もたれ部。
【請求項７０】
アーム支持体が、前記背中部の下方領域から延びており、前記ひじ掛けは、前記アーム支持体に取り付けられている、請求項６９記載の椅子用背もたれ部。
【請求項７１】
前記背もたれ部は、前記背もたれフレームの前記下方領域に隣接した前記アーム支持体から片持ち状態で前方に延びており、前記ひじ掛けは、ユーザを支持すると、前記背もたれフレームの前記下方部分に位置が一致した前記カバーの部分の全体的連続部を形成する内面を備えている、請求項７０記載の椅子用背もたれ部。
【請求項７２】
各前記ひじ掛けの前記内面は、湾曲している、請求項７１記載の椅子用背もたれ部。
【請求項７３】
各前記ひじ掛けの前記内面は、少なくとも着座する人が前記椅子に側方から着座して前記背もたれ部に寄り掛かっているとき、前記カバーの前記凹状曲率の全体的連続部を形成している、請求項７２記載の椅子用背もたれ部。
【請求項７４】
前記ひじ掛けの前記内面は、クッション材を有する、請求項７１〜７３のいずれか１項に記載の椅子用背もたれ部。
【請求項７５】
前記ひじ掛けは、着座する人が使用にあたり、前記背もたれ部を備えた前記椅子に全体として側方から着座しているとき、着座する人の背中の下方部分の幅の少なくとも大部分を支持するよう前方の方向に十分長い、請求項７１又は７４記載の椅子用背もたれ部。
【請求項７６】
前記ひじ掛けの下には、使用にあたり、前記背もたれ部を備えた前記椅子に全体として側方から着座しているとき、前記ひじ掛けの下に納まることができるのに十分な間隔が設けられている、請求項７１〜７５のいずれか１項に記載の椅子用背もたれ部。
【請求項７７】
前記ひじ掛けは、前記背もたれフレームに対して高さ調整可能であり、前記ひじ掛けの高さ調整済み位置の少なくとも１つでは、前記ひじ掛けの下には、使用にあたり、前記背もたれ部を備えた前記椅子に全体として側方から着座しているとき、着座する人の脚が前記の背もたれの下に納まることができるのに十分な間隔が設けられている、請求項７６記載の椅子用背もたれ部。
【請求項７８】
前記カバーは、弾性材料から成る、請求項５５〜７７のいずれか１項に記載の椅子用背もたれ部。
【請求項７９】
前記カバーは、成形ポリマー材料から成る、請求項７８記載の椅子用背もたれ部。
【請求項８０】
前記カバーは、前記カバーを前記背もたれフレームに連結する一体成形取付け特徴部を有する、請求項７９記載の椅子用背もたれ部。
【請求項８１】
前記カバーは、エラストマー材料から成る、請求項７９又は８０記載の椅子用背もたれ部。
【請求項８２】
前記カバーは、熱可塑性ポリエステルエラストマーから成る、請求項８１記載の椅子用背もたれ部。
【請求項８３】
前記カバーは、前記カバーの通気性を促進するようメッシュとして形成されている、請求項７９〜８２のいずれか１項に記載の椅子用背もたれ部。
【請求項８４】
前記椅子に通常の前方の向きで着座したときに着座した人の背中の腰部領域に対して追加の支持を行う腰部支持体を更に有し、前記腰部支持体は、着座した人の背中の下方部分の２つの側部について実質的に独立した支持体となる２つの互いに間隔をおいた着座者支持部分を有する、請求項５７〜８３のいずれか１項に記載の椅子用背もたれ部。
【請求項８５】
椅子用背もたれ部であって、着座する大人の背中の下方領域の少なくとも大部分を横切って延びるようになった下方部分と、前記下方部分から垂直方向に間隔をおいて位置していて、着座する大人の背中の上方領域の少なくとも大部分を横切って延びるようになった上方部分と、前記上方部分と前記下方部分との間に位置する相対的に幅の狭い相互連結領域と、前記上方部分及び前記下方部分に作動的に連結されていて、着座した人の背中のための支持面を構成するカバーとを有し、前記カバーは、２つの凹み区分を有し、一方の前記凹み区分は、前記カバーの各側の中に延び、前記凹み区分は、使用にあたり、着座した人のひじのための隙間空間を提供するよう全体として垂直位置が前記相対的に幅の狭い相互連結領域に一致している、椅子用背もたれ部。
【請求項８６】
前記背もたれ部は、ひじ掛けを有する、請求項８５記載の椅子用背もたれ部。
【請求項８７】
前記ひじ掛けは、前記背もたれ部の下方領域から支持されると共に各前記ひじ掛けの上面の位置が前記カバーのそれぞれ対応した凹部の下縁部の位置に実質的に一致している、請求項８６記載の椅子用背もたれ部。
【請求項８８】
前記ひじ掛けは、前記背もたれフレームに対して高さ調整可能であり、前記ひじ掛けの高さ調整済み位置の少なくとも１つでは、各前記ひじ掛けの前記上面は、それぞれ対応の凹部の下縁部に位置が実質的に一致している、請求項８７記載の椅子用背もたれ部。
【請求項８９】
前記背もたれ部は、背もたれフレームを有し、前記カバーは、前記背もたれフレームの前面に作動的に連結されると共にこの前面を覆って延びている、請求項８５〜８８のいずれか１項に記載の椅子用背もたれ部。
【請求項９０】
前記カバーは、ユーザのひじのための応従性のある接触面を提供するよう前記凹み区分内では実質的に無支持状態にある、請求項８５〜８９のいずれか１項に記載の椅子用背もたれ部。
【請求項９１】
前記カバーは、各前記凹み部分から後方且つ内方に延びる区分を有する、請求項８５〜９０のいずれか１項に記載の椅子用背もたれ部。
【請求項９２】
後方且つ内方に延びる前記区分は、前記背もたれ部の前記相対的に幅の狭い相互連結領域に連結されている、請求項９１記載の椅子用背もたれ部。
【請求項９３】
前記椅子に通常の前方の向きで着座したときに着座した人の背中の腰部領域に対して追加の支持を行う腰部支持体を更に有し、前記腰部支持体は、着座した人の背中の下方部分の２つの側部について実質的に独立した支持体となる２つの互いに間隔をおいた着座者支持部分を有する、請求項８５〜９２のいずれか１項に記載の椅子用背もたれ部。
【請求項９４】
椅子用背もたれ部であって、着座する大人の背中の下方領域の少なくとも大部分を横切って延びるようになった下方部分と、着座する大人の背中の上方領域の少なくとも大部分を横切って延びると共にこれを支持するようになった上方部分とを有し、前記上方部分は、前記背もたれ部の垂直方向全高を減少させるよう前記上方部分の残部に対して選択的に後方に折れ曲がるようになった上方区分を有する、椅子用背もたれ部。
【請求項９５】
前記上方区分は、後方に折り曲げられた場合及び着座する人が前記椅子に側方から着座しているときに着座した人の腕を載せるためのプラットホームとなる、請求項９４記載の椅子用背もたれ部。
【請求項９６】
前記上方区分は、後方への力が前記上方区分に加えられると、後方に折り曲げられるよう構成されている、請求項９４又は９５記載の椅子用背もたれ部。
【請求項９７】
前記上方区分は、その後面から前記上方部分内に延びる複数個のスロットによって画定されている、請求項９４〜９６のいずれか１項に記載の椅子用背もたれ部。
【請求項９８】
前記上方部分は、前記複数個のスロットを備えたエラストマーブロックから成る、請求項９７記載の椅子用背もたれ部。
【請求項９９】
前記上方部分は、前記上方区分の運動の前方限度及び後方限度を定める制限機構体を備えている、請求項９４〜９８のいずれか１項に記載の椅子用背もたれ部。
【請求項１００】
前記制限機構体は、前記上方部分の前記上方区分及び前記残部の一方に連結された弾性ストラップを有し、前記弾性ストラップは、前記上方部分の前記残部及び前記上方区分の他方に作動的に摺動可能に係合する、請求項９９記載の椅子用背もたれ部。
【請求項１０１】
前記ストラップは、前記上方区分の運動の前方限度及び後方限度を定める部材を有する、請求項１００記載の椅子用背もたれ部。
【請求項１０２】
前記部材は、前記ストラップに対して固定されると共に凹部に摺動可能に受け入れられるブロックから成り、前記ブロックと前記凹部の壁との係合により、前記上方区分の運動の前記後方限度が定められ、前記ブロックと前記凹部の別の壁との係合により、前記上方区分の運動の前記前方限度が定められる、請求項１０１記載の椅子用背もたれ部。
【請求項１０３】
前記背もたれ部は、背もたれフレーム及び着座した人のための支持面となる作動的に連結された弾性的に撓むことができるカバーを有する、請求項９４〜１０２のいずれか１項に記載の椅子用背もたれ部。
【請求項１０４】
前記背もたれフレームは、前記上方部分と前記下方部分との間に位置する比較的に幅の狭い相互連結領域を有する、請求項１０３記載の椅子用背もたれ部。
【請求項１０５】
前記カバーは、ポリマー材料から成る、請求項１０３又は１０４記載の椅子用背もたれ部。
【請求項１０６】
前記ポリマー材料は、エラストマー材料である、請求項１０５記載の椅子用背もたれ部。
【請求項１０７】
前記ポリマー材料は、熱可塑性ポリエステルエラストマーである、請求項１０６記載の椅子用背もたれ部。
【請求項１０８】
前記椅子に通常の前方の向きで着座したときに着座した人の背中の腰部領域に対して追加の支持を行う腰部支持体を更に有し、前記腰部支持体は、着座した人の背中の下方部分の２つの側部について実質的に独立した支持体となる２つの互いに間隔をおいた着座者支持部分を有する、請求項９４〜１０７のいずれか１項に記載の椅子用背もたれ部。
【請求項１０９】
椅子の一部を形成する支持体を組み立てる方法であって、フレームを用意するステップと、複数の部材を備えたメッシュを有し、前記フレームの対応の寸法よりも小さい成形されたばかりの寸法を有する成形ポリマーカバーを用意するステップと、前記カバーを引き伸ばして前記フレームの前記対応の寸法よりも大きな引き伸ばし寸法を有するようにするステップと、前記カバーを弛緩させて前記成形されたばかりの寸法と前記引き伸ばし寸法との間の弛緩後寸法を有するようにするステップと、前記カバーを前記フレームから支持するステップとを有する、方法。
【請求項１１０】
前記カバーは、複数の全体として横方向に延びる細長い部材と、複数の全体として長手方向に延びる細長い部材とを有する、請求項１０９記載の方法。
【請求項１１１】
前記全体として横方向に延びる細長い部材は、前記全体として長手方向に延びる細長い部材とは異なっている、請求項１１０記載の方法。
【請求項１１２】
前記全体として横方向に延びる細長い部材は、前記全体として長手方向に延びる細長い部材よりも薄い、請求項１１１記載の方法。
【請求項１１３】
前記寸法は、横方向寸法であり、前記方法は、前記カバーを引き伸ばして弛緩させると、前記全体的に横方向に延びる細長い部材を引き伸ばし、次に弛緩させるような方法である、請求項１１０〜１１２のいずれか１項に記載の方法。
【請求項１１４】
前記寸法は、長手方向寸法であり、前記方法は、前記カバーを引き伸ばして弛緩させると、前記全体的に長手方向に延びる細長い部材を引き伸ばし、次に弛緩させるような方法である、請求項１１０〜１１３のいずれか１項に記載の方法。
【請求項１１５】
前記カバーの前記引き伸ばし寸法は、前記成形されたばかりの寸法の約１．４〜２．９倍である、請求項１０９〜１１４のいずれか１項に記載の方法。
【請求項１１６】
前記引き伸ばし寸法は、前記成形されたばかりの寸法の約２．１５倍である、請求項１１５記載の方法。
【請求項１１７】
引き伸ばし方向に差し向けられた前記細長い部材の各前記ストランドは、その成形されたばかりの長さの約３〜約１０倍まで引き伸ばされる、請求項１０９〜１１６のいずれか１項に記載の方法。
【請求項１１８】
各前記ストランドは、その成形されたばかりの長さの約３〜約８倍まで引き伸ばされる、請求項１１７記載の方法。
【請求項１１９】
前記カバーの前記弛緩後寸法は、前記カバーの前記成形されたばかりの寸法の約１．１〜約１．７５倍である、請求項１０９〜１１８のいずれか１項に記載の方法。
【請求項１２０】
前記カバーの前記弛緩後寸法は、元の寸法の約１．２倍である、請求項１１０記載の方法。
【請求項１２１】
引き伸ばし方向に差し向けられた前記細長い部材の各前記ストランドの前記弛緩後長さは、その元の長さの約１．５〜約４．５倍である、請求項１０９〜１２０のいずれか１項に記載の方法。
【請求項１２２】
引き伸ばし方向に差し向けられた前記細長い部材の各前記ストランドの前記弛緩後長さは、その元の長さの約２．１倍である、請求項１２１記載の方法。
【請求項１２３】
前記弛緩ステップと前記支持ステップは、同時に起こる、請求項１０９〜１２２のいずれか１項に記載の方法。
【請求項１２４】
前記カバーは、前記カバーを弛緩させた後、前記フレームに連結される、請求項１０９〜１２２のいずれか１項に記載の方法。
【請求項１２５】
前記カバーの弛緩に続き、前記カバーは、少量引き伸ばされ、次に前記フレームから支持される、請求項１２４記載の方法。
【請求項１２６】
前記カバーは、成形ステップの一部として前記カバーと一体成形された取付け特徴部によって前記フレームに直接連結される、請求項１０９〜１２５のいずれか１項に記載の方法。
【請求項１２７】
前記ポリマー材料は、エラストマー材料である、請求項１０９〜１２６のいずれか１項に記載の方法。
【請求項１２８】
前記ポリマー材料は、熱可塑性ポリエステルエラストマーである、請求項１２７記載の方法。
【請求項１２９】
成形ステップの一部として、表面テキスチャが成形により前記カバーに施される、請求項１０９〜１２８のいずれか１項に記載の方法。
【請求項１３０】
前記方法は、前記カバーの互いに異なる部分を互いに異なる量引き伸ばして前記カバーに様々な特性を生じさせるステップを有する、請求項１０９〜１２９のいずれか１項に記載の方法。
【請求項１３１】
前記フレームは、側方部材、上方部材、及び下方部材を有し、前記側方部材、前記上方部材、及び前記下方部材は、前記カバーが前記フレームで支持されると、前記カバーによって覆われる１つ又は２つ以上の開口部を画定する、請求項１０９〜１３０のいずれか１項に記載の方法。
【請求項１３２】
前記支持体は、椅子の背もたれ部である、請求項１０９〜１３１のいずれか１項に記載の方法。
【請求項１３３】
請求項１３２記載の方法を用いて組み立てられた場合の椅子用背もたれ部。
【請求項１３４】
前記支持体は、椅子の座部である、請求項１０９〜１３１のいずれか１項に記載の方法。
【請求項１３５】
請求項１３４記載の方法を用いて組み立てられた場合の椅子用の座部。
【請求項１３６】
椅子であって、支持フレームと、背もたれ部と、中央ゾーンを備えた座部と、前記座部を前記支持フレームで作動的に支持する座部支持体とを有し、前記座部支持体は、全体として前記座部の前記中央ゾーンの側部のそれぞれに沿って設けられていて、着座した人の重量が前記中央ゾーンの中心に位置すると、着座した人を支持するよう構成されているが、着座した人の重量が前記座部の前記中央ゾーンの側部寄りにオフセットしている場合、前記側部に対する前記座部の角度変化を可能にする弾性支持部材を有する、椅子。
【請求項１３７】
前記弾性支持部材は、前記中央ゾーンの各側に沿って設けられた複数の弾性支持部材から成る、請求項１３６記載の椅子。
【請求項１３８】
前記座部支持体は、前記座部の後方部分を支持する少なくとも１つの弾性支持部材を更に有する、請求項１３７記載の椅子。
【請求項１３９】
前記座部支持体は、前記座部のより前方の部分を支持する少なくとも１つの弾性支持部材を更に有する、請求項１３７又は１３８記載の椅子。
【請求項１４０】
前記座部支持体は、スライダを有し、前記座部支持体は、前記座部の深さを前記支持フレームに対して選択的に調整できるよう前記支持フレームに対して選択的に摺動可能である、請求項１３９記載の椅子。
【請求項１４１】
少なくとも前記スライダ及び前記弾性部材は、単一の一体成形ポリマーコンポーネントの一部である、請求項１４０記載の椅子。
【請求項１４２】
前記座部支持体は、前記支持フレームによって支持された中間支持体によって作動的に支持され、前記座部支持体は、前記中間支持体に対して摺動可能である、請求項１３６〜１４１のいずれか１項に記載の椅子。
【請求項１４３】
前記座部支持体は、着座する人が前記座部に最初に着座すると変形するよう構成された少なくとも１つの弾性部材によって前記中間支持体の上方に作動的に支持されている、請求項１４２記載の椅子。
【請求項１４４】
前記中間支持体は、リクライニング機構体の一部をなし、前記リクライニング機構体は、前記中間支持体と前記支持フレームとの間に位置する少なくとも１つの部材を更に有し、前記背もたれ部は、前記リクライニング機構体に作動的に連結され、前記座部支持体は、前記中間支持体に作動的に連結され、前記リクライニング機構体は、前記背もたれ部のリクライニング動作時に、前記中間支持体を動かし、それにより前記座部支持体を動かすよう構成されている、請求項１４３記載の椅子。
【請求項１４５】
前記座部は、前記中央ゾーンの各側に１つずつ設けられた２つの側部ゾーンを有し、前記側部ゾーンは、着座する人が前記座部に側方から着座した場合、前記側部領域が着座した人の脚の重量を受けて変形することができるよう弾性的に撓むことができる、請求項１３６〜１４４のいずれか１項に記載の椅子。
【請求項１４６】
前記中央ゾーンは、前記座部の後方部分を構成し、前記座部は、前方部分を更に有し、前記前方部分は、着座する人が座部に前方から着座すると、前記前方部分が着座した人の脚の重量を受けて変形することができるよう弾性的に撓むことができる、請求項１４５記載の椅子。
【請求項１４７】
前記側部ゾーンは、実質的に前記座部の前縁部まで延びている、請求項１４５又は１４６記載の椅子。
【請求項１４８】
前記座部は、着座した人のための応従性支持体となるクッション構成体を更に有し、前記クッション構成体は、座部パン又は座部パネル上に載っている、請求項１３６〜１４７のいずれか１項に記載の椅子。
【請求項１４９】
前記椅子に通常の前方の向きで着座したときに着座した人の背中の腰部領域に対して追加の支持を行う腰部支持体を更に有し、前記腰部支持体は、着座した人の背中の下方部分の２つの側部について実質的に独立した支持体となる２つの互いに間隔をおいた着座者支持部分を有する、請求項１３６〜１４８のいずれか１項に記載の椅子。
【請求項１５０】
応従性支持面を提供するクッション構成体であって、実質的に独立した応従性支持体となるようになった複数個の成形ばねコンポーネントを備えたばね構造体を有し、前記成形ばねコンポーネントの少なくとも大部分は、各々、プラットホームによって互いに連結された複数の区分を有し、前記区分は、前記クッション構成体に加えられた重量を受けて互いに入れ子状に縮むことができるようになっており、前記クッション構成体は、前記ばね構造体の前記成形ばねコンポーネントの少なくとも一方の側部を覆うようになったカバーを更に有する、クッション構成体。
【請求項１５１】
前記大部分のばねコンポーネント中のばねの各々内で、前記区分は、前記カバーに向かって次第に大きくなり、前記カバーから遠ざかって次第に小さくなる、請求項１５０記載のクッション構成体。
【請求項１５２】
前記カバーは、前記ばね構造体の周りに延びて前記ばね構造体の別の側部に位置が一致した内方に向けられた周辺領域で終端し、前記カバーは、前記カバーの前記周辺領域を支持基材の周りに引っ張り、それにより前記支持基材を前記周辺領域と前記ばね構造体との間で少なくとも部分的にサンドイッチすることにより前記支持基材への取付けが可能である、請求項１５０又は１５１記載のクッション構成体。
【請求項１５３】
前記カバーの前記周辺領域を前記基材の周りに引っ張って前記基材を前記周辺領域と前記ばね構造体との間にサンドイッチする操作に続き、前記カバーを前記基材に締結して前記取付けを完了することができるように構成されている、請求項１５２記載のクッション構成体。
【請求項１５４】
前記カバーは、注入圧縮成形されている、請求項１５０〜１５３のいずれか１項に記載のクッション構成体。
【請求項１５５】
前記カバーは、エラストマー材料で作られている、請求項１５０〜１５４のいずれか１項に記載のクッション構成体。
【請求項１５６】
前記ばね構造体は、エラストマー材料で作られている、請求項１５０〜１５５のいずれか１項に記載のクッション構成体。
【請求項１５７】
表面テキスチャが成形により前記カバーに施されている、請求項１５０〜１５６のいずれか１項に記載のクッション構成体。
【請求項１５８】
前記カバーは、前記ばね構造体と一体成形されている、請求項１５０〜１５７のいずれか１項に記載のクッション構成体。
【請求項１５９】
基材と、前記基材の表面に取り付けられてこれを実質的に覆う請求項１５０〜１５８のいずれか１項に記載のクッション構成体とを有する椅子用支持面。
【請求項１６０】
前記支持面は、椅子用の座部であり、前記座部は、座部パネル又はパンを有し、前記クッション構成体は、前記座部パネル又はパンの上面に取り付けられてこれを実質的に覆っている、請求項１５０記載の椅子用支持面。
【請求項１６１】
前記座部パネル又はパンは、弾性である、請求項１６０記載の椅子用支持面。
【請求項１６２】
前記支持面は、椅子用のアーム組立体であり、前記アーム組立体は、アーム支持体を備えたひじ掛けを有し、前記クッション構成体は、前記アーム支持体の少なくとも上面に取り付けられてこれを実質的に覆っている、請求項１５９記載の椅子用支持面。
【請求項１６３】
前記クッション構成体は、使用にあたり、着座した人に向くようになった前記アーム支持体の内面を更に覆っている、請求項１６２記載の椅子用支持面。
【請求項１６４】
椅子であって、支持フレームと、背もたれ部と、前記支持フレームで作動的に支持されていて、中央ゾーン及び周辺縁部領域を備えた座部とを有し、前記周辺縁部領域は、弾性的に撓むことができ、前記周辺縁部領域は、前記周辺縁部領域が着材下人の脚部重量を受けて変形することができるよう実質的に支持されておらず、前記椅子は、前記周辺縁部領域の下に作動的に設けられていて、前記周辺縁部領域が着座した人の脚の重量を受けて変形すると、前記周辺縁部領域と一緒に動き、着座した人が前記座部の前記周辺縁部領域の下の達することにより到達可能なアクチュエータを更に有し、前記アクチュエータは、前記椅子を再構成することができる機構体に作動的に連結されている、椅子。
【請求項１６５】
前記撓むことができる周辺縁部領域は、前記座部の前方縁部であり、前記椅子は、前記背もたれ部を後方にリクライニングさせると前記座部の前記中央ゾーンの高さを高くし、その結果、前記椅子をリクライニングさせると、着座した人の脚の重量を受けて前記座部の前記前方縁部の下向きの変形が生じるようにするリクライニング機構体を有する、請求項１６４記載の椅子。
【請求項１６６】
１つ又は２つ以上の前記アクチュエータが、前記前方縁部の下に設けられている、請求項１６５記載の椅子。
【請求項１６７】
前記座部は、前記中央ゾーンの各側に１つずつ設けられた２つの側部ゾーンを有し、前記側部ゾーンは、着座する人が前記座部に側方から着座した場合、前記側部領域が着座した人の脚の重量を受けて変形することができるよう弾性的に撓むことができる、請求項１６４〜１６６のいずれか１項に記載の椅子。
【請求項１６８】
１つ又は２つ以上の前記アクチュエータが、各側縁部の下に設けられている、請求項１６７記載の椅子。
【請求項１６９】
前記アクチュエータは、前記座部の前記周辺縁部領域の下面に関節連結されたレバーを有する、請求項１６４〜１６８のいずれか１項に記載の椅子。
【請求項１７０】
前記レバーは、前記機構体を作動させるのに前記座部への上方引き寄せを必要とする、請求項１６９記載の椅子。
【請求項１７１】
前記アクチュエータレバーは、着座する人の複数本の指を受け入れるような寸法形状のパドル面を有する、請求項１６９又は１７０記載の椅子。
【請求項１７２】
前記椅子を再構成することができる複数の機構体を有し、別個のアクチュエータが、前記機構体の各々について設けられている、請求項１６４〜１７１のいずれか１項に記載の椅子。
【請求項１７３】
前記アクチュエータは、可撓性リンク装置によってそれぞれ対応した前記機構体に作動的に連結されている、請求項１６４〜１７２のいずれか１項に記載の椅子。
【請求項１７４】
前記椅子は、オフィス仕事用椅子である、請求項１６４〜１７３のいずれか１項に記載の椅子。
【請求項１７５】
椅子であって、支持フレームを有し、前記支持フレームは、前記支持フレームのための高さ調整可能な支持体となる高さ調整ペデスタルの上端部に取付け可能な取付け区分を有し、前記椅子は、前記支持フレームで作動的に支持された座部と、前記高さ調整ペデスタルを作動させる作動機構体とを更に有し、前記作動機構体は、前記支持フレームに関節連結されていて、前記高さ調整ペデスタルに取り付けられると、前記高さ調整ペデスタルの上端部に係合するよう前記取付け区分に向かって付勢される第１のレバーと、前記第１のレバーに関節連結されていて、前記高さ調整ペデスタルの高さ調整を可能にするよう前記高さ調整ペデスタルに設けられた解除ボタンに選択的に係合するようになった部分を有する第２のレバーと、着座した人によって使用可能に位置決めされたアクチュエータと、前記アクチュエータを前記第２のレバーに作動的に連結する可撓性リンク装置とを更に有し、前記支持フレームの前記取付け区分が前記高さ調整ペデスタルの上端部に取り付けられると、着座した人による前記アクチュエータの作動により、前記第２のレバーの前記部分は、前記高さ調整ペデスタルに設けられた解除ボタンに係合するようになり、それにより前記支持フレームの高さを調整できる、椅子。
【請求項１７６】
前記第１のレバーは、第１のピボット連結部によって前記支持フレームに関節連結され、前記第２のレバーは、前記第１のピボット連結部から見て前記取付け区分寄りに位置決めされた第２のピボット連結部によって前記第１のレバーに関節連結されている、請求項１７５記載の椅子。
【請求項１７７】
前記第１のレバーは、少なくとも１つのばねによって付勢されている、請求項１７５又は１７６記載の椅子。
【請求項１７８】
前記第２のレバーは、全体として前記第１のレバーに平行に位置決めされていて、前記部分を備えた第１の区分と、全体として前記第１の区分に対して横方向に延びる第２の区分とを有し、前記可撓性リンク装置は、前記支持フレームの前記高さを調節することができるようにするために、ケーブルが前記高さ調整ペデスタルボタンの下向き解除方向に対して全体として横方向に前記第２のレバーを引っ張るよう前記第２の区分に作動的に連結されている、請求項１７５〜１７７のいずれか１項に記載の椅子。
【請求項１７９】
前記アクチュエータは、前記支持フレームに対して動くよう構成された前記椅子の部分上に又は部分内に設けられている、請求項１７５〜１７８のいずれか１項に記載の椅子。
【請求項１８０】
前記アクチュエータは、前記椅子の一部に関節連結されたアクチュエータレバーである、請求項１７０記載の椅子。
【請求項１８１】
前記レバーは、前記椅子の前記座部の下面に関節連結されている、請求項１８０記載の椅子。
【請求項１８２】
前記レバーは、前記座部の前記下面に枢着され、前記レバーは、前記高さ調整ペデスタルを解除するには前記レバーを前記座部の前記下面に向かって引き上げなければ成らないように構成されている、請求項１８１記載の椅子。
【請求項１８３】
前記アクチュエータレバーは、着座する人の複数本の指を受け入れるような寸法形状のパドル面を有している、請求項１８０〜１８２のいずれか１項に記載の椅子。
【請求項１８４】
前記椅子は、オフィス仕事用椅子である、請求項１７５〜１８３のいずれか１項に記載の椅子。
【請求項１８５】
椅子であって、支持フレームと、着座する人を支持する座部と、着座した人の背中を支持する背もたれ部とを有し、前記背もたれ部は、全体として直立した位置と全体としてリクライニングされた位置との間で前記支持フレームに対してリクライニング可能であり、前記椅子は、前記背もたれ部と椅子コンポーネントとの間に作動的に係合した選好制御装置を更に有し、前記選好制御装置は、前記全体としてリクライニングされた位置に向かう前記背もたれ部の変位量が所与の場合、前記椅子コンポーネントの変位量を変化させるよう調整可能である、椅子。
【請求項１８６】
前記選好制御装置は、前記支持フレームに関節連結されると共に前記背もたれ部に関節連結されていて、前記椅子コンポーネントに作動的に連結された選好ブロックを有する、請求項１８５記載の椅子。
【請求項１８７】
前記選好ブロックは、前記椅子の支持フレームに枢着されると共に前記椅子の前記背もたれ部に枢着されている、請求項１８６記載の椅子。
【請求項１８８】
前記椅子の前記背もたれ部への前記選好ブロックの枢着を可能にする選好ピンを有する、請求項１８７記載の椅子。
【請求項１８９】
前記選好ブロック及び前記背もたれ部は、各々、前記選好ピンを挿通させる細長いスロットを有し、前記選好ピンは、前記全体としてリクライニングされた位置に向かう前記背もたれ部の変位量が所与の場合、前記椅子コンポーネントの変位量を変化させるよう前記選好ブロックに対して動くことができる、請求項１８８記載の椅子。
【請求項１９０】
前記椅子への前記選好ブロックの前記関節連結部は、前記支持フレームへの前記背もたれ部のリクライニング連結部から間隔をおいて位置し、前記選好制御部の角度変化は、リクライニング中、前記背もたれ部の角度変化とは異なるようになっている、請求項１８６〜１８９のいずれか１項に記載の椅子。
【請求項１９１】
前記椅子コンポーネントは、リクライニングばねであり、前記選好制御装置は、前記全体としてリクライニングされた位置に向かう前記背もたれ部の変位量が所与の場合、前記リクライニングばねの変位量を変化させるよう調整可能である、請求項１８５〜１９０のいずれか１項に記載の椅子。
【請求項１９２】
前記椅子コンポーネントは、前記座部であり、前記椅子は、前記背もたれ部のリクライニング動作時に、前記座部を上方に動かすよう構成されたリクライニング機構体を有し、前記選好制御装置は、前記リクライニング機構体に組み込まれている、請求項１８５〜１９０のいずれか１項に記載の椅子。
【請求項１９３】
前記リクライニング機構体は、前記背もたれ部のリクライニング動作時に、前記座部を持ち上げるよう構成されている、請求項１９２記載の椅子。
【請求項１９４】
前記座部は、前記背もたれ部のリクライニング動作時に、持ち上がると共に後方に動く、請求項１９３記載の椅子。
【請求項１９５】
前記座部は、前記座部が持ち上がると共に後方に動くと、後方傾斜角が増大する、請求項１９３又は１９４記載の椅子。
【請求項１９６】
前記リクライニング機構体は、前記背もたれ部のリクライニング動作時に、前記座部を後方に引っ張る引き具を有し、前記選好制御装置は、前記背もたれ部と前記引き具との間に設けられている、請求項１９２〜１９５のいずれか１項に記載の椅子。
【請求項１９７】
前記選好制御装置は、前記座部について最大のメカニカルアドバンテージ設定値及び最小のメカニカルアドバンテージ設定値を提供する、請求項１８５〜１９６のいずれか１項に記載の椅子。
【請求項１９８】
前記選好制御装置は、前記背もたれ部について少なくとも１つの中間メカニカルアドバンテージ設定値を提供する、請求項１９７記載の椅子。
【請求項１９９】
前記選好制御装置は、前記背もたれ部について少なくとも２つの中間メカニカルアドバンテージ設定値を提供する、請求項１９８記載の椅子。
【請求項２００】
ユーザが前記背もたれ部の所望のメカニカルアドバンテージを選択することができるようにする少なくとも１つのアクチュエータを有する、請求項１８５〜１９９のいずれか１項に記載の椅子。
【発明の詳細な説明】
【技術分野】
【０００１】
本発明は、概略的には、椅子及び関連コンポーネントに関する。本発明は、詳細には、オフィス用椅子に関するが、これには限定されない。
【背景技術】
【０００２】
従来、椅子は、ユーザの単一の「正確な」着座位置で、即ち、座部上の前方を真っ直ぐ向いた満足の行く支持感を提供するよう設計されている。この種の椅子では、ユーザが前方を真っ直ぐ向いた位置で満足の行く支持感を享受することができるが、別の位置では満足の行く支持感を享受できない。したがって、ユーザは、椅子がユーザに合うように調整を行うのではなく、椅子に合うように自分の位置を調整する必要がある。本出願人は、着座した人にとっての広範な支持位置を提供することがまずまず満足でき、それどころか有益であるという見解を有している。
【０００３】
さらに、リクライニング可能なオフィス用椅子は、従来、リクライニング動作を提供するのに多数の別々の相互作用部品を必要としている。このような椅子を処分する場合、その結果として、多量のスクラップ材料が生じる。
【発明の概要】
【発明が解決しようとする課題】
【０００４】
本発明の少なくとも好ましい実施形態の目的は、上述の欠点の少なくとも１つに取り組み又は少なくとも公衆に有用な選択肢を与える椅子を提供することにある。
【０００５】
本明細書において用いられる「〜を有する」という用語は、「少なくとも一部が〜から成る」を意味している。「〜を有する」という用語を含む本明細書中の各表現内容を理解する場合、この用語の前に位置する１つ又は複数の特徴以外の特徴も又、存在する場合がある。
【課題を解決するための手段】
【０００６】
本発明の第１の態様によれば、椅子であって、支持フレームと、着座する人を支持する座部と、着座した人の背中を支持する背もたれ部と、背もたれ部のリクライニング動作時に座部を動かすよう構成されたリクライニング機構体とを有し、リクライニング機構体は、座部の比較的後方の部分と支持フレームを作動的に連結する後側の変形可能な部材と、座部の比較的前方の部分と支持フレームを作動的に連結する前側の変形可能な部材と、背もたれ部の下方部分と支持フレームを作動的に連結する下側の変形可能な部材と、下側変形可能部材の上方に設けられた引き部材とを有し、リクライニング機構体は、椅子の背もたれ部をリクラインニングさせると、下側変形可能部材が変形すると共に引き部材が後方引張り作用を及ぼし、後方引張り作用により座部が動くと共に前側及び後側変形可能部材が変形するように構成されていることを特徴とする椅子が提供される。
【０００７】
広義には、本発明の第１の態様は、椅子に組み込まれる変形可能な部材を備えたリクライニング機構体を有する。
【０００８】
好ましくは、引張り作用により、座部は、持ち上がると共に後方に動く。好ましくは、引張り作用により、座部は、座部が持ち上がると共に後方に動くにつれて後方傾斜角が増大する。
【０００９】
引き部材も又、変形可能であるのが良い。
【００１０】
好ましくは、前側変形可能部材、後側変形可能部材、引き部材、及び下側変形可能部材の１つ又は２つ以上は、椅子の前方方向に対して横方向に延びる。好ましくは、引き部材及び下側変形可能部材は、椅子の前方方向に対して横方向に延びる。
【００１１】
前側変形可能部材、後側変形可能部材、引き部材、及び下側変形可能部材の１つ又は２つ以上は、エラストマー材料で作られている。前側変形可能部材、後側変形可能部材、引き部材及び下側変形可能部材の１つ又は２つ以上は、エラストマーパネルであるのが良い。この又は各エラストマーパネルは、実質的に支持フレームの主トランサムの幅全体にわたって延びるのが良い。エラストマー材料は、ゴム又はエラストマーポリマー、例えば熱可塑性ポリウレタンエラストマー（ＴＰＵ）又はナイロンエラストマーを含む場合がある。最も好ましくは、ポリマー材料は、HYTRELであり、これは、デュポン（Du Pont）社から入手できる熱可塑性ポリエステルエラストマーである。
【００１２】
前側変形可能部材及び後側変形可能部材は、固有の曲率を備えた状態にあらかじめ成形されるのが良い。例えば、弛緩状態では、前側及び後側変形可能部材は、波形形態を有するのが良い。着座する人が座部に着座したときにおける座部の前方運動又は着座した人が後ろにもたれることにより椅子の背もたれ部をリクライニングさせたときの座部の後方運動により、前側及び後側変形可能部材は、波形形態から当初、真っ直ぐになることができる。椅子は、背もたれ部のリクライニング動作に抵抗するよう１つ又は２つ以上のリクライニングばねを備えるのが良い。
【００１３】
変形例として、前側及び後側変形可能部材は、弛緩状態では実質的に平坦であっても良い。この形態が好ましいが、その理由は、椅子がリクライニングばねを必要としないからである。着座した人の体重は、変形可能な部材により提供される加重と一緒になって、背もたれ部のリクライニングに対抗するに十分な抵抗をもたらすことができる。前側及び（又は）及び後側変形可能部材は、１つ又は２つ以上の異形面を備えるのが良い。
【００１４】
好ましくは、背もたれ部がリクライニングされていないとき、座部上の着座した人の重量を支持フレームを介して支持するために１つ又は２つ以上の停止部が設けられる。したがって、前側及び後側可撓性部材は、背もたれ部がリクライニング動作を受けていないときには実質的に荷重がかからない。
【００１５】
変形可能部材の少なくとも２つは、一体成形構造体を形成するのが良い。一体構造体の一部は、上側変形可能部材及び下側変形可能部材の後側端部を相互に連結する部材を有するのが良い。好ましい形態では、前側変形可能部材、後側変形可能部材、及び下側変形可能部材は、一体成形構造体を形成している。一体成形構造体は、椅子の主トランサム上に複合成形されるのが良い。
【００１６】
下側変形可能部材及び引き具は、後側変形可能部材と一体成形された構造体を形成するのが良い。変形例として、下側変形可能部材、引き具、前側変形可能部材及び後側変形可能部材の全てが、一体成形構造体を形成しても良い。
【００１７】
座部は、座部支持体によって支持されるのが良く、座部は、支持フレームに対して前方の方向と後方の方向に選択的に動くことができる。前方及び後方変形部材の各々の上方端部は、座部支持体に連結されるのが良い。
【００１８】
リクライニング機構体は、中間支持体を有するのが良く、座部は、着座する人が座部に着座すると変形するよう構成された少なくとも１つの弾性部材によって中間支持体上に作動的に支持されるのが良く、前方及び後方変形可能部材の各々の上方端部は、中間支持体に連結されるのが良い。
【００１９】
引き部材の前方端部は、座部、座部支持体、中間支持体、又は後方変形可能部材の上方部分に作動的に連結されるのが良い。
【００２０】
リクライニング機構体は、好ましくは、座部の各側に又は各側寄りに位置決めされた２つの間隔をおいた前側変形可能部材を有する。リクライニング機構体は、好ましくは、座部の各側にところに又は各側寄りに位置決めされた２つの互いに間隔をおいた後側変形可能部材を更に有する。
【００２１】
好ましくは、リクライニング機構体は、座部上でユーザの重量を移動させるために背もたれ部のメカニカルアドバンテージを調整する選好制御装置を有する。引き部材は、好ましくは、選好制御装置に連結される。
【００２２】
本発明の第２の態様によれば、椅子であって、支持フレームと、着座する人を支持する座部と、座部上における通常の前方に向いた着座位置に居るときの着座した人の背中を支持する背もたれ部と、リクライニング機構体とを有し、リクライニング機構体は、中間支持体と、背もたれ部に作動的に連結されていて、背もたれ部のリクライニング動作時に中間支持体を支持フレームに対して動かすよう構成された少なくとも１つの部材と、座部を中間支持体の上方に作動的に支持する少なくとも１つの弾性支持体とを有し、弾性支持体は、着座する人が座部に着座すると、座部が中間支持体に向かって動くことができるよう変形し、それにより座部に着座している人の初期衝撃の少なくとも幾分かを吸収するよう構成されていることを特徴とする椅子が提供される。
【００２３】
広義には、本発明の第２の態様は、椅子に組み込まれる中間支持体を備えたリクライニング機構体を提供する。
【００２４】
リクライニング機構体は、好ましくは、座部を中間支持体の上方に作動的に支持する少なくとも２つの弾性支持体を有する。弾性支持体は、座部の後側部分寄りに位置決めされた少なくとも１つの後側部材と、座部の前側部分寄りに位置決めされた前側部材とを有するのが良い。後側部材は、好ましくは、撓みばね部材から成るのが良く、撓みばね部材は、ヒンジ部材の形態をしているのが良い。
【００２５】
好ましくは、弾性支持体は、着座する人が座部に着座すると、座部のより前側の部分が中間支持体よりも比較的一定の距離上方に位置したままの状態で、座部の後側部分が中間支持体に向かって動くよう構成される。したがって、前側支持体は、１つ又は２つ以上のヒンジを有するのが良い。
【００２６】
弾性支持体は、好ましくは、着座者が前方にもたれることにより又は座部上で前方に動くことにより荷重を座部の前側部分に及ぼすと、座部が中間支持体に対して前方に傾くことができるよう構成される。このことは、着座した人がもたれかかり又は前方に動いたときに荷重が着座している人の脚の裏側に加えるのを阻止し又は最小限に抑えるのに役立つ。
【００２７】
弾性支持体は、好ましくは、ポリマー材料、好ましくはエラストマー材料、例えばゴム、熱可塑性ポリウレタンエラストマー（ＴＰＵ）又はナイロンエラストマーで作られる。最も好ましくは、ポリマー材料は、HYTRELであり、これは、デュポン社から入手できる熱可塑性ポリエステルエラストマーである。変形例として、弾性支持体は、例えば金属材料で作られても良い。
【００２８】
座部は、好ましくは、座部深さ取付け具を備えた座部支持体によって支持され、座部深さ取付け具は、支持フレームに対する座部の深さを調整するよう前方の方向及び後方の方向における座部の選択的な運動を可能にする。弾性支持体は、好ましくは、中間支持体と座部深さ取付け具との間に延びる。
【００２９】
座部支持体は、好ましくは、座部上の通常の中央の位置に居る着座した人を支持するのに十分な支持を可能にしながら着座した人が座部を少なくともいずれかの側に傾けることができるよう構成された複数個の弾性部材を有する。座部支持体は、好ましくは、少なくとも２つの弾性側方部材を有する。好ましくは、座部支持体は、着座した人を座部上で通常の中央に座った位置で支持するのに十分な支持作用を提供しながら着座した人が座部を前方又は後方に傾けることができるよう構成された前方及び後方弾性部材を更に有している。弾性部材は、座部パンの一体部分であるのが良い。
【００３０】
リクライニング機構体は、中間支持体と支持フレームとの間に位置する１つ又は２つ以上の変形可能な部材を有するのが良く、変形可能部材は、背もたれ部のリクライニング動作時に、座部を動かすよう変形するように構成されている。
【００３１】
中間支持体、座部、前側又は後側及び（又は）変形可能部材は、背もたれ部のリクライニング時に中間支持体を動かすよう背もたれ部に作動的に連結されている。作動的連結は、例えば背もたれ部と他のコンポーネントの１つとの間に連結された引き部材によって行われるのが良い。
【００３２】
背もたれ部のリクライニング時に座部の任意形式の適当な運動をもたらす任意他の適当な形式のリクライニング機構体を用いることができる。
【００３３】
リクライニング機構体は、好ましくは、背もたれ部のリクライニング動作時に、座部を持ち上げるよう構成される。座部は、背もたれ部をリクライニングさせているときに支持フレームに対する角度の変化が殆どなく又は全くない状態で持ち上がることができる。座部は、好ましくは、背もたれ部をリクライニングさせると、持ち上がると共に後方に動く。変形形態では、座部は、背もたれ部のリクライニング時に、高さの変化を伴って又は伴わないで別の方向、例えば前方又は後方に動いても良い。さらに、座部は、背もたれ部をリクライニングさせているときに前方又は後方に角度が変化するよう構成されていても良い。
【００３４】
弾性支持体は、好ましくは、着座する人が座部に着座すると、弾性支持体の初期変形及び荷重吸収に続き、座部が底に突き当たり、着座した人が座部から離れるまで、着座した人の荷重を受け止めるために中間支持体によって支持されるよう構成される。座部支持体及び（又は）中間支持体は、座部が底に突き当たったときに座部を支持する１つ又は２つ以上の停止部を有するのが良い。
【００３５】
本発明の第３の態様によれば、椅子用の高さ調整可能なアーム組立体であって、互いに間隔をおいた全体として互いに平行な第１の細長い壁と第２の細長い壁を備えた細長いスロットを有する支持体と、支持体から片持ちされていて、椅子に着座した人の腕を支持するひじ掛けとを有し、ひじ掛けは、支持体の近くに位置する端部及び支持体の遠くに位置する端部を有し、ひじ掛けは、その近位端部のところ又はその近位端部寄りに、少なくとも２つの支承機構体を備えた支持係合機構体を有し、支承機構体は、細長いスロットの延長方向に互いに間隔をおいて位置すると共に支持体の細長いスロット内に摺動可能に受け入れられ、支承機構体の一方は、第１の長手方向壁に接触し、支承機構体の他方は、支持体に対するひじ掛けの摺動動作を可能にするよう第２の長手方向壁に接触し、ひじ掛けは、ひじ掛けを支持体に対する選択された位置にロックするロック機構体を更に有し、ロック機構体は、支持体に係合するロック部材及びひじ掛けの遠位端部のところ又はこれに隣接して位置するアクチュエータを有し、支持体に対するひじ掛けの高さは、アクチュエータを動かし、それによりロック部材が支持体との係合状態から離脱し、それによりロック部材と支持体との摺動運動を可能にすることにより調整可能であることを特徴とする高さ調整可能なアーム組立体が提供される。
【００３６】
好ましくは、各支承機構体は、第１の長手方向壁と第２の長手方向壁の両方に接触することができるが、各支承機構体は、１度に長手方向壁の一方にのみ接触することができる。支承機構体は、各々、ローラの形態をしており、ローラは各々、スロットの延長方向に対して実質的に横方向に延びるそれぞれの軸線回りにひじ掛けに対して回転可能に設けられるのが良い。
【００３７】
変形例として、支承機構体は、各々、並置形態の一対のローラを有しても良く、各対の一方のローラは、長手方向壁の一方に接触し、各対の他方のローラは、長手方向壁の他方に接触する。変形例として、支承機構体は、各々、固定された自己潤滑（自滑性）ポリマー部材の形態をしていても良く、長手方向壁も又、適当な自己潤滑ポリマー材料で作られていても良い。
【００３８】
支持体は、椅子の背もたれ部の一部であるのが良い。変形例として、支持体は、例えば支持フレーム又は座部に取り付けることができるスタンドアロン型アーム組立体の一部の椅子の別の一部で支持されるようになっていても良い。好ましい形態では、支持体は、背もたれ部を椅子の別の部分で支持する背もたれ部の一部に取り付けられる。
【００３９】
アクチュエータは、好ましくは、ロック機構体を解除するよう上方に引き上げられるようになったレバーを有する。これにより、ひじ掛けコンポーネントの高さを容易に高くすることができる。というのは、レバーに対する同じ上向き引っ張り作用により、追加的にひじ掛けが持ち上がるからである。引っ張り作用はひじ掛けの前に向いているが、支承機構体は、高さ調整中、支持体へのひじ掛けの結合を阻止する。
【００４０】
ロック部材は、好ましくは、ひじ掛けの一部に連結され、ロック部材は、支持体に設けられていて、スロットの延長方向に互いに間隔をおいて位置する複数個のロック特徴部の１つに選択的に係合するようになっている。アクチュエータレバーは、ひじ掛けの一部に回動可能に連結されると共に連結部品によってロック部材に連結されるのが良く、アクチュエータレバーの回動運動により、ロック部材の摺動運動が生じるようになっている。
【００４１】
スロットは、支持体の取付けプレート又はその類似物を完全に貫通して延びるのが良い。変形例として、スロットは、例えば支持体に形成された細長いチャネルによって構成されても良い。
【００４２】
本発明の第４の態様によれば、椅子であって、支持フレームと、着座した人を支持する座部と、椅子の通常の前方に向いた位置に居るときの着座した人の背中を支持する凹状の曲率を少なくとも一部に備えた背もたれ部と、座部の各側の上方に且つ各側部のところ又は各側部寄りに位置する一対のひじ掛けとを有し、各ひじ掛けは、クッション付きであって、背もたれ部の一部の全体的連続部を形成する内面を有し、ひじ掛けと座部との間には、着座する人が自分の脚が一方のひじ掛けの下に延び、脚部の裏側の一部が他方のひじ掛けのクッション付き内面によって支持された状態で座部に側方から着座することができるのに十分な隙間が形成されていることを特徴とする椅子が提供される。
【００４３】
広義には、本発明の第４の態様は、椅子の一対のひじ掛けを提供する。
【００４４】
各ひじ掛けの内面は、好ましくは、湾曲している。各ひじ掛けの内面は、少なくとも着座する人が椅子に側方から着座して背もたれ部に寄り掛かっているとき、背もたれ部の一部の凹状曲率の全体的連続部を形成している。変形例として、内面は、全体として平坦であっても良い。
【００４５】
ひじ掛けは、好ましくは、着座する人が使用にあたり背もたれ部を備えた椅子に全体として側方から着座しているときに、着座している人の背中の下方の幅の少なくとも大部分を支持するのに十分前方方向に長い。
【００４６】
ひじ掛けは、座部に対して高さ調整可能であるのが良い。この場合、ひじ掛けの少なくとも１つの高さ調整済み位置では、ひじ掛けと座部との間には、着座する人が自分の脚が一方のひじ掛けの下に延びた状態で座部に側方から着座することができるのに十分な隙間が形成されている。
【００４７】
各ひじ掛けの内面全体は、好ましくは、クッション付きである。
【００４８】
ひじ掛けは、背もたれ部に組み込まれるのが良く、或いは、変形例として、椅子の別の部分、例えば座部又は支持フレームで支持されるアーム組立体の一部であっても良い。好ましい形態では、ひじ掛けは、背もたれ部を椅子の別の部分から支持する背もたれ部の一部に取り付けられている。好ましくは、ひじ掛けは、背もたれ部から前方に片持ちされる。
【００４９】
本発明の第５の態様によれば、椅子用の背もたれ部であって、背もたれフレームを有し、背もたれフレームは、着座した大人の背中の下方領域の少なくとも大部分を横切って延びるようになった下方部分と、下方部分から垂直方向に間隔をおいて設けられていて、着座した人の背中の上方領域の少なくとも大部分を横切って延びるようになった上方部分と、上方部分と下方部分との間の相対的に幅の狭い相互連結領域とを有し、相対的に幅の狭い相互連結領域は、下方部分に対する上方部分の後方の方向における撓み運動を可能にするほど弾性的に撓むことができ、背もたれ部は、着座した人の背中のための支持面を提供するよう背もたれフレームに作動的に連結されたカバーを更に有することを特徴とする椅子用背もたれ部が提供される。
【００５０】
広義には、本発明の第５の態様は、弾性的に撓むことができる相対的に幅の狭い相互連結領域を備えた椅子の背もたれ部を提供する。
【００５１】
好ましくは、相補連結領域は、更に、背もたれフレームの上方部分が背もたれフレームの下方部分に対してねじれることができるようにするためにねじり作用によりねじれるよう構成される。このような形態により、背もたれフレームの上方部分は、着座した人が使用にあたり背もたれ部を備えた椅子に座った状態で自分の肩領域を回すと、下方部分に対してねじれることができる。背もたれフレームの下方部分は、着座している人が自分の背中を回すと、椅子の座部に対してねじれるようになっているのが良い。下方部分のねじれ量は、上方部分のねじれ量よりも少ないことが好ましい。背もたれフレームの下方部分は、椅子の座部に対してねじれることはない。
【００５２】
相対的に幅の狭い相互連結領域は、単一の部材から成るのが良く、或いは、変形例として、２つ以上の部材から成っていても良い。
【００５３】
背もたれフレームの上方部分及び（又は）下方部分は、実質的に剛性であるのが良い。変形実施形態では、背もたれフレームの上方部分及び（又は）下方部分は、弾性であっても良い。好ましい実施形態では、上方部分の少なくとも下方部及びこの下方部分の少なくとも上方部は、弾性的に撓むことができる。
【００５４】
背もたれ部は、椅子の任意適当な部分、例えば支持フレーム、座部又は座部と支持フレームの両方で支持されるよう構成されていても良い。
【００５５】
好ましくは、背もたれ部は、背もたれ部を椅子の別の部分から支持するよう下方部分から延びる少なくとも１つの支持部材を有する。支持部材は、背もたれフレームの下方部分の底縁部よりも上方の位置で背もたれフレームの下方部分に連結されるのが良く、背もたれフレームの下方部分の底縁部には、支持部材への連結部が設けられていないのが良い。好ましくは、支持部材は、背もたれ部の底縁部のところ又はこれに隣接した位置から延びる。
【００５６】
支持部材が背もたれフレームの下方部分の底縁部の上方に連結される場合、これら支持部材は、後方への支持部材の上方部分の撓み運動をもたらすよう弾性的に撓むことができるのが良い。このような撓み運動の結果として、支持部材に対する背もたれフレームの下方部分の底縁部の前方運動が生じる。
【００５７】
支持部材は、可撓性が前方／後方の方向に実質的に制限されるよう構成されているのが良い。背もたれ部は、好ましくは、２つの水平に間隔をおいた支持部材を有する。好ましくは、支持部材は、横方向コネクタ部材によってこれらの下端部のところが結合されている。横方向コネクタ部材は、支持部材と一体であるのが良い。
【００５８】
背もたれフレームと支持部材は、一体構造のものであるのが良く、しかも、例えばポリマー材料から成形されるのが良い。
【００５９】
背もたれフレームの上方部分は、好ましくは、横方向に延びる頂部材と、相対的に幅の狭い相互連結領域に連結された横方向に延びる底部材と、頂部材と底部材を互いに連結する少なくとも２つの互いに間隔をおいた全体として垂直の部材とを有する。好ましくは、全体として垂直の部材は、横方向頂部材及び横方向底部材のそれぞれの端部のところ又はそれぞれの端部寄りに位置決めされる。一実施形態では、頂部材は、背もたれ部の上方から見て全体として直線状であるのが良く、底部材は、背もたれ部の前側から見て全体として凹状であるのが良い。頂部材も又、背もたれ部の前から見て全体として凹状であるのが良い。
【００６０】
互いに間隔をおいた部材は、好ましくは、底部材から外方且つ上方に延びる。背もたれフレームの下方部分は、横方向に延びる頂部材と、横方向に延びる底部材と、頂部材と底部材を互いに連結した少なくとも２つの互いに間隔をおいた部材とを有する。好ましくは、２つの互いに間隔をおいた部材は、横方向頂部材及び横方向底部材のそれぞれの端部を互いに連結する。互いに間隔をおいた部材は、好ましくは、底部材から外方且つ上方に延びる。一実施形態では、少なくとも頂部材は、前から見て全体として凹状であり、頂部材及び互いに間隔をおいた部材は、好ましくは、頂部材及び間隔をおいた部材の外端部が着座した大人の背中の下方部分の側部周りに延びるように十分に幅が広く、したがって、背もたれフレームの下方部分は、着座した人の背中の下方部分を「カップ状に包囲する」ようになっている。
【００６１】
背もたれ部は、好ましくは、背もたれ部の下方部分によって支持されたひじ掛けを備えるアーム組立体を有する。アーム支持体が、背中部の下方領域から延びるのが良く、ひじ掛けは、アーム支持体に取り付けられている。背もたれ部は、好ましくは、背もたれフレームの下方領域に隣接したアーム支持体から片持ち状態で前方に延びており、ひじ掛けは、好ましくは、ユーザを支持すると、背もたれフレームの下方部分に位置が一致したカバーの部分の全体的連続部を形成する内面を備える。各ひじ掛けの内面は、好ましくは、湾曲している。好ましくは、各ひじ掛けの内面は、少なくとも着座する人が椅子に側方から着座して背もたれ部に寄り掛かっているとき、カバーの凹状曲率の全体的連続部を形成する。ひじ掛けの内面は、好ましくは、クッション材を有する。ひじ掛けは、好ましくは、着座する人が使用にあたり、背もたれ部を備えた椅子に全体として側方から着座しているとき、着座する人の背中の下方部分の幅の少なくとも大部分を支持するよう前方の方向に十分長い。適切には、ひじ掛けの下には、使用にあたり、背もたれ部を備えた椅子に全体として側方から着座しているとき、ひじ掛けの下に納まることができるのに十分な間隔が設けられている。
【００６２】
ひじ掛けは、好ましくは、背もたれフレームに対して高さ調整可能である。このようにした場合、好ましくは、ひじ掛けの高さ調整済み位置の少なくとも１つでは、ひじ掛けの下には、使用にあたり、椅子に全体として側方から着座しているとき、着座する人の脚がの背もたれの下に納まることができるのに十分な間隔が設けられる。
【００６３】
支持部材が背もたれフレームの下方部分の底縁部の上方で連結されていて、これらが弾性である実施形態では、背もたれ部は、支持部材に対する下方部分の底部の後方運動を制限する支持ブロックを有するのが良い。支持ブロックは、椅子に座っている人が椅子から離れる際にひじ掛けを役立たせるようひじ掛けを下に押すときにひじ掛けに及ぼされる下向きの荷重を支持部材に、それにより使用中に支持部材を支持している椅子の部分に伝えるのに役立つ。支持ブロックは、支持部材又は背もたれフレームの下方部分に取り付けられるのが良い。支持ブロックは、凹部を有するのが良く、支持部材及び背もたれフレームの他方は、荷重を支持ブロックに伝えるために凹部に嵌まり込む係合部材を有するのが良い。凹部及び係合部材の少なくとも一方、好ましくはこれら両方は、背もたれフレームの下方部分のねじれ運動中、回動支持体となる湾曲した表面を有するのが良い。
【００６４】
カバーは、任意適当な形式な弾性材料、例えば布又はポリマー材料から成っていて良い。カバーは、成形ポリマー材料、より好ましくはエラストマー材料、例えば熱可塑性ポリウレタンエラストマー（ＴＰＵ）又はナイロンエラストマーから成ることが好ましい。最も好ましくは、ポリマー材料は、HYTRELであり、これは、デュポン社から入手できる熱可塑性ポリエステルエラストマーである。カバーは、好ましくは、カバーを背もたれフレームに連結する一体成形取付け特徴部を有する。カバーは、好ましくは、カバーの通気性を高めるメッシュとして形成される。しかしながら、変形実施形態では、カバーは、クッション材から成っていても良い。
【００６５】
本発明の第６の態様によれば、椅子用背もたれ部であって、着座する大人の背中の下方領域の少なくとも大部分を横切って延びるようになった下方部分と、下方部分から垂直方向に間隔をおいて位置していて、着座する大人の背中の上方領域の少なくとも大部分を横切って延びるようになった上方部分と、上方部分と下方部分との間に位置する相対的に幅の狭い相互連結領域と、上方部分及び下方部分に作動的に連結されていて、着座した人の背中のための支持面を構成するカバーとを有し、カバーは、２つの凹み区分を有し、一方の凹み区分は、カバーの各側の中に延び、凹み区分は、使用にあたり、着座した人のひじのための隙間空間を提供するよう全体として垂直位置が相対的に幅の狭い相互連結領域に一致していることを特徴とする椅子用背もたれ部が提供される。
【００６６】
広義には、本発明の第６の態様は、使用にあたり着座した人のひじのための隙間空間を備えた椅子用の背もたれ部を提供する。
【００６７】
背もたれ部は、ひじ掛けを有するのが良い。好ましくは、ひじ掛けは、背もたれ部の下方領域から支持されると共に各ひじ掛けの上面の位置がカバーのそれぞれ対応した凹部の下縁部の位置に実質的に一致している。ひじ掛けは、背もたれフレームに対して高さ調整可能であるのが良い。このようにした場合、ひじ掛けの高さ調整済み位置の少なくとも１つでは、各ひじ掛けの上面は、好ましくは、それぞれ対応の凹部の下縁部に位置が実質的に一致する。
【００６８】
変形例として、ひじ掛けは、使用中、背もたれ部を支持する椅子の別の部分、例えば座部又は支持フレームで支持されても良い。この場合も又、ひじ掛けは、高さ調整可能であるのが良い。
【００６９】
背もたれ部は、背もたれフレームを有するのが良く、カバーは、背もたれフレームの前面に作動的に連結されると共にこれを覆って延びる。変形例として、背もたれ部は、背もたれパネルを有していても良く、カバーは、例えばクッションから成っていても良い。
【００７０】
好ましい形態では、カバーは、ユーザのひじのための応従性のある接触面を提供するよう凹み区分内では実質的に支持されていない。
【００７１】
カバーは、各凹み部分から後方且つ内方に延びる区分を有するのが良い。後方且つ内方に延びる区分は、背もたれ部の相対的に幅の狭い相互連結領域に連結されるのが良い。後方且つ内方に延びるこの区分は、カバーの一体形成部分であっても良く、或いは、カバーの前側部分に連結された別個のコンポーネントであっても良い。
【００７２】
本発明の第７の態様によれば、椅子用背もたれ部であって、着座する大人の背中の下方領域の少なくとも大部分を横切って延びるようになった下方部分と、着座する大人の背中の上方領域の少なくとも大部分を横切って延びると共にこれを支持するようになった上方部分とを有し、上方部分は、背もたれ部の垂直方向全高を減少させるよう上方部分の残部に対して選択的に後方に折れ曲がるようになった上方区分を有することを特徴とする椅子用背もたれ部が提供される。
【００７３】
広義には、本発明の第７の態様は、背もたれ部の一区分が背もたれ部の少なくとも１つの他の区分に対して動くことができるようにする椅子用背もたれ部を提供する。
上方区分は、好ましくは、後方に折り曲げられた場合及び着座する人が椅子に側方から着座しているときに着座した人の腕を載せるためのプラットホームとなる。
【００７４】
上方部分は、前向きの付勢力を上述の上方区分に提供するセンタ（中心）越しの形態の少なくとも１つのヒンジ又はピボットを有する少なくとも１つの支持部材を有するのが良い。このような形態では、着座している人が通常の前向きの着座状態で後ろ向きの力を背もたれ部に加えると、上方区分は、ヒンジ又はピボットの形態に起因して上方区分の残部と全体として整列したままである。しかしながら、ヒンジ又はピボットにより、上方区分の後方折り曲げは、例えば着座している人が自分の腕で上方区分を後ろ向き／下向きに押すことにより、後ろ向き／下向きの力が上方区分に別々に加えられた場合に起こることができよう。
【００７５】
変形例として、上方区分は、後方への力が上方区分に加えられると、後方に折り曲げられるよう構成されても良い。
【００７６】
上方区分は、上方部分内にその前面から延びる複数個のスリットによって構成されるのが良く、このようなスリットにより、前面が拡張することができる。スリットは、ヒンジ又はピボットとの組み合わせ状態で、折り曲げ領域を適切に構成する。代替的に又は追加的に、上方部分は、その後面から上方部分内に延びる複数個のスロットによって画定されるのが良い。好ましい形態では、上方部分は、上方部分内にその後面から延びる複数個のスロットを有する。スロットは、閉鎖されると、好ましくは、上方部分の残部に対する上方区分の後方運動を制限する。
【００７７】
上方部分は、複数個のスロットを備えたエラストマーブロックから成るのが良い。エラストマー材料は、本明細書のどこか他の場所に列記した適当な材料の任意のものであって良い。
【００７８】
上方部分は、好ましくは、上方区分の運動の前方限度及び後方限度を定める制限機構体を備える。好ましい形態では、制限機構体は、上方部分の上方区分及び残部の一方に連結された弾性ストラップを有し、弾性ストラップは、上方部分の残部及び上方区分の他方に作動的に摺動可能に係合する。ストラップは、好ましくは、上方区分の運動の前方限度及び後方限度を定める部材を有する。図示の好ましい形態では、このような部材は、ストラップに対して固定されると共に凹部に摺動可能に受け入れられるブロックから成り、ブロックと凹部の壁との係合により、上方区分の運動の後方限度が定められ、ブロックと凹部の別の壁との係合により、上方区分の運動の前方限度が定められる。
【００７９】
ブロック及び凹部を用いるのではなく、別の形態、例えばストラップに対して固定され、例えばスロット内に摺動可能に受け入れられるピンを用いても良い。
【００８０】
背もたれ部は、背もたれフレーム及び着座した人のための支持面となる作動的に連結された弾性的に撓むことができるカバーを有するのが良い。背もたれフレームは、上方部分と下方部分との間に位置する比較的に幅の狭い相互連結領域を有するのが良い。変形例として、背もたれフレームは、任意適当な形状、例えば前から見て全体として長方形であっても良い。しかしながら、この特徴は、追加的に、例えば、中実又は全体として中実の背もたれパネルを有する別の形態の背もたれ部に設けられても良く、この場合も又、背もたれパネルは、前から見て実質的に長方形又は任意他の適当な形のものであって良く、上方区分は、パネルの下方部分に対して後方に折り曲げられるよう構成されたパネルの上方部分を有していて良い。パネルは、例えばポリマー材料で作られたパネルであるのが良い。この場合も又、上述の区分は、上述したような１つ又は２つ以上のヒンジ又はピボットによってパネルの下方部分で支持されるのが良い。パネルは、着座した人の支持面となるのが良く、或いは、変形例として、着座した人の支持面となるクッション材を支持していても良い。
【００８１】
フレーム及び弾性カバーを有する形態では、カバーは、好ましくは、例えば布又はポリマー材料から成る。ポリマー材料は、適切には、エラストマー材料、例えば熱可塑性ポリウレタンエラストマー（ＴＰＵ）又はナイロンエラストマーである。最も好ましくは、ポリマー材料は、HYTRELであり、これは、デュポン社から入手できる熱可塑性ポリエステルエラストマーである。フレームも又、好ましくは、ポリマー材料、例えばガラス繊維入りナイロンで作られる。
【００８２】
本発明の第８の態様によれば、椅子の一部を形成する支持体を組み立てる方法であって、フレームを用意するステップと、複数の部材を備えたメッシュを有し、フレームの対応の寸法よりも小さい成形されたばかりの寸法を有する成形ポリマーカバーを用意するステップと、カバーを引き伸ばしてフレームの対応の寸法よりも大きな引き伸ばし寸法を有するようにするステップと、カバーを弛緩させて成形されたばかりの寸法と引き伸ばし寸法との間の弛緩後寸法を有するようにするステップと、カバーをフレームから支持するステップとを有することを特徴とする方法が提供される。
【００８３】
一実施形態では、カバーは、複数の全体として横方向に延びる細長い部材と、複数の全体として長手方向に延びる細長い部材とを有する。好ましくは、全体として横方向に延びる細長い部材は、全体として長手方向に延びる細長い部材とは異なっている。好ましくは、全体として横方向に延びる細長い部材は、全体として長手方向に延びる細長い部材よりもカバーの長手方向に薄い。好ましくは、このような寸法は、横方向寸法であり、本方法は、カバーを引き伸ばして弛緩させると、全体的に横方向に延びる細長い部材を引き伸ばし、次に弛緩させるような方法である。変形例として、このような寸法は、長手方向寸法であり、本方法は、カバーを引き伸ばして弛緩させると、全体的に長手方向に延びる細長い部材を引き伸ばし、次に弛緩させるような方法である。
【００８４】
全体として長手方向に延びる細長い部材の少なくとも幾つかは、全体として横方向に延びる細長い部材の少なくとも幾つかよりも深さが深いものであるのが良い。例えば、全体として中央に配置された複数個の全体として長手方向に延びる細長い部材は、全体として横方向に延びる細長い部材よりも深さが深いのが良い。全体として中央に配置された複数個の全体として長手方向に延びる細長い部材は、残りの全体として長手方向に延びる細長い部材よりも深さが深いのが良い。他の形態を利用することができる。代替的に又は追加的に、全体的として長手方向に延びる細長い部材の少なくとも幾つかは、全体として横方向に延びる細長い部材の少なくとも幾つかよりも、体を支持する方向に一層前方に突き出ていても良い。
【００８５】
カバーを横方向と長手方向の両方に引き伸ばして弛緩させることができる。引き伸ばしステップは、カバーを３６０°引き伸ばすステップから成るのが良い。これは、特に、カバーが不規則なパターンの部材及び（又は）斜め部材を有する場合に特に有用である。
【００８６】
用いられる材料に応じて、一実施形態では、引き伸ばし寸法は、成形されたばかりの寸法の約１．４〜約２．９倍であるのが良く、好ましくは、成形されたばかりの寸法の約２．１５倍である。引き伸ばし方向に差し向けられた細長い部材の各ストランド（隣り合う横方向部材相互間のストランド）は、好ましくは、その成形されたばかりの長さの約３〜約１０倍、より好ましくは約３〜約８倍に引き伸ばされる。
【００８７】
好ましくは、カバーの弛緩後寸法は、カバーの成形されたばかりの寸法の約１．１〜約１．７５倍、好ましくは約１．２倍である。引き伸ばし方向に差し向けられた細長い部材の各ストランドの弛緩後長さ（隣り合う横方向部材相互間の長さ）は、その元の長さの約１．５〜約４．５倍、より好ましくは約２．１倍である。
【００８８】
弛緩ステップと支持ステップは、同時に起こるのが良い。特に、カバーは、フレームのそれぞれの部分を捕捉するポケット等を有するのが良く、これら部分は、カバーを弛緩させるとポケットによって捕捉されるのが良い。変形例として、カバーは、カバーを弛緩させた後、フレームに連結されても良い。例えば、カバーの弛緩に続き、カバーは、少量引き伸ばされ、次にフレームから支持される。カバーをフレームで支持するための引き伸ばし寸法は、好ましくは、その成形されたばかりの寸法の約１．３倍である。
【００８９】
カバーは、例えばカバー及びフレームの一方の複数の部分がカバー及びフレームの他方のそれぞれ相補する凹部内に受け入れられることによってフレームに直接連結されるのが良い。変形例として、別個の締結具を用いてカバーとフレームを互いに連結しても良い。別法として、１つ又は２つ以上の保持ストリップを用いてカバーをフレームに連結しても良い。好ましくは、カバーは、成形ステップの一部としてカバーと一体成形された取付け特徴部によってフレームに直接連結される。
【００９０】
ポリマー材料は、適切には、エラストマー材料、例えば熱可塑性ポリウレタンエラストマー（ＴＰＵ）又はナイロンエラストマーである。最も好ましくは、ポリマー材料は、HYTRELであり、これは、デュポン社から入手できる熱可塑性ポリエステルエラストマーである。
【００９１】
この方法は、起毛した表面を提供するようカバーの少なくとも表面を研磨するステップを更に有するのが良い。研磨は、成形に続いて起こり、研磨は、引き伸ばし又は弛緩ステップの前に又は後に起こるのが良い。
【００９２】
好ましい実施形態では、成形ステップの一部として、表面テキスチャが成形によりカバーに施される。
【００９３】
本方法は、カバーの互いに異なる部分を互いに異なる量引き伸ばしてカバーに様々な特性を生じさせるステップを有するのが良い。
【００９４】
フレームは、側方部材、上方部材、及び下方部材（又は、座部フレームの場合には前側部材及び後側部材）を有するのが良く、側方部材、上方部材、及び下方部材は、フレームで支持されるとカバーによって覆われる１つ又は２つ以上の開口部を画定するのが良い。
【００９５】
支持体は、椅子の背もたれ部であるのが良い。
本発明の第９の態様によれば、上述した方法を用いて組み立てられた椅子用の背もたれ部が提供される。
【００９６】
変形例として、支持体は、椅子の座部であっても良い。本発明の第１０の態様によれば、上述の方法を用いて組み立てられた場合の椅子の座部が提供される。
【００９７】
本発明の第１１の態様によれば、椅子であって、支持フレームと、背もたれ部と、中央ゾーンを備えた座部と、座部を支持フレームで作動的に支持する座部支持体とを有し、座部支持体は、全体として座部の中央ゾーンの側部のそれぞれに沿って設けられていて、着座した人の重量が中央ゾーンの中心に位置すると、着座した人を支持するよう構成されているが、着座した人の重量が座部の中央ゾーンの側部寄りにオフセットしている場合、側部に対する座部の角度変化を可能にする弾性支持部材を有することを特徴とする椅子が提供される。
【００９８】
広義には、本発明の第１１の態様は、椅子の座部の角度変化を可能にする座部支持体を提供する。
【００９９】
弾性支持部材は各々、中央ゾーンの各側部に沿って前後の方向に全体として長手方向に延びる単一の部材から成るのが良い。好ましくは、中央ゾーンの各側に沿って複数個の弾性支持部材が設けられる。
【０１００】
座部支持体は、座部の後方部分を支持する少なくとも１つの弾性支持部材を更に有するのが良い。この弾性支持部材は、好ましくは、着座した人が重量を座部に対して後方に及ぼすと、変形／撓みを生じるよう構成され、それにより、座部の後方斜め運動が生じる。好ましくは、座部の後方部分を支持する複数個の弾性支持部材が設けられ、これら支持部材は、座部の後側コーナ部寄りに位置決めされるのが良い。
【０１０１】
座部支持体は、座部のより前方の部分を支持する少なくとも１つの弾性支持部材を更に有するのが良い。この弾性支持部材は、好ましくは、着座している人が重量を座部に対して前方に及ぼすと、変形／撓みを生じるよう構成されており、それにより、座部の前方斜め運動が生じる。好ましくは、座部のより前方の部分を支持する複数個の支持部材、より好ましくは３つ又は４つの支持部材が設けられる。
【０１０２】
座部支持体は、スライダを有するのが良く、座部支持体は、座部の深さを支持フレームに対して選択的に調整できるよう支持フレームに対して選択的に摺動可能である。少なくともスライダ及び弾性部材は、単一の一体成形ポリマーコンポーネントの一部であるのが良い。座部支持体は、支持フレームによって支持された中間支持体によって作動的に支持されるのが良く、座部支持体は、好ましくは、中間支持体に対して摺動可能である。座部支持体は、好ましくは、着座する人が座部に最初に着座すると変形するよう構成された少なくとも１つの弾性部材によって中間支持体の上方に作動的に支持されている。
【０１０３】
中間支持体は、リクライニング機構体の一部をなするのが良く、リクライニング機構体は、中間支持体と支持フレームとの間に位置する少なくとも１つの部材を更に有するのが良く、背もたれ部は、リクライニング機構体に作動的に連結され、座部支持体は、中間支持体に作動的に連結され、リクライニング機構体は、背もたれ部のリクライニング動作時に、中間支持体を動かし、それにより座部支持体を動かすよう構成されている。
【０１０４】
好ましくは、座部は、中央ゾーンの各側に１つずつ設けられた２つの側部ゾーンを有し、側部ゾーンは、着座する人が座部に側方から着座した場合、側部領域が着座した人の脚の重量を受けて変形することができるよう弾性的に撓むことができる。
【０１０５】
中央ゾーンは、座部の後方部分を構成するのが良く、座部は、前方部分を更に有するのが良く、前方部分は、着座する人が座部に前方から着座すると、前方部分が着座した人の脚の重量を受けて変形することができるよう弾性的に撓むことができる。しかしながら、側部ゾーンは、前方部分が弾性的に撓むことができるにせよ、そうでないにせよ、いずれにせよ、実質的に座部の前縁部まで延びるのが良い。
【０１０６】
座部は、ポリマー材料で作られた一体形コンポーネントから成るのが良い。変形例として、座部は、着座した人のための応従性支持体となるクッション構成体を更に有しても良く、クッション構成体は、座部パン又は座部パネル上に載っている。
【０１０７】
本発明を第１２の態様によれば、応従性支持面を提供するクッション構成体であって、実質的に独立した応従性支持体となるようになった複数個の成形ばねコンポーネントを備えたばね構造体を有し、成形ばねコンポーネントの少なくとも大部分は、各々、プラットホームによって互いに連結された複数の区分を有し、これら区分は、クッション構成体に加えられた重量を受けて互いに入れ子状に縮むことができるようになっており、クッション構成体は、ばね構造体の成形ばねコンポーネントの少なくとも一方の側部を覆うようになったカバーを更に有することを特徴とするクッション構成体が提供される。
【０１０８】
好ましくは、大部分のばねコンポーネント中のばねの各々内で、このような区分は、カバーに向かって次第に大きくなり、カバーから遠ざかって次第に小さくなる。
【０１０９】
好ましくは、カバーは、ばね構造体の周りに延びてばね構造体の別の側部に位置が一致した内方に向けられた周辺領域で終端し、カバーは、カバーの周辺領域を支持基材の周りに引っ張り、それにより支持基材を周辺領域とばね構造体との間で少なくとも部分的にサンドイッチすることにより支持基材への取付けが可能である。
【０１１０】
所望ならば、カバーの周辺領域を基材の周りに引っ張って基材を周辺領域とばね構造体との間にサンドイッチする操作に続き、カバー又は外皮を基材に締結して取付けを完了するのが良い。締結は、任意適当な手段、例えば接着剤又は締結具、例えばステープル、ピン又はクリップによって実施できる。別法として、取付けストリップは、カバーの周辺領域を基材に設けられた凹部内に捕捉しても良い。カバーは、任意適当な仕方で基材に取付け可能である。
【０１１１】
カバーは、任意適当な方法、例えば真空成形、射出成形又は吹き込み成形を用いて形成できる。好ましくは、カバーは、厚さが最小限のカバーを形成するよう吹き込み成形によって形成される。別の好ましい手段として、カバーは、注入圧縮成形されても良い。
【０１１２】
カバーは、任意適当な材料、例えばＴＰＵで作られるのが良い。ＴＰＵが好ましい。というのは、これを無色にすることができるからである。任意適当な形式の適当なエラストマー、例えばHYTRELを用いることができる。
【０１１３】
好ましくは、ばね構造体は、エラストマー材料、例えばＴＰＵ又はHYTRELで作られる。
【０１１４】
カバーは、通気性のある材料で作られるのが良く又は通気性を提供するよう複数個の孔を有するのが良い。変形例として、カバーは、通気性でなくても良く、ばね構造体に孔を設けても良い。
【０１１５】
カバーは、起毛表面を有するのが良い。変形例として、表面テキスチャを成形によりカバー施しても良い。
【０１１６】
カバーは、ばね構造体に取り付けられるのが良く又はばね構造体を受け入れることができる別個のコンポーネントとして設けられるのが良い。変形例として、カバーは、ばね構造体と一体成形されても良い。
【０１１７】
クッション材は、椅子の支持面、例えば背もたれ部、座部又はひじ掛けのためのものであるのが良い。背もたれ部の場合、基材は、背もたれフレーム又は背もたれパネルであるのが良い。座部の場合、基材は、座部パネルであるのが良い。ひじ掛けの場合、基材は、アーム支持体であるのが良い。したがって、本発明の第１３の態様によれば、基材及び基材の表面に取り付けられると共に実質的にこれを覆う上述した第１２の態様にこのようなクッション構成体を有する椅子用支持面が提供される。椅子は、任意適当な形式の椅子であって良く、例えば、オフィス用椅子、ラウンジチェア又は屋外用椅子、例えば中庭用家具又はスタジアム用椅子であって良い。
【０１１８】
好ましくは、支持面は、椅子用の座部であり、座部は、座部パネル又はパン及び座部パネル又はパンの上面に取り付けられると共にこれを実質的に覆う上述したクッション構成体を有する。座部又はパンは、実質的に剛性であっても良く、弾性であっても良い。好ましくは、座部パネル又はパンは、弾性である。
【０１１９】
変形例として、支持面は、椅子用のアーム組立体であり、アーム組立体は、アーム支持体を備えたひじ掛けを有し、クッション構成体は、アーム支持体の少なくとも上面に取り付けられてこれを実質的に覆っている。好ましくは、クッション構成体は、使用にあたり、着座した人に向くようになったアーム支持体の内面を更に覆っている。
【０１２０】
別の変形例として、クッション材は、椅子の腰部支持部分の一部として用いられても良い。
【０１２１】
変形例として、クッション材は、異なる形式の支持面のためのものであって良い。例えば、クッション材は、ベッドのマットレスを形成しても良い。
【０１２２】
本発明の第１４の態様によれば、椅子であって、支持フレームと、背もたれ部と、支持フレームで作動的に支持されていて、中央ゾーン及び周辺縁部領域を備えた座部とを有し、周辺縁部領域は、弾性的に撓むことができ、周辺縁部領域は、周辺縁部領域が着材下人の脚部重量を受けて変形することができるよう実質的に支持されておらず、椅子は、周辺縁部領域の下に作動的に設けられていて、周辺縁部領域が着座した人の脚の重量を受けて変形すると、周辺縁部領域と一緒に動き、着座した人が座部の周辺縁部領域の下の達することにより到達可能なアクチュエータを更に有し、アクチュエータは、椅子を再構成することができる機構体に作動的に連結されていることを特徴とする椅子が提供される。
【０１２３】
広義には、本発明の第１４の態様は、弾性的に撓むことができる周辺縁部領域及びこの周辺縁部領域の下に設けられたアクチュエータを有する椅子の座部を提供する。
【０１２４】
撓むことができる周辺縁部領域は、座部の前方縁部であるのが良く、椅子は、背もたれ部を後方にリクライニングさせると座部の中央ゾーンの高さを高くし、その結果、椅子をリクライニングさせると、着座した人の脚の重量を受けて座部の前方縁部の下向きの変形が生じるようにするリクライニング機構体を有するのが良い。
【０１２５】
前方縁部は、椅子がリクライニングされておらず、着座している人が椅子の通常の着座位置にある場合、着座している人の脚の下で変形可能であるのが良く、下向きの変形は、椅子をリクライニングさせるにつれて増大する。変形例として、前方縁部は、椅子をリクライニングさせておらず、着座している人が椅子の通常の着座位置にある場合、実質的に変形しなくても良く、下向きの変形は、椅子をリクライニングさせた場合又は着座している人が座部上で前方に着座した場合に生じる。
【０１２６】
１つ又は２つ以上のアクチュエータを前方縁部の下に設け、例えば前側コーナ部の下に設けるのが良い。
【０１２７】
代替的に又は追加的に、座部は、中央ゾーンの各側に１つずつ設けられた２つの側部ゾーンを有するのが良く、側部ゾーンは、着座する人が座部に側方から着座した場合、側部領域が着座した人の脚の重量を受けて変形することができるよう弾性的に撓むことができる。
【０１２８】
１つ又は２つ以上のアクチュエータが、各側縁部の下に設けられるのが良い。
【０１２９】
アクチュエータは、好ましくは、座部の周辺縁部領域の下面に関節連結されたレバーを有する。レバーは、機構体を作動させるのに座部への上方引き寄せを必要とするのが良く又は機構体を作動させるために座部からの下向きの押し離しを必要とするのが良い。アクチュエータレバーは、好ましくは、着座する人の複数本の指を受け入れるような寸法形状のパドル面を有する。別の変形例では、レバーは、機構体を作動させるために全体として水平の運動を必要とする場合がある。任意他の適当な形式のアクチュエータを用いることができる。
【０１３０】
椅子は、椅子を再構成することができるようにする複数の機構体を有するのが良い。一例を挙げると、これら機構体は、座部高さ調整及び座部深さ調整を制御する高さ調整ばねを有するのが良い。機構体は、任意他の適当な形式の機構体であって良い。機構体の各々について別個のアクチュエータを設けても良い。アクチュエータは、好ましくは、可撓性リンク装置、例えばケーブルを介してそれぞれの機構体に作動的に連結される。しかしながら、任意他の適当なコネクタ、例えば細長いロッドを用いても良い。
【０１３１】
椅子は、好ましくは、オフィス仕事用椅子である。
【０１３２】
本発明の第１５の態様によれば、椅子であって、支持フレームを有し、支持フレームは、支持フレームのための高さ調整可能な支持体となる高さ調整ペデスタルの上端部に取り付け可能な取付け区分を有し、椅子は、支持フレームで作動的に支持された座部と、高さ調整ペデスタルを作動させる作動機構体とを更に有し、作動機構体は、支持フレームに関節連結されていて、高さ調整ペデスタルに取り付けられると、高さ調整ペデスタルの上端部に係合するよう取付け区分に向かって付勢される第１のレバーと、第１のレバーに関節連結されていて、高さ調整ペデスタルの高さ調整を可能にするよう高さ調整ペデスタルに設けられた解除ボタンに選択的に係合するようになった部分を有する第２のレバーと、着座した人によって使用可能に位置決めされたアクチュエータと、アクチュエータを第２のレバーに作動的に連結する可撓性リンク装置とを更に有し、支持フレームの取付け区分が高さ調整ペデスタルの上端部に取り付けられると、着座した人によるアクチュエータの作動により、第２のレバーの部分は、高さ調整ペデスタルに設けられた解除ボタンに係合するようになり、それにより支持フレームの高さを調整できることを特徴とする椅子が提供される。
【０１３３】
広義には、本発明の第１５の態様は、椅子に設けられる高さ調整ペデスタルのための作動機構体を提供する。
【０１３４】
第１のレバーは、第１のピボット連結部によって支持フレームに関節連結されるのが良く、第２のレバーは、第１のピボット連結部から見て取付け区分寄りに位置決めされた第２のピボット連結部によって第１のレバーに関節連結されるのが良い。
【０１３５】
第１のレバーは、好ましくは、少なくとも１つのばねによって付勢される。好ましくは、ばねは、ねじりばねである。ただし、別の形式のばね、例えば板ばねを用いても良い。
【０１３６】
第２のレバーは、好ましくは、全体として第１のレバーに平行に位置決めされていて、部分を備えた第１の区分と、全体として第１の区分に対して横方向に延びる第２の区分とを有し、可撓性リンク装置は、支持フレームの高さを調節することができるようにするために、ケーブルが高さ調整ペデスタルボタンの下向き解除方向に対して全体として横方向に第２のレバーを引っ張るよう第２の区分に作動的に連結されている。
【０１３７】
アクチュエータは、任意適当な公知の形式のものであって良く、これは、着座した人によって使用可能な任意適当な位置に設けられるのが良い。しかしながら、可撓性リンク装置を用いた場合の利点は、支持フレームに対して動くよう構成された椅子の部分上又は部分内にアクチュエータを設けることができ、高さ調整ペデスタルは、椅子のこの部分が支持フレームに対して動いているときに偶発的に解除されることがないということにある。例えば、アクチュエータは、椅子の座部、背もたれ部又はひじ掛けの任意適当な部分上又は部分内に設けられても良い。
【０１３８】
アクチュエータの好ましい形態は、椅子の一部に関節連結されたアクチュエータレバーである。好ましくは、レバーは、椅子の座部の裏面に関節連結される。このレバーは、高さ調整ペデスタルを解除するためにレバーを椅子の裏面から下に押し離さなければならず又は高さ調整ペデスタルを解除するためにレバーを椅子の裏面に向かって上方に引き上げなければならないように構成されるのが良い。好ましくは、レバーは、座部の下面に枢着され、レバーは、高さ調整ペデスタルを解除するにはレバーを座部の下面に向かって引き上げなければ成らないように構成される。
【０１３９】
アクチュエータレバーは、好ましくは、着座する人の複数本の指を受け入れるような寸法形状のパドル面を有する。
【０１４０】
可撓性リンク装置は、好ましくは、ケーブルハウジング内に摺動可能に受け入れられたケーブルを有する。第１のレバーは、好ましくは、ケーブルハウジングの端部を受け入れるケーブルガイドを有し、ケーブルは、第２のレバーに係合するようケーブルガイドを越えて延びる。ケーブルガイドは又、好ましくは、アクチュエータレバーに隣接して設けられ、ケーブルハウジングの他方の端部は、ケーブルガイド内に受け入れられ、ケーブルは、アクチュエータレバーに係合するようケーブルガイドを越えて延びる。
【０１４１】
椅子は、好ましくは、オフィス仕事用椅子である。
【０１４２】
本発明の第１６の態様によれば、椅子であって、支持フレームと、着座する人を支持する座部と、着座した人の背中を支持する背もたれ部とを有し、前記背もたれ部は、全体として直立した位置と全体としてリクライニングされた位置との間で前記支持フレームに対してリクライニング可能であり、前記椅子は、前記背もたれ部と椅子コンポーネントとの間に作動的に係合した選好制御装置を更に有し、前記選好制御装置は、前記全体としてリクライニングされた位置に向かう前記背もたれ部の変位量が所与の場合、椅子コンポーネントの変位量を変化させるよう調整可能であることを特徴とする椅子が提供される。
【０１４３】
広義には、本発明の第１６の態様は、背もたれ部の変位量が所与の場合、椅子コンポーネントの変位量を変化させるよう調整可能な椅子の選好制御装置を提供する。
【０１４４】
好ましくは、選好制御装置は、支持フレームに関節連結されると共に背もたれ部に関節連結されていて、椅子コンポーネントに作動的に連結された選好ブロックを有する。選好ブロックは、椅子の支持フレームに枢着されると共に椅子の背もたれ部に枢着されるのが良い。選好ブロックは、椅子の背もたれ部への選好ブロックの枢着を可能にする選好ピンを有するのが良い。好ましくは、選好ブロック及び背もたれ部は、各々、選好ピンを挿通させる細長いスロットを有し、選好ピンは、全体としてリクライニングされた位置に向かう背もたれ部の変位量が所与の場合、椅子コンポーネントの変位量を変化させるよう選好ブロックに対して動くことができる。
【０１４５】
背もたれ部スロットは、背もたれ部の一体成形部分に設けられるのが良い。変形例として、背もたれ部スロットは、背もたれ部に連結されたコンポーネントに設けられても良い。
【０１４６】
好ましくは、椅子への選好ブロックの関節連結部は、支持フレームへの背もたれ部のリクライニング連結部から間隔をおいて位置し、選好制御部の角度変化は、リクライニング中、背もたれ部の角度変化とは異なるようになっている。
【０１４７】
椅子コンポーネントは、座部であるのが良く、椅子は、背もたれ部のリクライニング動作時に、座部を上方に動かすよう構成されたリクライニング機構体を有するのが良く、選好制御装置は、リクライニング機構体に組み込まれている。
【０１４８】
好ましくは、リクライニング機構体は、背もたれ部のリクライニング動作時に、座部を持ち上げるよう構成される。好ましくは、座部は、背もたれ部のリクライニング動作時に、持ち上がると共に後方に動く。好ましくは、座部は、座部が持ち上がると共に後方に動くと、後方傾斜角が増大する。
【０１４９】
リクライニング機構体は、背もたれ部のリクライニング動作時に、座部を後方に引っ張る引き具を有するのが良く、選好制御装置は、背もたれ部と引き具との間に設けられるのが良い。変形例として、選好制御装置は、引き具と座部との間に設けられても良い。選好制御装置は、異なる形式のリクライニング機構体を有する椅子に用いられる場合がある。
【０１５０】
椅子コンポーネントは、リクライニングばねであるのが良く、選好制御装置は、全体としてリクライニングされた位置に向かう背もたれ部の変位量が所与の場合、リクライニングばねの変位量を変化させるよう調整可能であるのが良い。
【０１５１】
好ましくは、選好制御装置は、座部について最大のメカニカルアドバンテージ設定値及び最小のメカニカルアドバンテージ設定値を提供する。好ましくは、選好制御装置は、背もたれ部について少なくとも１つの中間メカニカルアドバンテージ設定値を提供する。好ましくは、選好制御装置は、背もたれ部について少なくとも２つの中間メカニカルアドバンテージ設定値を提供する。
【０１５２】
椅子は、好ましくは、ユーザが背もたれ部の所望のメカニカルアドバンテージを選択することができるようにする少なくとも１つのアクチュエータを有する。リクライニング機構体は、複数個のアクチュエータを備えるのが良い。アクチュエータは、任意適当な形式のものであって良い。
【０１５３】
上述の態様の１つ又は２つ以上は、椅子に通常の前方の向きで着座したときに着座した人の背中の腰部領域に対して追加の支持を行う腰部支持体を備えるのが良く、腰部支持体は、着座した人の背中の下方部分の２つの側部について実質的に独立した支持体となる２つの互いに間隔をおいた着座者支持部分を有する。
【０１５４】
本発明に関連した当業者には、特許請求の範囲に記載された本発明の範囲から逸脱することなく、本発明の多種多様な実施形態及び用途における構成上の多くの変更が想到されよう。本明細書における開示内容及び説明は、純然として例示であり、いかなる意味においても本発明を限定するものではない。
【０１５５】
本発明の技術分野における既知の同等の値を有する特定の数が本明細書において言及されている場合、このような既知の同等の値は、あたかも個々に記載されているかのように本明細書に組み込まれているものと見なされる。
【０１５６】
本発明は、上記のことから成り、更に、以下において例示として与えられるに過ぎない構成を想定している。
【０１５７】
本発明をより完全に理解できるようにするために、次に、添付の図面を参照して幾つかの実施形態を例示として説明する。
【図面の簡単な説明】
【０１５８】
【図１】第１の好ましい形態の椅子の側面図である。
【図２】図１の椅子の好ましい形態のリクライニング機構体の詳細側面図である。
【図３】図２のリクライニング機構体の前方且つ下方側斜視図である。
【図４】図２のリクライニング機構体の後方且つ下方側斜視図である。
【図５】図２のリクライニング機構体の側面図であり、背もたれ部がリクライニング作用を受けたときの部材の変形を示す図である。
【図６ａ】好ましい形態の椅子の補助支持機構体の図であり、座部が弛緩形態の状態を示す図である。
【図６ｂ】好ましい形態の椅子の補助支持機構体の図であり、座部が着座した人を支持している形態にある状態を示す図である。
【図６ｃ】好ましい形態の椅子の補助支持機構体の図であり、座部が前方傾斜形態にある状態を示す図である。
【図６ｄ】好ましい形態の椅子の補助支持機構体の図であり、座部がリクライニング形態にある状態を示す図である。
【図７】図１の椅子の好ましい形態の座部パンの上方側斜視図である。
【図８】図７の座部パンの平面図である。
【図９】図７の座部パンの下方側斜視図である。
【図１０】図７の座部パンの底面図である。
【図１１】図１の椅子の座部の好ましい傾斜動作を示す概略正面図である。
【図１２】図１の椅子の座部の側部の好ましい撓み動作を示す概略正面図である。
【図１３】図１の椅子の座部の側部の好ましい撓み動作を示す前方且つ上方側斜視図である。
【図１４】図１の支持フレームの上から見た斜視図であり、座部の深さを調整する好ましい形態の機構体を示す図である。
【図１５】図１の椅子の座部の概略底面図であり、アクチュエータ及び選択的座部深さ調整を行うコントローラを示すと共にコントローラがロック位置にある状態を示す図である。
【図１６】図１５に類似しているが、コントローラが解除位置にある状態を示す図である。
【図１７】好ましい形態のクッション構成体を備えた図７の座部パンの分解組立て前方側斜視図である。
【図１８】図１７のコンポーネントの分解組立て下方側斜視図である。
【図１９】図１７のクッション構成体のばね構造体の下方側斜視図である。
【図２０】図１９のばね構造体の平面図である。
【図２１】図１７のクッション構成体のカバーの平面図である。
【図２２】図２１のカバーの下方側斜視図である。
【図２３】図１の椅子の好ましい形態の背もたれ部のリクライニング動作を示す側面図である。
【図２４】図１の椅子の好ましい形態の背もたれ部の後方側斜視図であり、可撓性の領域を示す図である。
【図２５】図２４に類似した図であり、ねじり動作を示す図である。
【図２６】ひじ掛けのための取り付け領域を示す背もたれフレームの背面図である。
【図２７】図１の椅子の好ましい形態の背もたれ部の下方部分のための支持ブロックの詳細側面図であり、下方部分が支持ブロックに対して前方に動かされている状態を示す図である。
【図２８】図２７に類似しているが、下方部分が支持ブロックと係合関係にある状態を示す図である。
【図２９】図２７に示す区分の上方側斜視図であり、下方部分が支持ブロックと係合関係にある状態を示す図である。
【図３０】図１の椅子の背もたれ部の後ろ上方側斜視図であり、上方区分を直立形態で示す図である。
【図３１】図１の椅子の背もたれ部の側面図であり、上方区分を直立形態で示す図である。
【図３２】図１の椅子の背もたれ部の後ろ上方側斜視図であり、上方区分を折り曲げ形態で示す図である。
【図３３】図１の椅子の背もたれ部の側面図であり、上方区分を折り曲げ形態で示す図である。
【図３４】図１の椅子の背もたれ部の詳細側面図であり、上方区分の特徴を示す図である。
【図３５ａ】成形されたばかりの形態の図１の椅子の好ましい形態の背もたれカバー／外皮の正面図である。
【図３５ｂ】引き伸ばし形態にある図３５ａの背もたれカバー／外皮の正面図である。
【図３５ｃ】弛緩形態にある図３５ａの背もたれカバー／外皮の正面図である。
【図３６ａ】図３５ａ〜図３５ｃのカバー／外皮を背もたれフレームに取り付ける好ましい方法の概略前上方側斜視図であり、外皮が成形されたばかりの形態にある状態を示す図である。
【図３６ｂ】図３５ａ〜図３５ｃのカバー／外皮を背もたれフレームに取り付ける好ましい方法の概略前上方側斜視図であり、外皮が引き伸ばし形態にある状態を示す図である。
【図３６ｃ】図３５ａ〜図３５ｃのカバー／外皮を背もたれフレームに取り付ける好ましい方法の概略前上方側斜視図であり、外皮が弛緩形態にある状態を示す図である。
【図３７】カバー／外皮の下端部を図１の椅子の背もたれ部に取り付ける好ましい形態の構造の略図である。
【図３８】カバー／外皮の上端部を図１の椅子の背もたれ部に取り付ける好ましい形態の構造の略図である。
【図３９】図１のカバー／外皮及び背もたれフレームに設けられた取り付け特徴部を示す詳細図である。
【図４０】図１の椅子の背もたれ部の後方且つ上方側斜視図であり、カバー／外皮を背もたれフレームに取り付ける好ましい形態の構造を示す図である。
【図４１】図１の椅子の背もたれ部に組み込まれた好ましい形態のアーム組立体の前方且つ上方側斜視図である。
【図４２】アーム組立体を備えた図１の椅子の背もたれ部の後方且つ上方側斜視図である。
【図４３】大人が図１の好ましい形態の椅子に側方から着座している状態を示す概略平面図である。
【図４４】図１の椅子の概略側面図であり、ひじ掛けの高さ調整の仕方を示す図である。
【図４５ａ】ひじ掛け及び支持体構造の斜視図である。
【図４５ｂ】図４５ａのＢ−Ｂ線に沿った支持構造の平面断面図である。
【図４６】図４１のアーム組立体の１つの分解組立て斜視図である。
【図４７】図１の椅子に組み込まれる前のアーム組立体のコンポーネントの幾つかの図であり、アーム組立体の高さ調整を可能にする機構体の細部を示す図である。
【図４８】アーム組立体の好ましい形態の高さ調整機構体の一部の平面図である。
【図４９ａ】ひじ掛けのための好ましい形態のクッションの略図である。
【図４９ｂ】図４９ａのクッションの好ましい形態のばね構造体の上方側斜視図である。
【図４９ｃ】図４９ａのクッションの好ましい形態のばね構造体の側面断面図である。
【図５０】別の好ましい形態のアーム組立体を有する第１の好ましい形態の椅子の概略側面図である。
【図５１】図１の椅子のための好ましい形態のキャスタ付きベースの側面断面図である。
【図５２】図５１のキャスタ付きベースの分解組立て上方側斜視図である。
【図５３】第２の好ましい形態の椅子のリクライニング機構体の側面図であり、背もたれ部が直立位置にある状態を示す図である。
【図５４】図５３に類似しているが、背もたれ部が中間リクライニング位置にある状態を示す側面図である。
【図５５】図５３に類似しているが、背もたれ部が別のリクライニング位置にある状態を示す側面図である。
【図５６】第３の好ましい形態の椅子の側面図である。
【図５７】図５６の椅子の好ましい形態のリクライニング機構体の側面図である。
【図５８】図５７のリクライニング機構体の前方且つ下方側斜視図である。
【図５９】図５７のリクライニング機構体の後方且つ下方側斜視図である。
【図６０】図５７のリクライニング機構体の側面図であり、背もたれ部がリクライニング動作を行っているときの部材の変形を示す図である。
【図６１】図５６の椅子の座部の一部を形成する好ましい形態の座部パネルの上方側斜視図である。
【図６２】図６１の座部パネルの平面図である。
【図６３】図６１の座部支持体及び座部パネルの下方側斜視図である。
【図６４】図６１の座部支持体及び座部パネルの上方側の図である。
【図６５】図５６の椅子の座部の好ましい傾動動作を示す概略正面図である。
【図６６】図５６の椅子の座部の側部の好ましい撓み動作を示す概略正面図である。
【図６７】図５６の椅子の座部の側部の好ましい撓み動作を示す前方且つ上方側斜視図である。
【図６８】図５６の椅子の支持フレームの上方側斜視図であり、座部深さを調整する好ましい形態の機構体を示す図である。
【図６９】図５６の椅子の座部の概略底面図である。
【図７０】図６９の７０−７０線に沿った断面図であり、アクチュエータ及び選択的座部深さ調整を行うコントローラを示すと共にコントローラがロック位置にある状態を示す図である。
【図７１】図７０に類似しているが、コントローラが解除位置にある状態を示す図である。
【図７２】図５６の椅子の好ましい形態の背もたれ部のリクライニング動作を示す側面図である。
【図７３】図５６の椅子の好ましい形態の背もたれ部の後方側斜視図であり、可撓性の領域を示す図である。
【図７４】図７３に類似しているが、背もたれ部の上方部分のねじり動作を示す図である。
【図７５】背もたれフレームの背面図であり、ひじ掛け支持体のための取り付け領域を示す図である。
【図７６】図５６の椅子の背もたれ部の後方且つ上方側斜視図であり、上方区分を直立形態で示す図である。
【図７７】図５６の椅子の背もたれ部の側面図であり、上方区分を直立形態で示す図である。
【図７８】図５６の椅子の背もたれ部の後ろ上方側斜視図であり、上方区分を折り曲げ形態で示す図である。
【図７９】図５６の椅子の背もたれ部の側面図であり、上方区分を折り曲げ形態で示す図である。
【図８０】図５６の椅子の背もたれ部の詳細側面図であり、上方区分の特徴を示す図である。
【図８１ａ】成形されたばかりの形態の図５６の椅子の好ましい形態の背もたれカバー／外皮の正面図である。
【図８１ｂ】引き伸ばし形態にある図８１ａの背もたれカバー／外皮の正面図である。
【図８１ｃ】弛緩形態にある図８１ａの背もたれカバー／外皮の正面図である。
【図８２ａ】図８１ａ〜図８１ｃのカバー／外皮を背もたれフレームに取り付ける好ましい方法の概略前上方側斜視図であり、外皮が成形されたばかりの形態にある状態を示す図である。
【図８２ｂ】図８１ａ〜図８１ｃのカバー／外皮を背もたれフレームに取り付ける好ましい方法の概略前上方側斜視図であり、外皮が引き伸ばし形態にある状態を示す図である。
【図８３ｃ】図８１ａ〜図８１ｃのカバー／外皮を背もたれフレームに取り付ける好ましい方法の概略前上方側斜視図であり、外皮が弛緩形態にある状態を示す図である。
【図８４】カバー／外皮の下端部を図５６の椅子の背もたれ部に取り付ける好ましい形態の構造の略図である。
【図８５】カバー／外皮の上端部を図５６の椅子の背もたれ部に取り付ける好ましい形態の構造の略図である。
【図８６ａ】椅子の背もたれ部の背面図であり、好ましい形態の「蝶ネクタイ」特徴部を示す図である。
【図８６ｂ】蝶ネクタイ特徴部の正面図であり、取り付け特徴部を示す図である。
【図８７ａ】図５６の椅子の背もたれ部への蝶ネクタイ特徴部を取り付ける好ましい形態の構造の図である。
【図８７ｂ】凹み区分内のカバー及び蝶ネクタイ特徴部を形成する後側カバーの好ましい形態の取り付け方法における第１のステップを示す図である。
【図８７ｃ】凹み区分内のカバー及び蝶ネクタイ特徴部を形成する後側カバーの好ましい形態の取り付け方法における第２のステップを示す図である。
【図８７ｄ】凹み区分内のカバー及び蝶ネクタイ特徴部を形成する後側カバーの好ましい形態の取り付け方法における第３のステップを示す図である。
【図８８】図５６の椅子の背もたれ部の後方且つ上方側斜視図であり、背もたれフレームへのカバー／外皮の好ましい形態の取り付け構造を示す図である。
【図８９】図５６の椅子の背もたれ部に組み込まれた好ましい形態のアーム組立体の前方且つ上方側斜視図である。
【図９０】アーム組立体を備えた図５６の椅子の背もたれ部の後方且つ上方側斜視図である。
【図９１】大人が図５６の好ましい形態の椅子に側方から着座している状態を示す概略平面図である。
【図９２】図５６の椅子の概略側面図であり、ひじ掛けの高さ調整の仕方を示す図である。
【図９３】ひじ掛け及び支持体構造の斜視図である。
【図９４】図９３の９４−９４線に沿った支持構造の平面断面図である。
【図９５】図４１のアーム組立体の１つの分解組立て斜視図である。
【図９６】図５６の椅子に組み込まれる前のアーム組立体のコンポーネントの幾つかの図であり、アーム組立体の高さ調整を可能にする機構体の細部を示す図である。
【図９７】アーム組立体の好ましい形態の高さ調整機構体の一部の平面図である。
【図９８】図９３の９８−９８線矢視側面断面図であり、好ましい形態のばね構造体を示す図である。
【図９９】図５６の椅子の好ましい形態の高さ調整ペデスタル制御機構体の側面図であり、機構体を弛緩状態で示す図である。
【図１００】図９９に類似しているが、機構体を作動状態で示す側面図である。
【図１０１】図９９の高さ調整ペデスタル制御機構体の補償機構体の側面図であり、高さ調整ペデスタルを比較的高い取り付け位置で示す図である。
【図１０２】図１０１に類似しているが、高さ調整ペデスタルを比較的低い取り付け位置で示す側面図である。
【図１０３】背もたれ部の機械的利点を調整する図５６の椅子の好ましい形態の選好制御装置の後方且つ上方側分解組立て斜視図である。
【図１０４】図５６の椅子の一部の側面図であり、背もたれ部がリクライニングされていない場合における選好制御装置を１つの調節位置で示す図である。
【図１０５】図５６の椅子の一部の側面図であり、背もたれ部がリクライニングされている場合の選好制御装置を１つの調整位置で示す図である。
【図１０６】最大機械的利点設定値を示す選好制御装置の側面図である。
【図１０７】図１０６に類似しているが、機械的利点が図１０６の位置よりも低い第１の中間機械的利点設定値を示す図である。
【図１０８】図１０７に類似しているが、機械的利点が図１０７の位置よりも低い第２の中間機械的利点設定値を示す図である。
【図１０９】図１０７に類似しているが、機械的利点が最も低い最低機械的利点設定値を示す図である。
【図１１０】図５６の椅子の背もたれ部の一部の前方且つ上方側斜視図であり、好ましい形態の腰部支持体を示す図である。
【図１１１】図１１０に示す椅子の背もたれ部の正面図である。
【図１１２】図１１１の１１２−１１２線に沿った椅子の背もたれ部の側面断面図である。
【図１１３】腰部支持体の前方且つ上方側斜視図であり、腰部支持体の側部の独立運動を示す図である。
【発明を実施するための形態】
【０１５９】
図は、或る特定の部分を説明するために便宜上、好ましい形態の椅子を種々の角度から示しているので、“Ｆ”で示された矢印は、適宜、椅子の前方方向を示すために図に挿入されている。したがって、前方、後方、左側及び右側という用語（又はこれらに類似した用語）は、必ずしも特定の図に示された向きに関してではなく、椅子の前方方向Ｆに対するものである。
【０１６０】
好ましい形態の椅子のコンポーネント及び作用の完全に理解できるように、好ましい形態の椅子の特徴が図示されると共に本明細書において説明される。理解されるように、本明細書において説明した特徴の全てを全ての椅子に設ける必要はない。
【０１６１】
図１は、座部１３及び背もたれ部１５を備えた主組立体を有するオフィス用椅子１０を示している。座部１３及び背もたれ部１５は、支持フレームによって地面よりも上方に作動的に支持され、この支持フレームは、主組立体の選択的高さ調整のための空気ばね１９を収納した中央支柱１７を備えた車輪付き、即ちキャスタ付きベース１１を有する。ベース１１、支柱１７及びばね１９は、高さ調整ペデスタルを形成している。空気ばねの上端部は、椅子の主トランサム２１に連結されている。キャスタ付きベース１１、空気ばね１９及び主トランサムは、全て、支持フレームの一部を形成している。
【０１６２】
以下において、キャスタ付きベースの細部については図５１及び図５２を参照して説明し、主トランサムの細部については図１〜図５を参照して詳細に説明する。
背もたれ部
【０１６３】
図２３〜図２９を参照すると、背もたれ部１５は、背もたれフレーム２５を有している。背もたれフレームは、相対的に幅の広い下方部分２７、下方部分から垂直方向に間隔をおいて設けられた相対的に幅の広い上方部分２９及び下方部分と上方部分を相互に連結する相対的に幅の狭い相互連結領域３１を有している。下方部分２７は、着座した大人の背中の下方領域の少なくとも大部分を横切って延びると共にこれを支持するようになっており、上方部分は、着座した人の背中の上方領域の少なくとも大部分を横切って延びると共にこれを支持するようになっている。完成状態の椅子では、背もたれフレーム２５は、ぴんと引っ張られると共に図３５ａ〜図４０と関連してより詳細に説明する仕方で着座した人の背中の支持面となるよう背もたれフレームの上端部及び下端部に作動的に連結されたカバー６１を有している。
【０１６４】
下方部分２７は、横方向に延びる頂部材３３、横方向に延びる底部材３５及び頂部材と底部材を互いに連結する少なくとも２つの互いに間隔をおいた全体として垂直の部材３７ａ，３７ｂを有する。図示の形態では、垂直部材３７ａ，３７ｂは、各々、横方向頂部材及び横方向底部材のそれぞれの端部のところに位置決めされている。しかしながら、変形実施形態では、垂直部材は、横方向部材の端部から見て内方に位置決めされても良い。
【０１６５】
相対的に幅の狭い相互連結領域は、全体として着座した大人の腰部領域の付近又はこれよりも上方に位置決めされるよう構成されている。
【０１６６】
頂部材３３及び底部材３５は、座部の前から見て全体として凹状であり、頂部材及び底部材の外端部が着座した大人の背中の下方領域の側部の周りに延びるほど十分幅が広く、その結果、背もたれフレームの下方部分は、着座した人の背中の下方領域を「カップ状に包囲する」ようになっている。
【０１６７】
上方部分２９は、横方向に延びる頂部材３９、横方向に延びる底部材２５及び頂部材と底部材を互いに連結する少なくとも２つの互いに間隔をおいた全体として垂直の部材４３ａ，４３ｂ，４５ａ，４５ｂを有している。図示の形態では、上方部分は、４つの垂直部材を有し、その目的については図３０〜図３４を参照して以下に説明する。この場合も又、全体として垂直の部材は、横方向頂部材及び横方向底部材のそれぞれの端部のところ又はこれに向かって位置決めされるのが良い。一実施形態では、頂部材３９は、背もたれ部の上から見て全体として直線状であり（例えば図３を参照）、或いは、背もたれ部の前から見て全体として凹状であるのが良い。底部材４１は、背もたれ部の前から見て全体として凹状である。したがって、上方部分２９も又、着座した大人の背中を「カップ状に包囲する」が、但し、大人の背中の上方領域が大人の背中の下方領域よりも典型的には平べったく且つ幅が広いので、下方部分２７の場合よりもカップ状に包囲する程度が低い。
【０１６８】
相対的に幅の狭い相互連結領域３１は、上方部分の横方向底部材４１及び下方部分の横方向頂部材３３に連結された全体として垂直の部材によって画定されている。相対的に幅の狭い相互連結領域３１は、下方部分２７に対する上方部分２９の後方の方向における撓み運動を生じさせるよう弾性的に撓むことができる構造のものである。撓みは、図２３及び図２４において矢印Ｒ1によって示されている。
【０１６９】
相対的に幅の狭い相互連結領域３１は、図示のように単一の部材から成るのが良く、或いは、変形例として、２つ以上の部材から成っていても良い。
【０１７０】
背もたれ部は、少なくとも１つの支持部材４７ａ，４７ｂを有し、このような支持部材は、背もたれ部を椅子の別の部分、例えば支持フレームの主トランサム、座部から又は座部と支持フレームの両方から支持する手段となるよう下方部分２７から延びている。図示の形態では、背もたれ部は、２つの水平に間隔をおいた支持部材を有する。支持部材４７ａ，４７ｂは、背もたれフレームの下方部分の頂縁部のところ又はこれに隣接したところで背もたれフレームの下方部分２７に連結されている。図示の形態では、支持部材は、背もたれフレームの下方部分の横方向頂部材３３に連結されている。背もたれフレームの下方部分２７の下方領域には、図２３に示すように支持部材への連結部が設けられていない。
【０１７１】
支持部材４７ａ，４７ｂは、支持部材の下方部分に対する後方の方向における支持部材の上方部分の撓み運動を生じさせるよう弾性的に撓むことができる構造のものである。撓み運動は、図２３及び図２４において矢印Ｒ2で示されている。図２３に示されているように、下方部分２７の下方領域には支持部材への連結部が設けられていないので、その結果として、支持部材が撓むと、支持部材に対する背もたれフレームの下方部分の下方領域の前方運動が生じることになろう。
【０１７２】
変形形態では、支持部材４７ａ，４７ｂは、一段と間隔をおいて設けられると共にこれらの部材に沿う任意の場所でコンポーネント３７ａ，３７ｂに連結されても良い。例えば、各支持部材４７ａ，４７ｂは、部材３７ａ，３７ｂと横部材３３の交差部のところでそれぞれの部材３７ａ，３７ｂに連結されても良い。別の例として、支持部材４７ａ，４７ｂは、コンポーネント３７ａ，３７ｂにこれらの下端部のところ又はこれらに隣接したところで取り付けられても良い。
【０１７３】
図示の形態では、水平方向に間隔をおいた支持部材４７ａ，４７ｂは、一体形横方向コネクタ部材４９によってこれらの下端部のところで互いに結合されている。横方向コネクタ部材は、全体として前方に差し向けられたＶ字形形態で延びる上方コネクタ４９ａ及び下方コネクタ４９ｂを有している。
【０１７４】
背もたれフレームと支持部材は、一体構造のものであり、例えばポリマー材料から成形されるのが良い。
【０１７５】
支持部材４７ａ，４７ｂは、撓みが実質的に前方／後方の方向に制限されるよう構成されるのが良く、即ち、各支持部材の撓みは、各支持部材を前方／後方の方向に通って延びる平面内で起こる。
【０１７６】
図２５を参照すると、相互連結領域は、ねじり動作で、相対的に幅の狭い相互連結領域に沿って延びる軸線回りにねじれる（Ｔ1）ように構成されており、それにより、背もたれフレームの上方部分は、全体としてＴ2で示されているように背もたれフレームの下方部分に対してねじれることができる。このような形態により、背もたれフレームの上方部分２９は、着座した人が椅子に着座した状態で自分の肩領域を回すと、下方部分２７に対してねじれることができる。上方部分は、いずれの方向にもねじれることができることが解る。背もたれフレームの下方部分も又、上方部分よりも程度が低いが、部材４７ａ，４７ｂに実質的に平行に且つこれらの間に延びる軸線回りにねじれるようになっていることが好ましい。下方部分のねじれは、支持部材４７ａ，４７ｂの可撓性によって可能になる。下方部分のねじれの量は、好ましくは、上方部分のねじれの量よりも少ない。
【０１７７】
可撓性が相互連結領域及び支持部材によって得られるので、背もたれフレームの上方部分及び（又は）下方部分は、実質的に剛性であるのが良い。変形実施形態では、背もたれフレームの上方部分及び（又は）下方部分は、弾性構造のものであって良い。
【０１７８】
図２７に示されているように、背もたれフレームの下方部分は、図４４〜図４９ｃを参照して以下に詳細に説明するように、ひじ掛けを背もたれ部から片持ち方式で支持するひじ掛け支持体５１ａ，５１ｂを有するのが良い。
【０１７９】
図２７〜図２９に示されているように、背もたれ部は、支持部材に対する背もたれフレームの底部の後方運動を制限する支持ブロック５３を有している。横部材５５が、支持ブロックの取付けのために支持部材４７ａ，４７ｂ相互間に延びている。支持ブロックは、係合部材５９の湾曲面を受け入れる湾曲凹部５７を有している。係合部材は、背もたれフレームの下方部分の横方向底部材３５に取り付けられている。図示の形態では、係合部材は、球形であるが、任意他の適当な形状のものであって良い。
【０１８０】
支持ブロック５３及び係合部材５９は、椅子に座っている人が椅子から離れる際にひじ掛けを役立たせるようひじ掛けを下に押すときにひじ掛けに及ぼされる下向きの荷重を支持部材４７ａ，４７ｂに、それにより使用中に支持部材を支持している椅子の部分に伝えるのに役立つ。湾曲凹部及び（又は）湾曲係合部材を設けることにより、背もたれフレームの下方部分のねじり運動中、支持体の回動動作が得られる。
【０１８１】
図示の形態では、支持ブロックは、支持部材に取り付けられ（横部材を介して）、係合部材は、背もたれフレームに取り付けられている。変形例として、この構成が逆であっても良い。
【０１８２】
椅子は、複数の支持ブロック及び複数の係合部材を備えることができる。
【０１８３】
図３５ａ〜図４０を参照すると、弾性的に撓むことができるカバーが、ぴんと引っ張られると共に着座した人の背中のための支持面となるよう背もたれフレームに作動的に連結されている。このカバーは、複数の長手方向に延びる細長い部材６３ａ及び複数の横方向に延びる細長い部材６３ｂを備えた不織メッシュの形態をしている。カバー６１は、ポリマー成形品として形成され、成形されたばかりの形態が、図３５ａに示されている。図３５ａ及び図３６ａを参照すると、成形されたばかりのカバーの寸法、図示の形態では、初期幅ＩＷは、背もたれフレームの対応の寸法よりも小さい。カバーを背もたれフレームにいつでも取り付けることができるようにするために、カバーは、カバーの引き伸ばし寸法、即ち、引き伸ばし幅ＳＷが、背もたれフレームの対応の寸法よりも大きいように引き伸ばされる（Ｓ）。これについては、図３５ｂ及び図３６ｂを参照されたい。次に、カバーは、成形されたばかりの寸法と引き伸ばし寸法との間の弛緩後寸法、即ち弛緩幅ＩＷを呈するよう弛緩される（Ｒ）。これについては、図３５ｃ及び図３６ｃを参照されたい。好ましくは、弛緩後寸法は、背もたれフレームの上述の寸法とほぼ同じである。次に、カバーは、背もたれフレームで支持されるのが良い。
【０１８４】
背もたれ部は、図３６ａ〜図３６ｃに概略的に示されているが、好ましくは、背もたれフレームを備えた上述の形式のものであることが解る。しかしながら、この種のカバー及び方法は、互いに異なる背もたれ部に利用できる。
【０１８５】
カバーを横方向に引き伸ばし、次にリラックスさせる即ち緩める（弛緩させる）と、細長い横方向部材６３ｂがこれらの長さに沿って引き伸ばされ、次に弛緩される。
ポリマー材料は、適切には、エラストマー材料、例えば熱可塑性ポリウレタンエラストマー（ＴＰＵ）又はナイロンエラストマーである。最も好ましくは、ポリマー材料は、HYTRELであり、これは、デュポン（De Pont）社から入手できる熱可塑性ポリエステルエラストマーである。
【０１８６】
HYTRELは、硬質結晶性ポリブチレンテレフタレート（ＰＢＴ）及び軟質非晶質ポリエーテルグリコールから作られる。ポリマー部材の長さを引き伸ばすことにより、歪の配向が生じる。成形されたばかりの製品では、重合体鎖は、比較的ランダムである。歪配向に続き、重合体鎖は、整列状態になる。これにより、材料の性質が変化する。典型的には、材料は、より強固に且つより弾性になり、即ち、弾性限度が成形されたばかりの材料と比較して増大する。例えば、HYTREL６３ｘｘシリーズに関し、線弾性歪限度は、典型的には、１４％から２８％に増大する。所要の配向は、HYTREL６３５６については約３７０％からHYTREL６０６９については約７５０％までの範囲にわたる。即ちストランドの引き伸ばし寸法は、HYTREL６３５６については成形されたばかりの寸法の約３．７倍であることが必要であり、HYTREL４０６９については成形されたばかりの寸法の約７．５倍であることが必要である。歪配向は、他のエラストマーでも起こる場合があり、したがって、引き伸ばし寸法と成形されたばかりの寸法の比は、材料に応じて様々であることは解る。
【０１８７】
引き伸ばし寸法と成形されたばかりの寸法の比率は、カバー全体について様々な特性を与えるには、カバーの互いに異なる部分について様々であるのが良い。例えば、カバーの相対的に幅の狭い領域は、カバーの他の部分とは異なる程度に引き伸ばされる場合がある。
【０１８８】
本発明の方法は、歪配向が起こる任意の材料又は材料の性質が材料の引き伸ばし及び弛緩によって有利に変更される任意の材料に利用できる。
【０１８９】
用いられる材料に応じて、カバーの引き伸ばし寸法ＳＷは、好ましくは、引き伸ばし方向におけるストランドの引き伸ばし長さが成形されたばかりの長さの約３倍〜約１０倍、より好ましくは成形されたばかりの長さの約３倍〜約８倍であるようなものである。引き伸ばし寸法ＳＷと成形されたばかりの寸法ＩＷの比は、それに応じて計算される。弛緩後寸法ＲＷは、適切には、結果的にストランドの弛緩後長さが所望の値であるような値である。好ましくは、引き伸ばし寸法におけるストランドに関し、引き伸ばし長さは、好ましくは、成形されたばかりの長さの約６倍〜１／２倍である。HYTREL６３５６が用いられる場合、長さ寸応は、好ましくは、成形されたばかりの長さの約３．２５倍〜約４．２５倍、最も好ましくは約３．７倍である。HYTREL４０６９が用いられる場合、引き伸ばし長さは、好ましくは、成形されたばかりの長さの約５倍〜約８倍、より好ましくは約６倍〜約７倍、最も好ましくは約６．５倍である。各細長い横方向部材の横方向ストランドは、長手方向部材によって互いに交差されることが解る。長手方向部材の幅方向における長手方向部材の引き伸ばしは、細長い横方向部材のストランドの引き伸ばしよりも少なく、したがって、カバー全体に関する寸法変化は、ストランドに関する寸法変化よりも少ないである。
【０１９０】
本明細書において開示する数の範囲に関する記載（例えば、１〜１０）は又、その範囲に属する全ての有理数（例えば、１，１．１，２，３，３．９，４，５，６，６．５，７，８，９，１０）の記載及び更にその範囲に属する有理数の任意の範囲（例えば、２〜８，１．５〜５．５及び３．１〜４．７）の記載を含み、したがって、本明細書において明示的に開示された全ての範囲の全ての小範囲は、本明細書に明示的に開示されていることが意図されている。これらは、特別な意図の例示であるに過ぎず、列記された最も小さな値と最も大きな値との間の数値の考えられる全ての組み合わせが、同様な仕方で本願において明示的に記載されていると見なされるべきである。
【０１９１】
本発明の方法は、起毛した表面を提供するようカバーの少なくとも一表面を研磨するステップを更に有するのが良い。一般的に、この表面は、着座する人が使用に当たって座る前面である。研磨は、成形に続いて行われ、又、引き伸ばしステップ又は弛緩ステップの前又は後に行われるのが良い。
【０１９２】
図３５ａに示されているように、細長い長手方向部材６３ａ，６３ｂの上端部及び下端部は、カバーを背もたれフレームに取り付けるための取付け部材６５ａ，６５ｂの形態をした一体成形取付け特徴部を備えている。取付け部材は、背もたれフレームに設けられた凹部内に受け入れ可能な拡大ヘッドの形態をしている。図３７に示されているように、下方ヘッド６５ｂは、好ましくは、背もたれフレームの裏面の周りに延びると共に凹部６７ｂ内に受け入れられ、図３８に示されているように、上方ヘッド６５ａは、好ましくは、上方から凹部６７ａ内に延びている。カバーが弾性なので、ヘッドをいったん凹部内に嵌め込むと、カバーの弾性により、ヘッド６５ａがヘッド６５ｂに引き寄せられてヘッドは、凹部と嵌合状態に保たれる。
【０１９３】
図３９は、ヘッド６５ａ，６５ｂ及び凹部６７ａ，６７ｂに関する適当な形態を示している。ヘッド６５ａ，６５ｂは、相対的に幅の狭い第１のフェース又は前面６５ｃ及び相対的に幅の広い第２のフェース又は後面６５ｄを有し、テーパした側壁６５ｅが、前面と後面との間に延びている。同様に、凹部は、相対的に幅の広いベース６７ｃ及び相対的に幅の狭い開口部６７ｄを有し、テーパした側壁が、ベースと開口部との間に延びている。スロットが、細長い部材６３ａを受け入れ可能に凹部から延びている。カバー材料の弾性により、ヘッド６５ａ，６５ｂは、矢印の方向に自然に引かれ、それによりヘッドは、凹部内の定位置に位置した状態に維持される。テーパした側壁は、ヘッドが凹部から引き出されるのを阻止する。同様な凹部をヘッド６５ｂのための背もたれフレームの後側に設けるのが良い。
【０１９４】
図４０は、カバーの側部を背もたれフレームの上方部分２９及び下方部分２７に取り付ける適当な手段を示している。カバーの側部は、好ましくは、フレームの複数の部分を包囲すると共にこれらを捕捉し、それによりカバーを背もたれフレーム上の定位置に維持するよう構成されている。即ち、カバーの側部は、背もたれフレームの複数の部分を受け入れるような寸法形状のポケット６９ａ，６０ｂ，７１ａ，７１ｂ（図３５ａ）を形成するのが良い。カバーには、背もたれフレーム３１の相対的に幅が狭い相互連結領域への接続部を設けられていないのが良く、カバーは、背もたれフレームの上方部分２９と下方部分２７との間に吊り下げられるのが良い。
【０１９５】
任意他の適当な連結手段を用いてカバーを背もたれフレームに連結し、カバーを背もたれフレームで支持することができる。例えば、別個の締結具を用いてカバーとフレームと互いに連結することができる。別の手段として、１つ又は２つ以上の保持ストリップを用いてカバーをフレームに連結しても良い。
【０１９６】
弛緩ステップと支持ステップは、同時に実施されても良い。即ち、カバーを弛緩させて直接背もたれフレーム上に取り付け、そして弛緩が生じるとフレームをポケット中に捕捉することができる。
【０１９７】
しかしながら、本発明の方法により、互いに異なるステップを所望ならば別々の時点で且つ（或いは）別々の場所で実施することができる。例えば、カバーを製造ステップの一部として、予備成形し、引き伸ばし、そして弛緩させ、次に別の場所に送り、そして椅子フレームで支持することができる。変形例として、成形されたばかりのカバーを予備引き伸ばし状態で送り、次に引き伸ばして弛緩させ、そして椅子に連結することができる。
【０１９８】
図示の形態では、カバーは、横方向（幅寸法方向）に引き伸ばされて弛緩させられるが、代替的に又は追加的に、カバーを長手方向又は長さ寸法方向に引き延ばして弛緩させても良く、したがって、カバーを引き伸ばして弛緩させているときに全体として長手方向に延びる細長い部材が引き伸ばされ、次に弛緩させられる。変形例として、カバーを横方向と長手方向の両方に引き伸ばして弛緩させても良い。引き伸ばしステップは、カバーを３６０°引き伸ばすステップから成るのが良い。これは、カバーが不規則な形態の部材又は斜め部材を有する場合に特に有用である。
【０１９９】
同じ方法を用いてカバーを座部フレームで支持して座部を形成することができる。
【０２００】
図３５ａ、図３５ｂ、図３５ｃ及び図４０から、カバーは、互いに反対側の側部からカバーの各側中に延びる凹み区分７３ａ，７３ｂを有していることが解る。凹み区分は、着座した人のひじのための隙間空間を形成するよう、全体として垂直位置が背もたれフレームの相対的に幅の狭い相互連結領域３１に対応している。
【０２０１】
椅子は、以下に説明するようなひじ掛けを備えるのが良く、この場合、凹み区分は、好ましくは、着座した人の腕がひじ掛け上に支持されると、着座した人のひじのための隙間空間を形成する。
【０２０２】
カバーは、弾性的に撓むことができ、相対的に幅の狭い相互連結領域も又弾性なので、背もたれ部の形態は、着座した人が後ろ向きの力をカバーに加えると、背もたれフレームの下端部が支持部材に対して前方に動いて前向きの力を着座している人の背中の下方領域に及ぼすような形態である。
【０２０３】
次に図３０〜図３４を参照すると、背もたれフレームの上方部分２９は、背もたれ部の垂直方向全高を減少させるよう上側部分の残部２９ｂに対して選択的に後方に折り曲げられるようになった上方区分２９ａを有している。背もたれ部の垂直方向全高の減少により、着座する大人は、背もたれ部の上端部を自分の脇の下に位置決めした状態で側方から着座することができると共に且つ（或いは）その位置に着座したときに、自分の腕を背もたれ部の上端部上に載せることができる。
【０２０４】
上方部分の全体として垂直の支持部材４５ａ，４５ｂの２つは各々、少なくとも１つのヒンジ又はピボット４５ｃ，４５ｄ，４５ｅ，４５ｆ、好ましくは２つにヒンジ又はピボットを有する。図３１で最も容易に解るように、ヒンジ又はピボットは、前方付勢力を上述の上方区分２９ａに与えるようセンタ（中心）越しの形態をなしている。このような形態では、着座する人は通常の前方着座向きにあるとき、後ろ向きの力を背もたれ部に加えると、上方区分は、図３１に示されているように、上方区分の残部２９ｂと全体として整列状態のままである。しかしながら、図３２及び図３３に示されているように、ヒンジ又はピボットにより、上方区分２９ａの後方折り曲げは、例えば着座した人が自分の腕で上方区分を後方／下方に押し付けることにより後ろ向き／下向きの力が別々に上方区分に加えられると生じることができる。
【０２０５】
一実施形態では、ヒンジ又はピボットは、好ましくは、後ろ向きの力が別々に背もたれ部の上方区分に加えられると、折り曲げが「スナップ装着」動作で生じるように構成されている。変形例として、この動作は、実質的に滑らかであっても良い。
【０２０６】
図３４に示されているように、上方区分２９ａは、上方部分の部材４３ａ，４３ｂ中にその前面から延びる複数のスリット４４ａによって画定されている。スリットは、ヒンジ又はピボットと組み合わせ状態で、折り曲げ領域を構成する。図示していないが、代替的に又は追加的に、上方部分は、上方部分中にその後面から延びる複数のスロットを有しても良い。背もたれフレームは、適当なポリマー材料、例えばガラス繊維入りナイロンで製作可能であるが、スリット４４ａを含む部分４４は、その区分について所望の性質が得られるよう別種の材料で作られるのが良い。例えば、部分４４は、エラストマー材料、例えばHYTRELで作られるのも良い。
【０２０７】
この特徴は、例えば中実又は全体として中実の背もたれパネルを構成する別の形態の背もたれ部に設けられても良く、上方区分は、パネルの下方部分に対して後方に折り曲げられるよう構成されたパネルの上方部分を有するのが良い。パネルは、例えばポリマー材料で作られたパネルであるのが良い。この場合も又、この区分は、上述したような１つ又は２つ以上のヒンジ又はピボットによってパネルの下方部分から支持されるのが良い。パネルは、着座した人のための支持面を提供することができ又は変形例として、着座した人のための支持面を提供するクッションを支持しても良い。
【０２０８】
アーム組立体
上記において概略的に説明したように、背もたれフレームは、好ましくは、ひじ掛け１０１ａ，１０１ｂを背もたれ部分から支持するアーム組立体の複数の部分を形成する支持体５１ａ，５２ｂを有する。上述したように、背もたれフレームの下方部分２７は、着座したばかりの人の背中の側部を包囲し、それによりその領域に凹状の曲率を有するようぐるりと湾曲している。図４１ａ〜図４３に示されているように、アーム組立体のひじ掛け１０１ａ，１０１ｂは、その領域に背もたれ部の連続部を効果的に形成するよう構成されている。好ましくは、ひじ掛け１０１ａ，１０１ｂの内面１０１ｃ，１０１ｄは、その領域に凹状の曲率の連続部を形成する凹状の曲率を有している。内面は、ひじ掛けの人体向き表面である。
【０２０９】
ひじ掛け１０１ａ，１０１ｂは、背もたれフレームの下方部分２７から片持ち方式で前方に延びている。ひじ掛けの内面は、湾曲しており、着座する人が椅子に側方から着座し、背もたれ部分に寄り掛かっているとき、背もたれ部の曲率の連続部を効果的に形成するので、ひじ掛けの内面は、着座する人が椅子に全体として側方から着座しているとき、着座する人の背中の下方領域の少なくとも大部分を支持することができる。これについては、図４３を参照。また、図４３から解るように、着座する人が全体として側方から椅子に着座すると、着座した人の脚がひじ掛けと座部との間に嵌まり込むことができるのに十分な間隔又は隙間がひじ掛けの下に設けられている。
【０２１０】
ひじ掛けは、図４４に示されているように、上述した機構体を用いて背もたれ部に対して好ましくは高さ調整可能（Ｈ）であり、したがって、着座した人の脚がひじ掛けと座部との間に嵌まり込むことができるのに十分な間隔が、好ましくは、ひじ掛けの少なくとも１つの調整位置においてひじ掛けの下に形成される。
【０２１１】
図４５ａ、図４５ｂ、図４６、図４７及び図４８は、ひじ掛けの好ましい構造を示している。図４６を参照すると、各ひじ掛けは、適切には中空であるベース部材１１１、ひじ掛けの高さを調整するロック機構体のアクチュエータ１１３、カバー基材１１５、クッション構成体１１７及びカバー１１９を有している。アクチュエータは、好ましくは、着座した人が使えるようベース部材に設けられたスロット１１１ａから延びている。クッションは、着座する人が側方から椅子に着座し、ひじ掛けに後方にもたれかかったときに着座した人の背中のための応従性のある表面を提供するようひじ掛けの内面の下に延びている。
【０２１２】
図４５ｂ、図４６、図４７及び図４８を参照すると、支持体５１ａ，５１ｂは、互いに間隔をおいた全体として互いに平行な第１の細長い壁１２３及び第２の細長い壁１２５を備えた細長いスロット１２１を有している。図４７で解るように、壁１２３は、前方壁であり、壁１２５は、後方壁である。支持体は、ロック特徴部により定められる複数の垂直方向に間隔をおいた別々のロック位置を更に有し、このようなロック特徴部は、図示の形態では、横方向スロット１２７である。
【０２１３】
支持体の近くに位置するひじ掛けの端部は、椅子の背もたれ部の支持体と係合する係合機構体１２９を有している。ひじ掛けは、係合機構体によりスロット１２１に対して全体として横の方向で、即ち、全体として前方に延びる方向に、支持体から片持ちされている。係合機構体１２９は、支持体５１ｂの側部の周りに延びてこれらを捕捉するハウジング１３１を有している。係合機構体は、少なくとも２つの支承機構体１３３を更に有し、これら支承機構体は、スロットの延長方向に間隔をおいて位置すると共に支持体の細長いスロット１２１内に摺動可能に受け入れられている。支承機構体の一方は、第１の長手方向壁１２３に接触することができ、他方の支承機構体は、第２の長手方向壁１２５に接触することができ、それにより支持体に対するひじ掛けの摺動運動が行われる。好ましくは、各支承機構体は、第１の長手方向壁と第２の長手方向壁の両方に接触することができるが、一度に長手方向壁の一方にしか接触することができない。これにより、係合機構体は、ひじ掛けの前方端部に加えられた上向き又は下向きの荷重に順応することができる。
【０２１４】
図示の形態では、支承機構体１３３は、各々、ローラの形態をしており、これら支承機構体の各々は、スロットの延長方向に対して実質的に横方向に延びるそれぞれの軸線回りにひじ掛けに対して回転可能に設けられている。
【０２１５】
変形例として、支承機構体は、各々、例えば並置された形態の一対のローラを有するのが良く、各対の一方のローラは、長手方向壁の一方１２５に接触し、各対の他方のローラは、長手方向壁の他方１２７に接触する。変形例として、支承機構体は、各々、固定された自己潤滑（自滑性）ポリマー部材の形態をしているのが良く、長手方向壁も又適当な自己潤滑（自滑性）ポリマー材料で作られるのが良い。これら２つの変形例の場合、各支承機構体は、ひじ掛けの高さ調整を依然として可能にした状態で、両方の長手方向壁に同時に接触することができる。
【０２１６】
ひじ掛けを支持体に対して選択された位置にロックするロック機構体が設けられている。このロック機構体は、ロック部材１３５、ひじ掛けの遠位端部のところ又はこの遠位端部寄りに位置決めされたアクチュエータ１３７、ロック部材とアクチュエータを互いに連結する連結部材１３９及びばね１１４を有している。ばねは、アクチュエータ又はロック部材と一体成形されるのが良く、例えば板ばねであるのが良い。変形例として、連結部材１３９が実質的に剛性であり、ロック部材が回動動作により動く実施形態では、ばねは、連結部材を回転的に付勢するよう構成されたねじりばねであっても良い。
【０２１７】
ロック部材１３５は、ひじ掛けの係合部分から延びてロック特徴部の１つの中に嵌まり込んでおり、このようなロック特徴部は、図示の形態では、ひじ掛けを所望の位置に維持するための支持体のロックスロット１２７である。ユーザがひじ掛けの高さを調整しようと思った場合、ユーザは、ばねの付勢力に抗してアクチュエータ１３７を引き上げ、それにより、ロック部材１３５は、支持体との係合状態から離脱し、それによりロック部材と支持体との間の摺動運動が可能になる。図示の形態では、アクチュエータ１３７は、ひじ掛けに対して回動するレバーであり、連結部材は、実質的に剛性であり、したがって、アクチュエータがひじ掛けの裏面に向かって上方に引き寄せられているときのアクチュエータの回動運動により、ロック部材１３９が回動してロックスロットとの嵌合関係から離脱し、ひじ掛けの高さを調整することができるようになっている。これに代えて、アクチュエータをケーブル等によってロック部材に連結しても良い。
【０２１８】
アクチュエータは、上方引張り動作が加えられてロック部材を解除するよう構成されているので、ひじ掛けコンポーネントの高さを容易に増大させることができる。というのは、レバーに対する同じ上方引張り動作により、ひじ掛けが追加的に持ち上がるからである。引張り動作は、ひじ掛けの前に向いて働くが、支承構造により、高さ調整中、支持体へのひじ掛けの結合が阻止される。
【０２１９】
スロット１２１は、図示のように支持体の取付けプレートを完全に貫通して延びるのが良い。変形例として、スロットは、例えば支持体に形成された細長いチャネルにより構成されても良い。
【０２２０】
図４９ａ〜図４９ｃは、ひじ掛けに関する好ましいクッション構造体の細部を示している。クッションは、上述した好ましい形態の座部クッションに類似している。クッション構造体は、クッション基材の各部分について実質的に独立した緩衝作用を提供する複数の弾性ポリマーばね部材１４１を有している。ばね部材は、平面図で見て任意適当な形状、例えば円形又は楕円形のものであって良く、一連の互い違いのプラットホーム１４１ａ，１４１ｂ，１４１ｃ，１４１ｄを形成している。プラットホームの最も小さなプラットホーム１４１ｄは、ばね部材１４１を支持するよう基材１１５上に載るよう構成されており、プラットホームのうちで最も大きなものは、図４９ｃに示されているように上方荷重支持面を形成すると共に隣接のばね部材に繋がっている。プラットホームは、環状壁１４２ａ，１４２ｂ，１４２ｃにより互いに連結されている。カバーが、ばね部材の上端部を覆い、このようなカバーは、任意適当な手段、例えばＲＦ溶接又はばね部材との同時成形によってばね部材に連結される。
【０２２１】
ばね部材は、応従性のある表面を提供する。着座する人が荷重をばね部材の大径端部に加えると、ばね部材は、壁１４１ｃの伸縮運動の幾分かだけ、壁１４１ｂにより画定された空間内に縮むと共に壁１４１ｂの伸縮運動の幾分かだけ壁１４１ａにより画定された空間内に縮む。ばね部材の弾性により、ばね部材は、荷重が除かれると図４９ｃに示された位置に戻ることになる。
【０２２２】
ばね部材は、クッション構造体を改造してクッション構造体の互いに異なる領域が互いに異なる性質を示すことができるよう種々のサイズ及び（又は）種々の数の段部又はプラットホームの状態で提供されるのが良い。
【０２２３】
ばね部材及び（又は）カバーは、通気性の材料で作られるのが良く又は通気穴が必要に応じて設けられるのが良い。
【０２２４】
カバーは、好ましくは、起毛表面を提供するよう研磨される。
【０２２５】
図５０では、支持体５１ａ′は、椅子の別の部分、例えば座部又は支持フレームから支持されるようになったスタンドアロン型アーム組立体の一部である。アーム組立体は、上述の図に示されると共に上述の図を参照して説明した他の特徴部を有する。この場合も又、このひじ掛けは、好ましくは、背もたれ部の曲率の延長部を形成する。したがって、好ましい形態のアーム組立体を他の形式の椅子に容易に組み込むことができることが解る。しかしながら、アーム組立体は、上述したように背もたれフレームに組み込まれることが好ましい。というのは、背もたれフレームのその部分が座部及び支持フレームに対してねじれた場合、アーム組立体は、背もたれ部のその部分と一緒に動くことになるからである。
【０２２６】
座部構成体、クッション及び座部支持機構体
座部は、図１〜図５を参照して以下に詳細に説明する好ましい形態のリクライニング機構体によって支持フレームの上方に支持されている。しかしながら、座部及び座部支持機構体は、別の形式のリクライニング機構体を有する椅子又は座部構成体の場合、任意形式の椅子に組み込むことができる多くの特徴部を有する。
【０２２７】
図７〜図２２を参照すると、座部は、座部パン２０１を有している。パンは、格子構造の複数の部材を有する一体成形ポリマー構造体である。パンは、着座した人が座部上の通常の前方に差し向けられた着座位置にあるとき、着座した人にとっての主要な支持領域を構成する中央ゾーン２０３を有している。この中央ゾーンは、複数の環状リブ２０５ａ，２０５ｂ，２０５ｃによって画定され、これら環状リブは、中央ゾーンの周りに延びて中央ゾーンを外側ゾーン２０７から分離しており、この外側ゾーンは、後側ゾーン２０９、左側ゾーン２１１ａ、右側ゾーン２１１ｂ及び前側ゾーン２１３によって構成されている。パンは、以下に説明するクッション構成体を受け入れる皿形凹部を構成するよう少なくとも外側領域が皿形になっている。
【０２２８】
座部は、座部支持体２１５によって支持され、この座部支持体は、好ましい実施形態では、座部パンの一部として一体成形されている。座部支持体は、ベース部材２１７及び上端部が中央ゾーンの側部のところで終端した複数の弾性支持部材を有している。図示の好ましい形態では、支持体は、座部の中央ゾーンの各側に沿って設けられた２つの側部弾性支持部材２１９ａ，２１９ｂ，２１９ｃ，２１９ｄを有している。さらに、図示の形態では、座部支持体は、座部の後方部分を支持する２つの後部支持部材２２１ａ，２２１ｂ及び座部の前方部分を支持する２つの弾性支持部材２２３ａ，２２３ｂを有している。
【０２２９】
座部パンの中央部分は、ユーザが座部上の通常の前方に向いた着座位置にあるとき、ユーザの重量の大部分を受け止めるようになっている。
【０２３０】
各弾性支持部材は、着座した人が重量を座部上でいずれかの側に後方又は前方に加えると、変形し又は撓むよう構成されており、それにより、座部の斜め運動が生じる。図１１は、着座している人の重量が座部の中心の左側２１１ａ又は右側２１１ｂにオフセットした場合の座部の傾動動作を概略的に示している。
【０２３１】
座部の側部、前部又は後部に沿って種々の数の又は種々の形式の弾性支持部材が設けられても良いことは解る。
【０２３２】
弾性部材を備えた座部支持体で支持されることに加えて、側部ゾーン２２１ａ，２２１ｂは、弾性的に撓むことができ、このような側部ゾーンは、着座する人が座部に側方から着座した場合に側部ゾーンが着座した人の脚の重量を受けて変形することができるよう無支持状態にある。
【０２３３】
図１２及び図１３は、座部の側部ゾーンが着座した人の脚の重量を受けて撓んでいる状態を概略的に示している。座部支持体の弾性側部支持部材と座部パンの側部の可撓性は、互いに協働して、椅子上に側方から位置した着座した人のための応従性のある快適な表面を形成することになることが解る。例えば、ユーザは、ユーザの重量が右側にオフセットした状態で椅子の上に側方から着座することができ、それにより、座部パンは、弾性支持体により右側に傾動し、その結果、座部パンの左側は、持ち上がるが、左側ゾーンは、着座した人の脚の裏側に過度の圧力をかけないよう着材した人の脚の重量を受けて撓む。
【０２３４】
中央部分２０３は、座部パンの後方支持部分を構成し、中央部分の前に位置する前方部分は、弾性的に撓むことができ、このような前方部分は、着座する人が座部上で前方に着座すると、前方部分が着座した人の脚の重量を受けて変形することができるよう無支持状態にある。注目されることとして、前方部分の無支持深さは、側部ゾーンの幅よりも著しく大きく、したがって、前方部分は、一般に、側部ゾーンよりも高い可撓性を示すである。以下に説明するように、好ましい形態のリクライニング機構体により、座部は、座部の後部がリクライニングすると持ち上がり、したがって、座部パネルの可撓性の前側部分が得られ、この前側部分は、着座した人の脚の裏側に過度の力を加えるのが阻止されるという利点が得られる。
【０２３５】
図示の座部パンは、着座する人のための応従性のある表面を提供するようクッションを支持するよう構成されている。これに代えて、座部は、クッション無しで用いられるよう設計されたプラスチックパネルとして形成されても良い。このようなパネルは、上述した特徴、即ち、座部パネルの弾性部材、可撓性側部及び可撓性前部を備えた座部支持体を有するのが良い。さらに、このようなパネルは、前側部分に皿形座部パンよりも高い可撓性を備えるのが良く、したがって、前側部分は、座部が持ち上がり又は着座する人が座部上で前方に着座すると、着座した人の脚の重量を受けて横方向折り曲げ線回りに折り曲げられるよう構成されている。
【０２３６】
座部支持体は、図１４に示されているように座部深さ取付け具２２１に設けられたチャネル２２０ａ，２２０ｂに対応関係をなして受け入れ可能な一対の長手方向に延びるレール２１７ａ、２１７ｂを更に有している。座部支持体は、座部深さ取付け具２２１に対して選択された位置にロック可能である。座部深さ取付け具２２１は、座部支持体の別々のロック位置を定める多数の互いに間隔をおいたロック特徴部２２３を有している。ロック特徴部は、スロット、戻り止め、切欠き又はこれらに類似したものであって良い。これとは異なり、座部支持体がパネルを有し、座部深さ取付け具がレールを有しても良いことが解る。
【０２３７】
図１５及び図１６を参照すると、座部支持体は、座部支持体に枢着されると共に座部を深さ調整位置にロックするロック特徴部の１つに係合するよう下方に付勢されたロック部材２２５を支持している。ロック部材は、ケーブル２２９によってアクチュエータレバー２２７に作動的に連結されており、このようなロック部材は、アクチュエータレバーを持ち上げると、ロック部材が座部深さ取付け具のロック特徴部との係合状態から解除され、それにより座部の深さを調整することができるように構成されている。図１６は、ロック部材２２５を解除位置で示している。
【０２３８】
アクチュエータレバー２２７、ケーブル２２９及びロック部材２２５は一緒になって、一体成形ポリマーコンポーネントを形成することが好ましい。
【０２３９】
図１７〜図２２は、好ましい形態の座部の他のコンポーネントを示している。ベースに加えて、座部は、応従性支持面を提供するクッション構成体を有し、クッション構成体は、ばね構造体２３１及びばね構造体の一方の側部を覆うカバー２３７を有している。図１８〜図２０に示されているように、ばね構造体２３１は、アーム組立体を参照して上述した形式のものであり、即ち、ばね構造体は、実質的に独立した応従性支持体を提供するようになった複数の成形弾性ポリマーばねコンポーネント２３３を有している。
【０２４０】
この場合も又、ばね部材２３３は、平面図で見て任意適当な形状、例えば円形又は楕円形のものであり、各ばね部材は、一連の互い違いのプラットホームを形成している。プラットホームの最も小さなものは、ばね部材２３３を支持するよう座部パン２０１の一部材又は複数の部材の交差部上に載るよう構成され、プラットホームの最も大きなものは、上方荷重支持面を形成すると共に外皮２３５を介してその隣りのばね部材に繋がっており、このような外皮も又、ばね部材の上端部を覆っている。外皮は、任意適当な手段、例えばＲＦ溶接又はばね部材との同時成形によってばね部材に連結されることになる。
【０２４１】
クッションのばね部材は、或る範囲の寸法、形状及び向きを有し、したがって、ばね部材は全て、座部パンの一部材又は複数の部材の交差部に係合するようになっている。しかしながら、このような変形例を用いると、座部に様々なレベルの応従性を提供することができ、例えば、着座した人の重量の大部分が受け止められる中央領域に高い応従性を提供し又は着座した人の座骨突起を受け入れる高い応従性のゾーンに高い応従性を提供することができる。
【０２４２】
この場合も又、ばね部材は、クッション構造体を改造してクッション構造体の互いに異なる領域が互いに異なる性質を示すようにすることができるよう種々の数の段部又はプラットホームを備えるのが良い。
【０２４３】
ひじ掛けについて上述したのと同一の仕方で、着座する人がばね部材の大径端部に荷重を加えると（座部上に着座することにより）、ばね部材は、環状壁の伸縮運動の幾分かだけ縮む。ばね部材の弾性により、ばね部材は、荷重が除かれると図１８に示す位置に戻ることになる。
【０２４４】
カバー２３７は、ばね構造体の上側を覆うようになっており、このカバーは、ばね構造体の周りに延びて環状の内方に差し向けられた周辺領域２４３で終端し、この周辺領域２４３は、カバーの外周部２４５の場合よりも小さな内側開口部２４１を有している。ポリマーカバーは、任意適当な方法、例えば真空成形、射出成形又は吹き込み成形を用いて形成される。カバーは、好ましくは、厚さが最小限に抑えられたカバーを形成するよう吹き込み成形により形成される。カバーは、上側着座面に、快適さが得られるよう且つ着座した人とカバーの上面との間に幾分かの空気流を通すためのリブ又は溝２４７を備えるのが良い。
【０２４５】
カバーは、好ましくは、起毛表面を提供するよう研磨される。
【０２４６】
クッションを座部パンに取り付けるため、ばね構造体は、図１７に示す向きでパンの中に配置される。次に、カバーは、ばね構造体及び座部パンの周囲を覆って引っ張られ、それにより基材を環状周辺リップ２４３とばね構造体２３１との間に捕捉し又は少なくとも部分的にサンドイッチする。クッションは、座部パンに任意他の適当な仕方で取り付けられても良い。
【０２４７】
カバーは、任意適当な材料、例えばＴＰＵから形成可能である。ＴＰＵが好ましいが、その理由は、これを無色にすることができるからである。任意他の形式の適当なエラストマー、例えばHYTRELを使用しても良い。
【０２４８】
好ましくは、ばね構造体は、エラストマー材料、例えばHYTRELで作られる。好ましいばね構造体の材料は、この場合も又ＴＰＵである。
【０２４９】
カバー及びばね構造体は、通気性の材料で作られるのが良く、或いは、通気性が得られるよう多数の孔を備えるのが良い。
【０２５０】
カバーは、座部パンへのカバーの取付けに先立ってばね構造体に取り付けられるのが良いことが解る。
【０２５１】
このような設計のクッションを用いると、椅子の別の部分、例えば、椅子の背もたれ部又は椅子の腰部支持部分のための応従性支持体を提供することができる。
【０２５２】
中間支持体
以下に更に詳細に説明するように、座部支持体、それ故に座部は、座部が背もたれ部のリクライニング動作時に動くようにするリクライニング機構体で支持されている。具体的に説明すると、リクライニング機構体により、例えば図１、図２、図６ａ及び図６ｂに示す中間支持体３０１は、背もたれ部がリクライニング作用を受けると、持ち上がると共に後方に動く。
【０２５３】
座部深さ取付け具２２１は、複数の弾性支持体３０３，３０５によって中間支持体の上方に支持され、これら弾性支持体は、それにより、座部を中間支持体３０１の上方に作動的に支持する。図示の好ましい形態では、中間支持体３０１の側部のところ又はこのような側部寄りでその後方端部のところ又はこのような後方端部寄りに２つの後側弾性支持体３０３が設けられると共に中間支持体の側部のところ又はこのような側部寄りでその前方端部のところ又はこのような前方端部寄りに２つの前側弾性支持体３０５が設けられている。変形実施形態では、座部を中間支持体の上方に作動的に支持する任意適当な数の弾性支持体が設けられても良い。
【０２５４】
後側弾性支持体３０３は、座部深さ取付け具２２１を中間支持体３０１から上方に付勢するばね部材として働くよう構成されている。前側弾性支持体３０３は、ヒンジ部材を形成している。前側弾性支持体３０５は、座部深さ取付け具２２１の前部を中間支持体３０１の上方に垂直方向に支持している。
【０２５５】
弾性支持体は、着座する人が座部上に着座すると、変形して座部が中間支持体に向かって動くことができるよう構成されており、それにより、座部に着座した人の初期衝撃の少なくとも幾分かが吸収される。図６ａは、座部が占有されていない場合の形態を示している。着座する人が着座する人の重量の大部分が座部パンの中央部分２０３上に位置した状態で座部に着座すると、後側支持体３０３は、縮み、座部深さ取付け具２２１は、図６ｂに示すように底が停止部３０７に突き当たるよう動く。即ち、座部深さ取付け具の後側端部、それ故に座部の後側区分は、中間支持体に向かって動くよう構成され、他方、座部深さ取付け具の前側端部、それ故に座部のより前方の区分は、中間支持体よりも比較的一定の距離上のところに位置したままである。
【０２５６】
弾性支持体は、着座する人が座部上で前方にもたれかかり又は前方に動くことにより加重を座部の前側区分に加えると、座部が中間支持体に対して前方に傾くことができるよう構成されている。図６ｃは、座部を前方傾斜形態で示している。後側支持体３０３は、中間支持体の後部と座部深さ取付け具との間の垂直方向間隔を増大させるよう拡張しており、前側支持体３０５は、座部深さ取付け具の後部の持ち上がりを可能にするよう前方に撓んでいる。
【０２５７】
弾性支持体は、着座する人が例えばリクライニング作用を背もたれ部に及ぼすことにより荷重を座部の後側区分に加えると、座部が中間支持体に対して後方に持ち上がることができるよう改造可能である。後側支持体３０３は、中間支持体の後部と座部深さとの間の垂直方向間隔を減少させるよう縮んでおり、前側支持体３０５は、座部深さ取付け具の後部の下降を可能にするよう後方に撓んでいる。
【０２５８】
図６ｄは、着座した人が椅子の背もたれ部に後方に寄り掛かることにより背もたれ部が後方リクライニング動作を行っているときの中間支持体及び弾性支持体の形態を示している。後側支持体３０３は、この場合も又或る程度まで拡張していることが解る。さらに、中間支持体３０１は、以下に説明するリクライニング機構体の作動に起因して上方且つ後方に動いている。
【０２５９】
弾性支持体は、好ましくは、ポリマー材料、好ましくはエラストマー材料、例えばゴム、熱可塑性ポリウレタンエラストマー（ＴＰＵ）又はナイロンエラストマーで作られる。最も好ましくは、ポリマー材料は、HYTRELであり、これはデュポン社から入手できる熱可塑性ポリエステルエラストマーである。変形例として、弾性支持体は、例えば金属材料で作られても良い。
【０２６０】
前側及び（又は）後側弾性支持体３０３，３０５は、周囲コンポーネント、例えば中間支持体３０１及び（又は）座部深さ取付け具２２１と一体形成されるのが良い。
【０２６１】
中間支持体及び弾性支持体は、以下に説明するように変形可能な部材を備えたリクライニング機構体で支持された状態で示されているが、中間支持体及び弾性支持体を、背もたれ部がリクライニング動作を行うと、座部を持ち上げ、下降させ且つ（或いは）前方又は後方に動かすことができる任意適当なリクライニング機構体を備えた椅子に組み込んでも良いことが解る。
【０２６２】
キャスタ付きベース
図５１及び図５２を参照すると、支持フレームは、キャスタ付きベース１１を有している。キャスタ付きベースは、管状直立部３０１の形態をした中央部分１７を有し、複数本の脚部３０３が管状直立部から半径方向外方に延びており、各脚部は、中央部分の近くに位置する端部及び中央部分から遠くに位置する端部を有している。キャスタ３０５が、各脚部の遠位端部のところ又はこれに隣接して回転可能に作動的に支持されている。管状直立部３０１は、任意適当な断面のものであって良い。
【０２６３】
管状直立部は、脚部と一体形成され、このような管状直立部は、内部キャビティを備えている。管状直立部は、空気ばね１９の支持体となっている。空気ばねは、加圧シリンダ１９ａ、シリンダから延びるロッド１９ｂ及びアクチュエータ１９ｃを備えた標準形式のものである。アクチュエータを動かすことにより、ロッド及びシリンダは、長手方向に拡張し、それにより座部機構体の高さを増大させる。重量がアクチュエータの移動時に座部に加えられた場合、このような重量により、ロッドは、シリンダ内に引っ込むことになる。
【０２６４】
中央部分は、空気ばねの支持体となっている。中央部分は、ロッドの端部を挿通させることができる孔を備えたフロア３０１ａを備えている。ロッドは、肩１９ｄ及び肩によってロッドに対し軸方向に固定された座金１９ｅを有し、この座金は、中央部分の床の孔よりも大径である。したがって、座金１９ｅ及び中央部分のフロア３０１ａは、椅子機構体に加えられた垂直方向荷重に抵抗することができる。ロッドは、床３０１ａの下でロッドにクリップ止めされたクリップ３０１ｂによって定位置に保持されている。
【０２６５】
シリンダは、中央部分の上端部から管状直立部に圧力嵌めされているブッシュ３０７を通って延び、このブッシュは、シリンダ１９ａのための支承面となる内面を備えている。ブッシュは、シリンダに加えられた側部荷重に抵抗し、ロッド又はシリンダの長手方向運動を可能にする支承面を提供するようになっている。ブッシュは、直立部の一体部分であるのが良い。
【０２６６】
変形形態では、空気ばねは、シリンダが中央部分のベースによって支持され、ロッドが中央部分の両端部から延びるよう中央部分内に設けられても良い。
【０２６７】
直立部及び脚部は、好ましくは、一体成形ポリマーコンポーネントである。直立部及び脚部は、変形例として、一体形鋳造金属コンポーネントであっても良い。空気ばねからの荷重を受け止める管状直立部及び脚部を一体コンポーネントとして設けることにより、優れた強度及び剛性が達成される。
【０２６８】
高さ調整ばねは、任意適当な形式のものであって良く、例えば、空気ばね、油圧ばね又は機械式ばねであって良いことが解る。
【０２６９】
リクライニング機構体
椅子は、図１〜図５に示すような好ましい形態のリクライニング機構体を有している。リクライニング機構体は、主トランサム２１の後方部分と中間支持体３０１の後方部分との間に延び、それにより座部の後方部分と支持フレームを互いに作動的に連結する後側変形可能部材３５１を有している。リクライニング機構体は、主トランサム２１の前方部分と中間支持体３０１の前方部分との間に延び、それにより座部のより前方の部分と支持フレームを互いに作動的に連結する前側変形可能部材３５３を更に有している。図示の形態では、前側変形可能部材及び後側変形可能部材は各々、椅子の前方方向に対して横方向に延びると共に実質的に主トランサム２１の幅にわたって延びている。
【０２７０】
変形可能部材３５１，３５３は各々、エラストマーパネルを構成している。エラストマー材料は、ゴム又はエラストマーポリマー、例えば熱可塑性ポリウレタンエラストマー（ＴＰＵ）又はナイロンエラストマーから成るのが良い。最も好ましくは、ポリマー材料は、HYTRELであり、これは、デュポン社から入手できる熱可塑性ポリエステルエラストマーである。パネルは、任意他の適当な形式の材料で作られても良い。
【０２７１】
椅子の前方方向に対して横方向に延びる全体として垂直の剛性パネル３５５が、背もたれ支持体の上方部材４９ａと下方部材４９ｂとの間に延びている。パネルは、背もたれ支持体の一体部分であるのが良く、或いは、変形例として、以下に説明するようにリクライニング機構体の一体部分であっても良い。
【０２７２】
下側変形可能部材３５７が、椅子の主トランサムから垂直パネル３５５の下方部分まで後方に延び、それにより、背もたれ部の下方部分と支持フレームを互いに作動的に連結している。図示の好ましい形態では、剛性部材３５９が、下側変形可能部材３５７のための取付け位置を提供するよう主トランサムの後方部分の下に延びている。剛性部材３５９は、主トランサム２１の一体部分であるのが良い。この場合も又、下側変形可能部材は、好ましくは、実質的に主トランサムの幅にわたって延び、上述のパネル３５１，３５３と関連して上述した材料の任意のもので作ることができるパネルの形態をしている。
【０２７３】
リクライニング機構体は、下側変形可能部材の上方に位置していて、中間支持体３０１の後方部分から垂直パネル３５５の上方部分まで延び、それにより背もたれ部を座部に作動的に連結する引き部材又は引き具３６１を更に有している。この場合も又、引き部材は、好ましくは、実質的に主トランサムの幅にわたって延び、上述のパネル３５１，３５３と関連して上述した材料の任意のもので作ることができるパネルの形態をしている。しかしながら、特定の形態に応じて、引き部材は、変形可能な部材よりも実質的に剛性であるのが良く、その主要の目的は、後方引張り作用を及ぼして座部を動かすことにある。
【０２７４】
リクライニング機構体は、椅子の背もたれ部１５をリクライニングさせると、下側変形可能部材３５７が変形し、引き部材又は引き具３６１が後方引張り作用を及ぼし、それにより座部が後方に動くと共に前側及び後側変形可能部材が変形するように構成されている。図２〜図４は、背もたれ部１５を備えた椅子を直立形態で示している。図５は、着座した人（図示せず）の重量Ｗが座部に加えられ、背もたれ部がリクライニング動作ＲＡを行っている状態の座部を示している。下側変形可能部材３５７は、支持体延長部４９ｂが下降することができるよう撓んでおり、引き具３６１は、後方引張り作用を中間支持体に及ぼし、それにより、中間支持体は、荷重が座部に加えられているが、背もたれはリクライニング動作を起こしていない場合にこの中間支持体の取る位置から上昇すると共に後方に動く。前側及び後側変形可能部材３５３，３５１は、中間支持体の運動、それにより座部の運動を生じさせるよう撓んで波形の形になっている。
【０２７５】
座部の少なくとも大部分、即ち、少なくとも後方部分は、背もたれ部をリクライニングさせると持ち上がって後方に動くので、着座している人の重量は、背の垂れ部のリクライニング動作を補償する。したがって、後ろ向きの力を背もたれ部から除くと、着座している人の重量により、背もたれ部は、直立位置に戻ることになる。変形可能部材３５１，３５３が弾性である場合、椅子に人が着座していない状態で背もたれ部がリクライニング動作を起こす場合、弾性だけで背もたれ部は直立位置に戻ることができる。
【０２７６】
椅子は、背もたれ部ための戻し力を及ぼす１つ又は２つ以上のリクライニングばねを備えるのが良く、加荷重戻し力は、背もたれ部を直立位置に戻すのを助ける。
【０２７７】
変形形態では、実質的に平らなパネルではなく、前側及び後側変形可能部材は、固有の曲率を備えた状態であらかじめ成形されても良い。例えば、弛緩状態では、前側及び後側変形可能部材は、波形の形態を有しても良い。着座する人が椅子に着座したときの座部の前方運動又は着座している人が後方にもたれこのようなことにより椅子の背もたれ部をリクライニングしたときの座部の後方運動により、前側及び後側変形可能部材は、当初波形の形態から真っ直ぐになることができる。椅子は、背もたれ部のリクライニング動作に抵抗する１つ又は２つ以上のリクライニングばねを備えるのが良い。
【０２７８】
変形例として、成形されたばかりの部材の一方又は両方は、上方から見たときに凹状であっても凸状であっても良い。例えば少なくとも椅子が弛緩状態にあるとき、前側部材は、上方から見て凹状であるのが良く、後側部材は、上方から見て凸状であるのが良い。
【０２７９】
前側及び後側部材は、互いに異なる幅を有するのが良い。
【０２８０】
リクライニング機構体は、下り停止部３６５を備え、下り停止部３６５は、背もたれ部をリクライニングしていないとき、この停止部が座部に着座している人の重量を支持フレームを介して支持するために主トランサムに載るよう構成されている。したがって、背もたれ部がリクライニング動作を起こしていないとき、前側及び後側可撓性部材から荷重を除くのが良い。部材３６５の延長部３６５ａが、主トランサム２１に設けられたスロット３６７内に延びるのが良く、スロットの後方端部は、リクライニング機構体のリクライニング限度を定める。即ち、延長部３６５ａがスロットの後方端部にいったん接触すると、中間支持体は、それ以上の後方又は上方運動を起こすのが阻止される。好ましくは、椅子の各側のところ又は各側寄りにリクライニング限度及び下り停止部が設けられる。任意他の適当な形式又は形態の下り停止部及びリクライニング限度を用いることができる。
【０２８１】
しかしながら、支持部材４７ａ，４７ｂが撓むことができるので、背もたれ部に及ぼされた追加の力により、背もたれ部は、図２３に太い線で示されているように追加のリクライニング動作を行うことができる。座部は、背もたれ部が中線（中くらいの線）で示されたリクライニング位置から太線で示された「過剰撓み」位置に動いているときには動かない。部材４７ａ，４７ｂの弾性により、背もたれ部は、力が背もたれ部から除かれると、リクライニング位置に戻るようになる。
【０２８２】
リクライニング機構体は、図２に全体が参照符号３７１で示されたリクライニングロックを更に備えている。リクライニングロックは、中間支持体３０１に回動可能に取り付けられると共に戻り止め３６３に係合したフック部材３７１ａを有している。フック部材は、付勢されて戻り止め３６３と係合状態をなす。フック部材を戻り止めに係合させると、中間支持体３０１は、主トランサムに対して上方且つ後方に動くのが阻止される。背もたれ部のリクライニング動作が起こることができるようにするために、フック部材は、例えばアクチュエータ（図示せず）に連結されたケーブルを引っ張ることにより戻り止めとの係合状態から解除される。それにより、中間支持体は、主トランサムに対して動くことができ、したがって、背もたれ部をリクライニングさせることができ、したがって座部を動かすことができる。リクライニング機構体は、全体として中央に配置され、例えば、図３に示された領域ＲＬに配置された単一のリクライニングロックを有することが好ましい。
【０２８３】
変形可能部材の少なくとも２つは、一体成形構造体を形成するのが良い。特に、上側変形可能部材３６１及び下側変形可能部材３５７は、一体成形構造体を形成するのが良い。一体形構造体の一部は、上側変形可能部材及び下側変形可能部材の後側端部を互いに連結する垂直部材３５５を有するのが良い。代替的に又は追加的に、上側変形可能部材３６１及び下側変形可能部材３５７は、後側変形可能部材３５１を備えた一体成形構造体を形成するのが良い。この一体形構造体は、コンポーネント３５９を有するのが良い。一体形構造体は、特定の領域に所望の性質を備えるよう成形されるのが良い。
【０２８４】
変形例として、上側変形可能部材３６１、下側変形可能部材３５７、前側変形可能部材３５３及び後側変形可能部材３５１は、これら全てで一体成形構造体を形成しても良い。
【０２８５】
中間支持体を備えておらず且つ（或いは）深さ調整可能な座部を備えていない椅子にリクライニング機構体を組み込むことができることが解る。
図示の形態では、引き部材が中間支持体に連結されているが、引き部材は、これに代えて、所望の引張り動作を達成するために座部パン２０７、座部支持体２１７又は後側変形可能部材３５１の上方部分に作動的に連結されても良い。実質的に主トランサムの幅にわたって延びる単一のパネルを有するのではなく、前側変形可能部材、後側変形可能部材、下側変形可能部材及び引き具の任意のものに代えて多数のコンポーネントを用いても良い。しかしながら、部品数を減少させるために単一の部材を用いるのが良い。
【０２８６】
第２の好ましい形態の椅子
図５３〜図５５は、リクライニング機構体を備えた第２の好ましい形態の椅子を示している。以下に説明しない限り、特徴及び作用は、図１〜図５を参照して上述したのと同一であると解釈されるべきであり、同一の部品を示すために１０００を加えた状態で同一の参照符号が用いられている。着座する人が図５３〜図５５では示されていないが、椅子は、着座した人が存在する状態で取る位置で示されており、したがって、座部支持体１２２１は、底が突き当たり、中間支持体を１３０１で支持される。
【０２８７】
この場合も又、椅子は、剛性ベース又は主トランサム１０２１を有している。この形態では、トランサム１０２１は、上方から見て緩やかな凹状の曲率を備えている。図５３〜図５５の想像線は、主トランサムの前側端部及び後側端部を示している。上方から見て全体として凹状の前側変形可能部材１３５３は、主トランサムの前部から前方且つ上方に延びている。上方から見て全体として凸状の後側変形可能部材１３５１は、主トランサムの後部から前方且つ上方に延びている。後側変形可能部材１３５１の上側前方部分は、中間支持体１３０１に連結され、中間支持体の前側端部は、前側変形可能部材１３５３の上側内方部分に連結されている。
【０２８８】
前側及び後側変形可能部材１３５１，１３５３は各々、エラストマー部材から成り、このようなエラストマー部材は、上述の材料の１つで作られるのが良い。
【０２８９】
下側変形可能部材１３５７が、椅子の主トランサムから背もたれ部の下方部分１０４９まで後方に延び、それにより、背もたれ部の下方部分と支持フレーム１０２１が互いに作動的に連結されている。下側変形可能部材１３５７は、上方から見て凹状の曲率を有している。
【０２９０】
リクライニング機構体は、下側変形可能部材１３５７の上方に位置していて、中間支持体１３０１の後方部分から背もたれ部まで延びる引き部材又は引き具１３６１を更に有している。下側変形可能部材１３５７の後側部分は、引き具１３６１と背もたれ部の相互連結部で終端するのが良い。変形例として、下側変形可能部材１３５７の後方部分と、引き具と背もたれ部の相互連結部との間に比較的剛性の区分を設けても良い。この場合も又、引き部材及び下側変形可能部材は、好ましくは、弾性の部材であり、上述した材料の任意のもので作られるのが良い。この場合も又、特定の形態に応じて、引き部材は、変形可能ではなく、実質的に剛性であって良く、その主要な目的は、後方引張り作用を及ぼして座部を動かすことにある。
【０２９１】
図示の形態では、引き具１３６１及び後側変形可能部材１３５１は、下側変形可能部材１３５７及び前側変形可能部材１３５３よりも幅が狭い。
【０２９２】
リクライニング機構体は、椅子の背もたれ部１０１５をリクライニングさせると、下側変形可能部材１３５７が変形し、引き部材１３６１が後ろ向き引張り作用を及ぼし、それにより座部が後方に動くと共に前側及び後側変形可能部材が変形するよう構成されている。図５３は、椅子を背もたれ部１０１５が直立位置にある状態で示している。図５４は、椅子を背もたれ部１０１５が中間リクライニング位置にある状態で示している。図５５は、椅子を背もたれ部１０１５が更にリクライニングした位置にある状態で示している。
【０２９３】
好ましい形態のリクライニング機構体は、コンポーネント相互間に滑らかな交差部を有し、リクライニング機構体を１つ又は２つ以上の一体品として容易に形成することができる
【０２９４】
第３の好ましい形態の椅子
図５６〜図１１３は、リクライニング機構体を備えた第３の好ましい形態の椅子を示している。以下に説明しない限り、特徴及び作用は、図１〜図５２を参照して上述したのと同一であると解釈されるべきであり、同一の部品を示すために２０００を加えた状態で同一の参照符号が用いられている。
【０２９５】
図５６は、座部２０１３及び背もたれ部２０１５を備えた主組立体を有するオフィス仕事用椅子２０１０を示している。座部２０１３及び背もたれ部２０１５は、支持フレームによって地面よりも上方に作動的に支持され、この支持フレームは、主組立体の選択的高さ調整のための空気ばね２０１９を収納した中央支柱２０１７を備えた車輪付き又はキャスタ付きベース２０１１を有する。ベース２０１１、支柱２０１７及びばね２０１９は、高さ調整ペデスタルを形成している。空気ばねの上端部は、椅子の主トランサム２０２１に連結されている。キャスタ付きベース２０１１、空気ばね２０１９及び主トランサムは、全て、支持フレームの一部を形成している。この実施形態では、キャスタ付きベース２０１１は、別個の支柱２０１７がベース２０１１に取り付けられた標準型の形態のものである。
【０２９６】
背もたれ部
図７２〜図７５から解るように、背もたれ部の下方部分２０２７は、横方向に延びる頂部材２０３３、横方向に延びる底部材２０３５及び頂部材と底部材を互いに連結した少なくとも２つの互いに間隔をおいた部材２０３７ａ，２０３７ｂを有している。部材２０３７ａ，２０３７ｂは、横方向に延びる底部材２０３５の連続部を効果的に形成し、これら部材は、底部材から前方、外方且つ上方に傾斜している。部材２０３７ａ，２０３７ｂの各々の少なくとも一部は、図示のように全体として直線状であるのが良い。図示の形態では、部材２０３７ａ，２０３７ｂは、各々、横方向頂部材及び横方向底部材のそれぞれの端部のところに位置決めされている。
【０２９７】
頂部材２０３３及び底部材２０３５は、座部の前から見て全体として凹状であり、頂部材２０３３及び互いに間隔をおいた部材２０３７ａ，２０３７ｂは、着座した大人の背中の下方領域の側部の周りに延び、その結果、背もたれフレームの下方部分は、着座した人の背中の下方領域を「カップ状に包囲する」ようになっている。
【０２９８】
背もたれ部は、少なくとも１つの支持部材２０４５ａ，２０４５ｂを有し、このような支持部材は、背もたれ部を椅子の別の部分、例えば支持フレームの主トランサム、座部から又は座部と支持フレームの両方から支持する手段となるよう下方部分２０２７から延びている。図示の形態では、背もたれ部は、２つの水平に間隔をおいた支持部材２０４５ａ，２０４５ｂを有する。支持部材２０４５ａ，２０４５ｂは、背もたれフレームの下方部分２０２７の頂縁部のところ又はこれに隣接したところで背もたれフレームの下方部分２０２７に連結されている。図示の形態では、支持部材２０４５ａ，２０４５ｂは、背もたれフレームの下方部分の横方向底部材２０３５に連結されている。
【０２９９】
支持部材２０４５ａ，２０４５ｂは、実質的に剛性構造のものである。
【０３００】
図示の形態では、水平方向に間隔をおいた支持部材２０４５ａ，２０４５ｂは、一体形横方向コネクタ部材２０４９によってこれらの下端部のところで互いに結合されている。横方向コネクタ部材は、全体として前方に差し向けられたＶ字形形態で延びる上方コネクタ２０４９ａ及び下方コネクタ２０４９ｂを有している。
【０３０１】
背もたれフレームと支持部材は、一体構造のものであり、例えばポリマー材料から成形されるのが良い。
【０３０２】
背もたれフレームの下方部分は、部材２０４５ａ，２０４５ｂに実質的に平行に且つこれらの間に延びる軸線回りに実質的にねじれることができないということが好ましい。上方部分の少なくとも下方部及び下方部分の少なくとも上方部は、好ましくは、弾性的に撓むことができる。
【０３０３】
図７５に示されているように、背もたれフレームの下方部分は、ポスト２０５１ａ，２０５１ｂ（図９０参照）の形態をしたひじ掛け支持体を受け入れるひじ掛け支持マウント２０５０ａ，２０５０ｂを有し、これらポストは、ひじ掛けを図９２〜図９８を参照して以下に詳細に説明するような片持ち方式で支持している。ひじ掛けポスト２０５１ａ，２０５１ｂは、好ましくは、任意適当な手段、例えば組み込み取付け特徴部、例えばクリップ又は締結具、例えばボルトによってひじ掛け支持マウント２０５０ａ，２０５０ｂに取付け可能である。ポストが取付け可能であるということは、椅子を所望に応じてひじ掛け付きで又はひじ掛け無しで容易に構成できるということを意味している。背もたれ部を椅子の残部から支持するフレームの部分にひじ掛けポストを取り付けることにより、ひじ掛けポストを介する下向きの加重を背もたれ部のその部分に直接伝えることができ、これを背もたれフレームの残部によって受け止める必要はない。
【０３０４】
ひじ掛け支持マウントは、背もたれ部の下方部から互いに間隔をおいた部材２０３７ａ，２０３７ｂの周りをぐるりと上方に延びる凹部を有している。これにより、ひじ掛けポストを背もたれフレームに密接して位置決めすることができ、しかも、ひじ掛けがひじ掛けの高さ調整全体を通じてフレームに隣接したままになることができる。変形実施形態では、凹部を、ポストがフレームに取り付けられる下方位置のところにのみ設けても良く、ポストは、互いに間隔をおいたフレーム部材２０３７ａ，２０３７ｂの外部の周りにこれら部材に隣接して上方且つ前方に延びても良い。
【０３０５】
図８１ａ〜図８８を参照すると、弾性的に撓むことができるカバーが、ぴんと引っ張られた状態で着座した人の背中のための支持面となるよう背もたれフレームに作動的に連結されている。この形態では、カバーは、横方向に延びる細長い部材２０６３ｂとは異なる長手方向に延びる細長い部材２０６３ａを備えている。図示の形態では、手方向に延びる部材２０６３ａは、カバーの横方向において、カバーの長手方向における横方向に延びる部材２０６３ｂよりも厚い。長手方向部材が比較的厚いので、カバーを横方向に拡張すると、水平方向部材は、長手方向部材の幅の延びよりも多くの量伸長する。即ち、長手方向部材相互間の横方向ストランドは、長手方向部材の幅の延びよりも多くの量伸長する。カバーは、図３５ａ〜図４０を参照して上述した材料の任意のもので形成できるが、好ましくは、エラストマー材料、例えばHYTRELで作られる。
【０３０６】
全体として長手方向に延びる細長い部材２０６３ａの少なくとも幾つかは、全体として横方向に延びる細長い部材２０６３ｂの少なくとも幾つかよりも深い深さ（図８０ａの紙面を通過する方向に）を有するのが良い。例えば、全体として中央に配置された複数の全体として長手方向に延びる細長い部材は、全体として横方向に延びる細長い部材よりも深い深さを有するのが良い。全体として中央に配置された複数の全体として長手方向に延びる細長い部材は、残りの全体として長手方向に延びる細長い部材よりも深い深さを有するのが良い。他の形態を使用しても良い。代替的に又は追加的に、全体として長手方向に延びる細長い部材の少なくとも幾つかは、全体として横方向に延びる細長い部材の少なくとも幾つかよりも人体支持方向において更に前方に突き出るのが良い。
【０３０７】
好ましくは、引き伸ばし寸法ＳＷは、成形されたばかりの寸法ＩＷの約１．４倍〜約２．９倍であり、好ましくは、成形されたばかりの寸法の約２．１５倍である。引き伸ばし方向に差し向けられた細長い部材の各ストランド（隣り合う長手方向部材相互間）は、好ましくは、その成形されたばかりの長さの約３倍〜約１０倍、より好ましくは約３倍〜約８倍まで引き伸ばされる。
【０３０８】
好ましくは、カバーの弛緩後寸法ＲＷは、成形されたばかりの寸法の約１．１倍〜約１．７５倍であり、好ましくは成形されたばかりの寸法の約１．２倍である。引き伸ばし方向に差し向けられた細長い部材の各ストランド（隣り合う長手方向部材相互間）の弛緩後長さは、好ましくは、その元の長さの約１．５倍〜約４．５倍、より好ましくはその元の長さの約２．１倍である。
【０３０９】
図示の好ましい形態では、カバーの最も大きな成形されたばかりの幅寸法は、３９０ｍｍである。これは、８４０ｍｍまで引き伸ばされるが、５５５ｍｍから１１３０ｍｍまでの範囲に属する任意の長さまで引き伸ばし可能である。カバーの幅を３９０ｍｍから８４０ｍｍまで引き伸ばすと、横方向ストランドは、約２１ｍｍまで延びる。
【０３１０】
すると、カバーは、幅が４７５ｍｍまで弛緩するが、４５０ｍｍから６８０ｍｍまで様々であって良い。ストランドの引き伸ばし後弛緩長さは、３．３ｍｍという開始時の長さと比較して、７ｍｍである。これは、５ｍｍから１５ｍｍまで様々であって良い。
【０３１１】
次に、カバーをフレームへの連結に先立って引き伸ばす。対応のフレーム寸法は、５１０ｍｍであり、このことは、カバーがその成形されたばかりの幅の約１．３倍まで引き伸ばされるということを意味している。
【０３１２】
カバーは、好ましくは、成形プロセスの一部として鋳込まれた表面テキスチャを有している。
【０３１３】
カバーは、好ましくは、成形プロセスの一部として一体形成されていて、カバーをフレームに取り付けるために用いられる取付け特徴部を備えている。カバーを拡張後フレーム上に弛緩させても良く又はカバーの弛緩に続き、例えばカバーを上述した僅かな量拡張することによりフレームに取り付けても良い。
【０３１４】
図８３は、背もたれフレームの下方部分へのカバーの下方部分の好ましい取付け方を示している。背もたれフレームの下方部分は、フレームの一部として一体成形された複数のフック２５０１を備えている。好ましい形態では、フックは、底部の横方向フレーム部材２０３５の前面を横切って互いに間隔をおいて配置されていて、使用の際に座部の後ろに位置決めされる。フック２０５１は、フックの下面から上方に延びる凹部を構成している。
【０３１５】
カバーは、細長い長手方向部材２０６３ａの隣接の相互間且つ細長い横方向部材２０６３ｂの隣接の対相互間に設けられた複数の孔２０６３ｃを備えている。カバーの下方部分は、フック２５０１をカバーの孔２０６３ｃ中に挿入して最も下に位置する細長い横方向部材２０６３ｂがフックの凹部内に受け入れられるようにすることによって背もたれフレームの下方部分に取付け可能である。
【０３１６】
図８４は、背もたれフレームの上方部分へのカバーの上方部分の好ましい取付け方を示している。背もたれフレームの上方部分は、フレームの一部として一体成形された複数のヘッド２５０３を備えている。好ましい形態では、ヘッドは、背もたれフレーム部材２０３９の頂縁部に沿って設けられている。ヘッド２５０３は、フックの前部及び後部の下に延びる凹部２５０５を構成している。
【０３１７】
カバーの頂縁部は、上方湾曲ヘッド２６０３ａ′を各長手方向に延びる部材２０６３の頂部のところに設けるよう成形されている。ヘッドは、ヘッドの前及び後ろでヘッドを横切って横方向に延びる部材２０６３ｂを有している。このような軸方向に延びる部材は、フレームの凹部２５０５と相補しており、カバーのヘッド２０６３ａ′の形状及び形態は、フレームのヘッド２５０３の形状及び形態に実質的に一致している。
【０３１８】
カバーの上方部分をフレームの上方部分に取り付けるため、後側横方向部材２０６３ｂをヘッド２５０３の後ろの凹部２５０５内に位置決めし、次に、カバーをフレームの頂部上に引っ張ってカバーヘッド２０６３ａ′がフレームヘッド相互間に受け入れられ、前側横方向部材２０６３ｂがヘッドの前の凹部内に位置決めされるようにする。
【０３１９】
図８５は、背もたれフレームの側部材へのカバーの側部の好ましい取付け方を示している。背もたれフレームの側部は、フレーム内に延びる互いに間隔をおいたスロット２５０７を備えている。これらスロットは、全体としてＴ字形の開口部を構成し、これら開口部は、横方向部分２５０９及び全体として中央に配置された部分２５１１を備えている。
【０３２０】
図８１ａ〜図８１ｃ及び図８５から解るように、カバーの側部は、中実領域２０６９ａ，２０６９ｂ，２０７１ａ，２０７１ｂを有している。カバーの側部は、フレーム側部材に対応した領域には、取付け特徴部２０６３ｅを備えている。取付け特徴部は各々、部分２０６３ｄの縁部からカバーの残部に向かって後戻りして延びる全体として平らな部分２０６３ｅ′及び全体として平らな部分２０６３ｅ′を残部２０６３ｄに連結するウェブ２０６３ｅ″を有している。ウェブは、平らな部分の撓みを最小限に抑えると共に追加の強度を取付け特徴部に与えている。実質的に平らな部分２０６３ｅ′は、フレームの開口部横方向部分２５０９内に嵌まり込むような寸法形態のものであり、ウェブは、開口部の部分２５１１を貫通して延びている。
【０３２１】
フレームの凹部は、一般に、フレームの後面に設けられ、カバーは、フレームの縁部（図８５に示すフレーム部材の右側）周りに延び、そして凹部から見てフレーム部材の反対側（図８５に示すフレームの後側）を横切って戻り、フレームの側部材（図８５に示すフレームの左側に）相互間で開口部を横切って延びるようになっている。
【０３２２】
カバーをフレームに取り付けるため、カバーを拡張し、カバーの側部をフレームの側部材周りに引っ張り、取付け特徴部２０６３ｅをフレームの凹部内に挿入してカバーの側部をフレームに取り付ける。取付け特徴部は、主として、位置決め機能を果たすことができる。さらに、任意適当な手段、例えば接着剤、締結具又はカバーをフレームに溶接することによりカバーをフレームに固定するのが良い。次に、カバーの頂部を上述したようにフレームの頂部に取り付ける。次に、カバーの下方部分をフレームの下方部分のフックに取り付ける。
【０３２３】
図８１ａ〜図８１ｃ及び図８８から解るように、カバーは、互いに反対側の側部からカバーの各側中に延びる凹み区分２０７３ａ，２０７３ｂを有している。凹み区分は、着座した人のひじのための隙間空間を形成するよう、全体として垂直位置が背もたれフレームの相対的に幅の狭い相互連結領域２０３１に対応している。カバーは、凹み区分に載る着座した人のひじのための応従性のある支持面を提供するよう凹み区分内では実質的に無支持状態にある。凹み区分は、上述の第１の実施形態の凹み区分よりも小さい。
【０３２４】
カバーは、各凹み区分２０７３ａ，２０７３ｂから後方且つ内方に延びる区分２０６１ａ，２０６１ｂを有している。区分２０６１ａ、２０６１ｂは、背もたれフレームの相対的に幅の狭い相互連結領域２０３１に連結されるのが良い。代替的に又は追加的に、区分２０６１ａ，２０６１ｂは、背もたれフレームの背もたれ部材２０３３，２０４１に連結されても良い。フレーム及び区分２０６１ａ，２０６１ｂの形態は、背もたれ部の後部がその領域では望ましい「蝶ネクタイ」型の美感を有するようなものである。後方且つ内方に延びる区分２０６１ａ，２０６１ｂは、カバーの一体成形部分であっても良く、その領域においてカバーの前側部分に連結される別個のコンポーネントであっても良い。
【０３２５】
図８６ａは、背もたれフレームに取り付けられた好ましい形態の後方カバー区分２０６１′を示し、図８６ｂは、フレームへの取付け前の好ましい形態の後方カバー区分を示している。この形態では、区分２０６１ａ，２０６１ｂは、フレームに取り付けられると共に前側カバー区分２０６１に取り付けられた単一の一体成形後方カバー区分２０６１′の一部をなしている。
【０３２６】
図８６ｂから解るように、後方カバー区分２０６１′は、後方カバー区分２０６１′の一部として一体成形された複数の互いに間隔をおいた取付け特徴部２０６１″を有している。特徴部２０６１″は、図８７ａに示されているようにフレーム部材２０３３，２０４１に設けられたスロット２０３３ａ，２０４１ａ内に受け入れられていて、カバーをフレーム部材上の定位置に維持する拡大ヘッドを有している。
【０３２７】
図８７ｂ〜図８７ｄは、後側カバー区分２０６１′をカバーの前側部分２０６１に取り付けるための適当な取付け方法を示している。カバーの側部は、凹み領域では、実質的に中実ではない。これとは異なり、孔２０６３ｃが、実質的にカバーの縁部まで延びている。カバーは、各側に、１つの列をなした２０６３ｃ′を備え、これら孔は、区分２０６１ａ，２０６１ｂに設けられたコネクタ２０６４を受け入れるよう形作られている。各区分をカバーに取り付けるため、コネクタ２０６４を対応の孔２０６３ｃ′中に位置決めし、リテーナ２０６６をコネクタ中に挿入する。図示の形態では、リテーナは、後側カバー区分２０６１′の一体成形部分である。ただし、リテーナは、別個のコンポーネントであっても良い。図８７ｄから解るように、フレーム部材２０３３，２０４１は、リテーナ２０６６を受け入れる孔を備えている。係合突出部２０３３ｂが、フレームコンポーネント２０３３に設けられ、このような係合突出部は、カバーの前側部分をカバーの後側部分と接触状態に保つと共にリテーナを部材２０６０中の定位置に維持するようリテーナに設けられた孔２０６６ａ内に受け入れられている。フレーム部材２０４１，２０３３へのリテーナ２０６６の連結以外では、カバーは、側部凹み領域内では無支持状態である。
【０３２８】
カバー及び区分２０６１ａ，２０６１ｂをコネクタ２０６４及びリテーナ２０６６がカバーの内部に位置するように組み立てる。これに代えて、コネクタをカバーの一部として成形し、孔２０６３ｃ′を区分２０６１ａ，２０６１ｂの一部として形成しても良いことが解る。カバーの一方の側では、コネクタを前側カバー区分の一部として成形し、他方の側では、コネクタを後側カバー区分の一部として成形しても良い。
【０３２９】
図８８は、後側カバー区分２０６１ａ，２０６１ｂが別々のコンポーネントである変形形態を示している。
【０３３０】
次に図７６〜図８０を参照すると、背もたれフレームの上方部分２０２９は、背もたれ部の垂直方向全高を減少させるために上方部分の残部２０２９ｂに対して選択的に後方に折り曲げられるようになった上側区分２０２９ａを有している。背もたれ部の垂直方向全高の減少により、着座する大人は、背もたれ部の上端部を自分の脇の下に位置決めした状態で側方から着座することができると共に且つ（或いは）その位置に着座したときに、自分の腕を背もたれ部の上端部上に載せることができる。
【０３３１】
上方部分を全体として垂直な支持部材２０４３ａ，２０４３ｂは、後方に撓むよう構成されており、その結果、後ろ向きの力又は後ろ向き／下向きの力が上方区分２０２９ａに加えられると、上方区分２０２９ａは、後方に折れ曲がるようになる。図示の形態では、支持部材２０４３ａ，２０４３ｂは各々、エラストマー材料２０４４で作られた弾性ブロック２０４４を有し、この弾性ブロックは、その後面内に延びる複数のスロット２０４４ａを備えている。エラストマー材料は、本明細書のどこかに列記された適当な材料の任意のものであって良い。
【０３３２】
スロットは、閉じられると、上方部分の残部に対する上方区分の後方運動を制限する。
【０３３３】
上方部分は、上方部分の残部２０２９ｂに対する上方区分２０２９ａの運動の前方限度及び後方限度を定める追加の制限機構体を備えている。制限機構体は、上方部分の残部２０２９ｂに連結されていて、エラストマーブロック２０４４を越えて上方に延びる弾性ストラップ２０４６を有している。ストラップは、図示の形態ではブロックである係合部材２０４６を支持している。このブロックは、上方区分２０２９ａに設けられた凹部２０４８内に摺動可能に受け入れられている。ブロックがストラップに対して固定されているので、ブロックと凹部２０４８の上壁との係合により図８０に実線で示されている上方区分運動の後方限度が定められ、ブロックと凹部の下壁との係合により、図８０に想像線で示されている上方区分運動の前方限度が定められる。
【０３３４】
変形例として、ストラップを上方区分２０２９に連結し、係合部材を残りの区分２０２９ｂ内に摺動可能に受け入れても良い。ブロック及び凹部を用いるのではなく、別の形態、例えばストラップに対して固定され、スロット内に摺動自在に受け入れられるピンを用いても良い。
【０３３５】
この形態により、実質的に滑らかな上方区分の後方折り曲げ動作が提供される。
【０３３６】
上方区分２０２９ａが後方に折り曲げられると、上方区分２０２９ａは、着座した人の腕を載せるプラットホームとなり、荷重をこれから分散させる。
【０３３７】
アーム組立体
背もたれ部は、好ましくは、ひじ掛け２１０１ａ，２１０１ｂを背もたれ部から支持するアーム組立体の一部をなす支柱２０５１ａ，２０５１ｂを有している。上述したように、背もたれフレームの下方部分２０２７は、着座したばかりの人の背中の側部を包囲するようぐるりと湾曲している。図８９〜図９１に示されているように、アーム組立体のひじ掛け２１０１ａ，２１０１ｂは、これらの内面がその領域において背もたれ部のカバーの連続部を効果的に形成するように構成されている。図示の形態では、内面２１０１ｃ，２１０１ｄは、凹状の曲率を有し、少なくとも着座する人が椅子に側方から着座して背もたれ部に寄り掛かったとき、その領域において背もたれ部のカバーの曲率の連続部を形成する。これに代えて、内面２１０１ｃ，２１０１ｄは、実質的に平らであっても良い。各ひじ掛けの内面全体は、好ましくはクッション付きである。ひじ掛け２１０１ａ，２１０１ｂは、アーム支柱２０５１ａ，２０５１ｂから片持ち方式で前方に延びている。
【０３３８】
ひじ掛けは、好ましくは、図９２に示されているように以下に説明する機構体を用いて背もたれ部に対して高さ調整可能（Ｈ）である。この場合も又、好ましくは、着座した人の脚がひじ掛けと座部との間に嵌まり込むことができるのに十分な間隔が、ひじ掛けの少なくとも１つの調整位置においてひじ掛けの下に設けられる。ひじ掛けポストの前方角度に起因して、ひじ掛けは、ひじ掛けの高さが増大すると、座部に対して前方且つ上方に動き、ひじ掛けの高さが減少すると、座部に対して下方且つ後方に動く。
【０３３９】
図９３〜図９７は、ひじ掛けの好ましい構造を示している。図９５を参照すると、各ひじ掛けは、ベース部材２１１１を有し、このベース部材は、適切には、複数のウェブ及び凹部を有する成形ポリマーコンポーネントである。ひじ掛けの高さを調整するロック機構体のアクチュエータ２１１３が、ベース部材２１１１の外部の下側に関節連結されており、したがって、ユーザは自分の腕をひじ掛けに載せた状態でこのアクチュエータに接近できる。比較的剛性のクッション機材２１１５が、ベース部材２１１１に載るような寸法形状になっており、クッション構成体２１１７が、クッション基材上に装着されている。クッション基材及びクッション構成体は、ベース部材２１１１の上面及び内面を覆っている。
【０３４０】
図９８は、図９２の９８−９８線矢視断面図であり、ひじ掛けコンポーネントの適当な連結方法を示している。ベース部材２１１１は、その側面及び頂面に沿って複数のロック突出部２１１１′を備えている。クッション基材２１１５は、相補した孔を有している。クッション構成体２１１７は、クッション基材とベース部材２１１１との間に受け入れられた張り出しリップ２１１７ａを有し、この張り出しリップ２１１７ａも又、相補孔を有している。ロック突出部は、ベース部材、クッション基材及びクッション構成体の一方向係合をもたらすようテーパした拡大ヘッドを備えている。
【０３４１】
クッション構成体は、クッション構成体の外面に荷重が加えられていないとき、クッション構成体の外面をクッション基材から間隔をおいた位置に保持する複数本の弾性ピン２１１７ｂを有している。これらピンは、好ましくは、クッション構成体の外面及びクッション構成体の対応の領域に対して直角ではない角度をなして差し向けられており、したがって、ピンは、所定の方向に潰れるようになっている。
【０３４２】
幾つかの実施形態では、ユーザの腕を支持するひじ掛けの部分は、全体として水平平面内に向いて選択的に可動であるのが良い。
【０３４３】
このひじ掛けの機構体は、図４５ａ〜図４８を参照して上述したのと実質的に同一である。即ち、ひじ掛け支持体２０５１ａは各々、互いに間隔をおいた互いに平行な第１の細長い壁２１２３及び第２の細長い壁２１２５を備えた細長いスロット２１２１を有している。支持体は、図示の形態では横方向スロット２１２７であるロック特徴部によって定められた複数の互いに間隔をおいた別々のロック位置を更に有している。
【０３４４】
各ひじ掛け支持体は、ベース部分２０５１′及び２つのフランジ部分２０５１″を有している。支持体の近くに位置するひじ掛けの端部は、椅子の背もたれ部に設けられた支持体に係合する係合機構体２１２９を有している。ひじ掛けは、係合機構体によりスロット２１２１に対して全体として横の方向で、即ち、全体として前方に延びる方向に、支持体から片持ちされている。係合機構体２１２９は、取付け部分２１３１ａ，２１３１ｂを備えたポリマー取付けコンポーネント２１３１を有し、これら取付け部分は、ひじ掛け支持体のフランジ２０５１″の周りに延びてこれらを捕捉している。図示の形態では、取付けブロック２１３１は、外側ハウジング２１２９内に受け入れられると共にひじ掛けベース２１１１に取り付けられている。変形例として、取付けブロックは、ひじ掛けベース２０１１の一体部分として形成されても良い。
【０３４５】
係合機構体は、この場合も又、少なくとも２つの互いに間隔をおいた支承機構体２０３３を有し、これら支承機構体は、スロットの延長方向に互いに間隔をおいて位置すると共に細長いスロット２１２１内に摺動可能に受け入れられている。支承機構体と第１及び第２の長手方向壁との係合の仕方は、上述した第１の好ましい形態の場合と同一である。支承機構体２１３３は、ポリマー取付けコンポーネント２１３１内のシャフト２１３０に回転可能に取り付けられている。取付けコンポーネント２１３１は、使用中、ロック部材２１３５の一部を挿通させる孔２１３２を更に有している。支承機構体は、上述した第１の好ましい形態の椅子について説明した形式の任意のものであって良い。
【０３４６】
ひじ掛けを支持体に対して選択された位置にロックするロック機構体が設けられている。このロック機構体は、ひじ掛け内に摺動可能に設けられたロック部材２１３５、ひじ掛けの遠位端部のところ又はこの遠位端部寄りに位置決めされたアクチュエータ２１１３、ロック部材とアクチュエータを互いに連結する連結部材２１３９及びばね２１１４を有している。連結部材は、ひじ掛けベース２１１１内に受け入れられている。この形態では、ばねは、ロック部材２１３５を付勢してこれをひじ掛け支持体のロックスロット２１２７に係合させる圧縮コイルばねである。ばねは、任意他の適当な形式のものであって良い。ばねは、レバーをひじ掛けの下側から押し離すよう設けられるのが良い。
【０３４７】
この場合も又、ロック部材２１３５は、ひじ掛けの係合部分から延びてひじ掛けを所望の位置に維持するための支持体のロックスロット２１２７の１つの中に嵌まり込んでいる。着座した人がひじ掛けの高さを調整しようと思った場合、着座した人は、ばねの付勢力に抗してアクチュエータ２１１３を引き上げ、それにより、ロック部材２１３５は、支持体との係合状態から離脱し、それによりロック部材と支持体との間の摺動運動が可能になる。図示の形態では、アクチュエータ２１１３は、ひじ掛けに対して回動するレバーであり、連結部材は、実質的に剛性であり、したがって、アクチュエータがひじ掛けの裏面に向かって上方に引き寄せられているときのアクチュエータの回動運動により、ロック部材２１３９が摺動してロックスロットとの嵌合関係から離脱し、ひじ掛けの高さを調整することができるようになっている。これに代えて、アクチュエータをケーブル又は任意適当な別の装置によってロック部材に連結しても良い。関節連結アクチュエータレバーに代えて、別の形式のアクチュエータを用いても良い。
【０３４８】
座部構成体、クッション及び座部支持機構体
図６１〜図７１を参照すると、座部は、座部支持パン２２０１を有している。このパンは、一体成形ポリマー構成体である。図６１及び図６２に詳細に示された座部パネル２１０２が、座部パンの頂部に取り付けられている。座部パネル２１０２は、可撓性ポリマーパネルの形態をしており、その可撓性は、上述したスロットの配置状態によって高められている。このプラスチックパネル及びパンを射出成形プラスチック又は任意他の適当な材料で作ることができる。
【０３４９】
注目されるように、座部パネル２２０２は、平らなパネルであるように図示されているが、座部パネルは、皿形であっても良い。パネルを所望の皿形に支持するために補強リブをパネルの下面に設けるのが良い。
【０３５０】
座部パネルは、着座した人に順応し、着座した人の動きに応動するよう可撓性である。図６１及び図６２に示されているような座部パネル２２０２に設けられたスロットの配置は、座部パネル２２０２の可撓性を高めるよう設計されている。
【０３５１】
パネルの前半分のスロットの配置状態は、横方向折り曲げ線に沿う座部パネルの折り曲げを容易にするよう設計されている。具体的に説明すると、スロットは、座部を横方向に横切ると共に座部パネルの前縁部ＦＥに全体として平行に延びる一連の互いに間隔をおいた線２２０２ａの状態に配置されていることが解る。スロットのこのような線２２０２ａは、不連続である。パネルの前半分は、複数の全体として半径方向に延びる波形のスロット弱め部２２０２ｂを更に有している。各横方向スロット２２０２ａは、隣りのスロット２２０２ａから座部パネルを横方向に横切って、複数の全体として半径方向に延びる弱め部２２０２ｂによって隔てられている。
【０３５２】
一連の互いに間隔をおいた弱め部２２０２ｂにより、座部パネルの前縁部は、着座した人の脚の重量を受けて下方に折れ曲がることができる。さらに、前側コーナ部のところでは、スロット付きパターン２２０２ａ′は、座部パネルの縁部の形状全体として辿ってコーナ部の周りに延びるようなものである。このように、ユーザが足を前方コーナ部の１つまで動かした場合、スロット２２０２ａ′の斜め配置により、前方コーナ部は、着座した人の脚の重量を受けて折れ曲がるということができるである。
【０３５３】
座部パネルの側部に設けられたスロットの配置状態は、ユーザが座部パネル状に側方から着座した場合にユーザの脚の重量を受けて生じる座部パネルの側部の折り曲げを容易にするよう設計されている。具体的に説明すると、スロットは、座部に沿って長手方向に且つ全体として座部パネルの各側縁部ＳＥに平行に延びる一連の互いに間隔をおいた線２２０２ａ″をなして配置されていることが解る。スロットのこのような線２２０２ａ″は、不連続である。パネルの側部は、複数の全体として半径方向に延びる波形のスロット弱め部２２０２ｂを更に有している。各横方向スロット２２０２ａ″は、隣りのスロット２２０２ａ″から座部パネルに沿って長手方向に、複数の全体として半径方向に延びる弱め部２２０２ｂによって隔てられている。弱め部２２０２ａ″，２２０２ｂは、座部パネルの後側コーナ部周りに延びているが、座部パネルの後側縁部の大部分には、弱め部が設けられていない。
【０３５４】
パネルの後ろ半分は、座部上の通常の前方に見た着座位置にあるときの着座した人のための主要な支持領域を定める中央ゾーン２２０３を構成している。中央ゾーン２２０３では、スロットは、着座した人の座骨突起に対応するパターンをなして配置されている。具体的に言えば、スロット付きパターンは、場所が着座した人の座骨突起に対応した２つの互いに間隔をおいたほぼ円形のゾーン２２０３ａを提供する。各ゾーン２２０３ａは、一連の全体として同心円をなして配置したスロットで構成され、各円は、複数の不連続のスロットから成っている。各ゾーン２２０３ａのスロットの配置状態により、スロット相互間の残りの材料は、広がって離れることができ、それにより、着座した人の各座骨突起について１つずつポケットが作られる。
【０３５５】
図６３及び図６４から解るように、座部パネルの中央ゾーンは、座部支持パンの比較的剛性の中央ゾーン２２０１ａの上方に配置されている。座部支持パンは、パネル及びクッションと一緒に座部の一部並びに以下に説明する座部深さ取付け具と一緒に座部支持体の一部を形成している。座部パンの中央ゾーン２２０１ａは、後側ゾーン２２０９及び左側ゾーン２２１１ａ、右側ゾーン２２１１ｂ及び前側ゾーン２２１３で構成された外側ゾーンによって包囲されている。パンは、座部パネルが着座した人の重量を支持しているとき、座部パネル２１０２の撓みを可能にする隙間を提供するよう全体として皿の形をしている。
【０３５６】
座部パンは、座部パネル及びクッション２２０４を支持している。座部支持体は、ベース部材２２０１ａ及び複数の弾性支持部材を有し、これら弾性支持部材は、座部パネルをこれらの両端部のところに支持するよう中央ゾーン２２０１ａから上方且つ外方に延びている。図示の好ましい形態では、座部支持体は、座部パンの中央ゾーンの各側部に沿って設けられた２つの側部弾性支持部材２２１９ａ，２２１９ｂ，２２１９ｃ，２２１９ｄを有している。部材２２１９ａ，２２１９ｂ，２２１９ｃ，２２１９ｄの上端部は、座部パネルの可撓性側部を支持している。
【０３５７】
さらに、図示の形態では、座部支持パンは、一体形の湾曲コネクタ部材２２２１ａｂによって互いに連結された２つの後側弾性支持部材２２２１ａ，２２２１ｂを有し、このコネクタ部材は、座部の後縁部ＲＥの曲率に一致した曲率を有している。後側支持部材２２２１ａ，２２２１ｂ並びに湾曲コネクタ部材は、座部パネルの後縁部を支持している。
【０３５８】
座部支持体は、座部の前方部分を支持した３つの前側弾性支持部材２２２３ａ，２２２３ｂ、２２２３ｃを有している。
【０３５９】
座部パネルの中央部分２２０３は、座部上の通常の前方に向いた着座位置にあるときの着座した人の重量の大部分を受け入れるようになっている。
【０３６０】
各弾性支持部材は、着座した人が重量を座部上でいずれかの側に後方又は前方に加えると、変形し又は撓むよう構成されており、それにより、座部の斜め運動が生じる。図６５は、着座している人重量が座部の中心の左側２２１１ａ又は右側２２１１ｂにオフセットした場合の座部の傾動動作を概略的に示している。
【０３６１】
座部の側部、前部又は後部に沿って異なる数又は異なる形式の弾性支持部材を設けても良いことは解る。
【０３６２】
座部パネルの側部の可撓性の向上に加えて、弾性部材２２１９ａ，２２１９ｂ，２２１９ｃ，２２１９ｄの弾性により、座部パネルの側部及び前部は、着座する人が座部上に側方から着座した場合に着座した人の脚の重量を受けて下方に折れ曲がることができる。図６６及び図６７は、着座した人の脚の重量を受けて撓んでいる座部の側部ゾーンを概略的に示している。座部支持体の弾性側部支持部材と座部パンの側部の可撓性は、互いに協働して、椅子上に側方から位置した着座した人のための応従性のある快適な表面を形成することになることが解る。例えば、ユーザは、ユーザの重量が右側にオフセットした状態で椅子の上に側方から着座することができ、それにより、座部パンは、弾性支持体により右側に傾動し、その結果、座部パンの左側は、持ち上がるが、左側ゾーンは、着座した人の脚の裏側に過度の圧力をかけないよう着材した人の脚の重量を受けて撓む。
【０３６３】
中央部分２２０３は、座部パンの後方支持部分を構成し、中央部分の前に位置する前方部分は、可撓性が増大する。部材２２２３ａ，２２２３ｂ，２２２３ｃの可撓性及び弾性の増大により、座部の前方部分は、着座する人が座部上で前方に着座すると、前方部分が着座した人の脚の重量を受けて変形することができる。前方部分は、全体として、側部ゾーンよりも高い可撓性を示すよう設計されている。好ましい形態のリクライニング機構体により、座部は、背もたれ部がリクライニングすると持ち上がるので、座部パネルの可撓性前側部分を設けると、前側部分が過度の力を着座した人の脚の裏側に及ぼすのを阻止するという利点がある。
【０３６４】
座部パネル２２０２は、使用中、着座した人と接触する着座面を形成するのが良い。変形例として、好ましくは、着座した人のための応従性のある支持面を提供するクッション２２０４を設けても良い。クッションは、好ましくは、例えば接着剤等によって座部パネルに取り付けられたフォーム部品から成る。クッションのためのカバーが設けられる。カバーは、好ましくは、クッション及び取付け状態の座部パネルの頂部及び側部を覆うと共に座部パネルの下に少なくとも或る程度ぐるりと延びるよう構成されている。座部パネルは、任意適当な手段により座部パンの弾性部材の上端部に連結されるのが良い。例えば、座部パネル及び弾性部材は、コンポーネントを互いに連結することができる成形取付け特徴部を備えるのが良い。別の例として、締結部を用いても良い。好ましくは、座部パネルの下に延びるカバーの部分は、座部パネルが弾性部材に連結されると、座部パネルと弾性部材との間に捕捉される。
【０３６５】
座部支持パン２２０１は、スライダを形成すると共に図６８に示されているように座部深さ取付け具２２２１の対応の縁部２２１７ａ，２２１７ｂを摺動可能に受け入れる一対の長手方向に延びるチャネル２２２０ａを更に有している。座部支持体は、座部深さ取付け具２２２１に対して選択された位置にロック可能である。座部深さ取付け具２２２１は、一方の縁部に沿って設けられていて、座部支持体の別々のロック位置を定める多数の互いに間隔をおいたロック特徴部２２２３を有する。ロック特徴部は、スロットの形態をしている。
【０３６６】
図６９〜図７１を参照すると、座部支持体は、ロック部材２２２５を支持し、このロック部材は、座部支持体に枢着されると共に座部を深さ調整位置にロックするためのロック特徴部の１つと係合するよう内方に付勢されている。ロック部材は、可撓性部材、例えばケーブル２２２９によってアクチュエータレバー２２２７に作動的に連結されており、このようなロック部材は、アクチュエータレバーの外側部分を着座面に向かって上方に持ち上げると、ロック部材が座部深さ取付け具のロック特徴部との係合状態から解除され、それにより、座部の深さを調整することができるように構成されている。図７１は、ロック部材２２２５を解除位置で示している。
【０３６７】
アクチュエータレバー２２２７は、着座した人が座部の周辺縁部領域の下に到達することにより接近可能であるように位置決めされている。アクチュエータレバーは、複数本の着座した人の指を受け入れるような寸法形状のパドル表面２２２７ａを有している。アクチュエータレバーは、座部の周辺縁部領域の下で座部の下面に関節連結されている。図示の実施形態では、アクチュエータレバーは、凹部２２２７ｃに受け入れられたピボットシャフト２２２７ｂを介して弾性部材２２２９ｂの下面に枢着されている。アクチュエータレバーが座部の可撓性周辺縁部領域の下面に関節連結されているので、ピボット取付け部を含むレバー全体は、周辺縁部領域が着座した人の脚の重量を受けて撓むと、動く。このことは、周辺縁部領域が変形したときにレバーが偶発的に作動されるのを阻止するのに役立つ。
【０３６８】
図示の形態では、レバーは、機構体を作動させるのに座部の方への上方引き寄せを必要とするが、変形例として、レバーは、機構体を作動させるのに座部からの下方押し離しを必要としても良い。変形例のレバーは、機構体を作動させるのに全体として水平の平面内の運動を必要としても良い。このレバーは、全体として垂直のピボットを中心として回動するのが良い。
【０３６９】
椅子を再構成することができる他の機構体を作動させるための同一形式の作動レバー又はアクチュエータレバーを用いても良い。一例を挙げると、以下に説明する高さ調整ばねコントローラのための類似の機構体が用いられる。
【０３７０】
アクチュエータレバーは、座部の側部に沿って設けられるのが良く、或いは、変形例として、座部の前部の下、例えば前側コーナ部の下に設けられても良い。
【０３７１】
リクライニング機構体
この好ましい形態では、椅子は、中間支持体を備えていない。したがって、リクライニング機構体は、主トランサム２０２１と座部深さ取付け具２２２１との間に直接連結される。好ましい形態のリクライニング機構体は、図５６〜図６０に示されている。リクライニング機構体は、主トランサム２０２１の後方部分と座部深さ取付け具２０２１の後方部分との間に延び、それにより座部の後方部分と支持フレームを作動的に連結する一対の後側変形可能部材２３５１を有している。これら２つの部材２３５１は、横方向に間隔をおくと共に座部のそれぞれの側部寄りに位置決めされている。
【０３７２】
リクライニング機構体は、主トランサム２０２１の前方部分と座部深さ取付け具２２２１の前方部分との間に延び、それにより座部の前方部分と支持フレームを作動的に連結する一対の前側変形可能部材２３５３を更に有している。これら２つの部材２３５３は、横方向に間隔をおくと共に座部のそれぞれの側部寄りに位置決めされている。
【０３７３】
前側部材２３５３及び後側部材２３５１は、横方向に幅が狭く、長手方向に長い。幅の狭い別々の前側及び後側変形可能部材を設けることにより、横方向部材を用いる場合と比べて材料の節約が達成される。椅子の背もたれ部をリクライニングさせたときにユーザの重量が座部の側部の一方に向かってオフセットする場合、座部の側部の独立運動を達成することができる。
【０３７４】
前側部材２３５３及び後側部材２３５１の上端部は、任意適当な手段によって座部深さ取付け具に連結されている。図示の形態では、締結具、例えばボルトが用いられている。
【０３７５】
部材２３５１，２３５３のエラストマー材料は、上述の第１の好ましい形態のリクライニング機構体について説明した種類の任意のものであって良い。
【０３７６】
下側変形可能部材２３５７が、椅子の主トランサムから背もたれ支持体の下方部分２０４９ｂまで後方に延び、それにより、背もたれ部の下方部と支持フレームが互いに作動的に連結されている。下側変形可能部材は、任意適当な手段、例えばボルト又は他の締結具によって背もたれ支持体に連結されるのが良い。下側変形可能部材は、好ましくは、主トランサムの実質的に幅全体にわたって延びるパネルの形態をしており、このパネルを上述の第１の好ましい形態についてパネル３５１，３５３と関連して上述した材料の任意のもので作ることができる。
【０３７７】
リクライニング機構体は、下側変形可能部材の上方に位置していて、座部深さ取付け具２２２１の後方部分から背もたれ支持体の上方部分２０４９ａまで延び、それにより背もたれ部を座部に作動的に連結する引き部材又は引き具２３６１を更に有している。引き具は、任意適当な手段、例えばボルト又は他の締結具によって背もたれ支持体及び座部深さ取付け具に連結されるのが良い。この場合も又、引き部材は、好ましくは、実質的に主トランサムの幅にわたって延び、上述の第１の好ましい形態に関するパネル３５１，３５３と関連して上述した材料の任意のもので作ることができるパネルの形態をしている。しかしながら、特定の形態に応じて、引き部材は、変形可能な部材よりも実質的に剛性であるのが良く、その主要の目的は、後方引張り作用を及ぼして座部を動かすことにある。
【０３７８】
この場合も又、リクライニング機構体は、椅子の背もたれ部２０１５をリクライニングさせると、下側変形可能部材２３５７が変形し、引き部材２３６１が後方引張り作用を及ぼし、それにより座部が後方に動くと共に前側及び後側変形可能部材が変形するように構成されている。図５７〜図５９４は、背もたれ部２０１５を備えた椅子を直立形態で示している。図６０〜図７２は、背もたれ部２０１５を備えた椅子をリクライニング形態で示している。図６０は、着座した人（図示せず）の重量Ｗが座部に加えられ、背もたれ部がリクライニング動作ＲＡを行っている状態の座部を示している。下側変形可能部材２３５７は、支持体延長部２０４９ｂが下降することができるよう撓んでおり、引き具２３６１は、後方引張り作用を中間支持体に及ぼし、それにより、中間支持体は、荷重が座部に加えられているが、背もたれはリクライニング動作を起こしていない場合にこの中間支持体の取る位置から上昇すると共に後方に動く。前側及び後側変形可能部材２３５３，２３５１は、中間支持体の運動、それにより座部の運動を生じさせるよう撓んで波形の形になっている。
【０３７９】
座部の少なくとも大部分、即ち、少なくとも後方部分は、背もたれ部をリクライニングさせると持ち上がって後方に動くので、着座している人の重量は、背の垂れ部のリクライニング動作を補償する。したがって、後ろ向きの力を背もたれ部から除くと、着座している人の重量により、背もたれ部は、直立位置に戻ることになる。
【０３８０】
部材２３５１，２３５３は、異形前面を備えている。
【０３８１】
リクライニング機構体は、下り停止部を備え、下り停止部は、背もたれ部をリクライニングしていないとき、この停止部が座部に着座している人の重量を支持フレームを介して支持するために主トランサムに載るよう構成されている。好ましくは、椅子の各側のところ又は各側寄りにリクライニング限度及び下り停止部が設けられる。任意他の適当な形式又は形態の下り停止部及びリクライニング限度を用いることができる。
【０３８２】
変形可能部材の少なくとも２つは、一体成形構造体を形成するのが良い。特に、前側変形可能部材２３５３、後側変形可能部材２３５１及び下側変形可能部材２３５７は、一体成形構造体を形成するのが良い。次に、この一体成形構造体を主トランサム２２２１上に複合成形する。
【０３８３】
このリクライニング機構体を、深さ調整可能な座部を備えていない椅子に組み込むことができるということが解る。
【０３８４】
リクライニング機構体に変形可能な部材を用いることにより、この機構体は、所望のリクライニング動作が得られるよう調節可能である。例えば、変形可能な部材は、リクライニング動作全体を通じて可変抵抗、例えばリクライニング位置に向かって高い抵抗をもたらすよう形成できる。さらに、変形可能部材は、所要の動作に応じて、着座角の変化が行われ又は行われず、しかも弧状運動が行われ又は行われない座部運動を提供するよう形成できる。
【０３８５】
高さ調整ペデスタル作動
図９９〜図１０２は、地面より上の座部２０１３の高さを変化させるために高さ調整ペデスタルの高さ調整ばねを制御する好ましい形態の作動機構体２７０１を示している。主トランサム２２２１は、高さ調整ばねの上端部２０１９及びかくして高さ調整ペデスタルの上端部を受け入れる孔２２２１ａを備えた取付け区分を有している。ペデスタルの高さ調整ばねは、上端部に解除ボタン２０１９ｃを備えている。解除ボタンが押し込まれていない場合、高さ調整ばねは、実質的に選択された位置にロックされている。ユーザが床より上方の椅子の座部の高さを調整したいと思った場合、ボタン２０１９ｃを内方に押して高さ調整ばねの位置を解除しなければならない。高さ調整ばねのボタン２０１９ｃを解除すると、この場合も又、高さ調整ばねは、選択された位置に実質的にロックされ、それにより床より上方の座部の位置が実質的にロックされる。
【０３８６】
ペデスタルの高さ調整ばねは、任意適当な形式のものであって良く、例えば、空気ばね、油圧ばね又は機械式ばねであって良い。
【０３８７】
作動機構体は、高さ調整ばね又はトランサムの製造の際の公差上の問題を補償すると共にトランサムが高さ調整ペデスタルに取り付けられた場合の組み立て上の不正確さを補償する。
【０３８８】
作動機構体は、支持フレームの主トランサム２０２１に関節連結された第１のレバー２７０３を有している。図示の形態では、第１のレバーは、主トランサムに第１のピボット連結部２７０５のところで枢着されることにより主トランサムに関節連結されている。高さ調整ばねの上端部を主トランサムの取付け区分内に挿入したとき、ばね２７０７がレバー２７０３を取付け区分の方へ付勢してこれを高さ調整ばねの上端部２０１９に係合させる。
【０３８９】
図示の形態では、ばねは、ねじりばねである。ただし、これに代えて、別の形式のばね、例えば板ばねを用いても良い。図１０１は、比較的高い位置までトランサムの取付け区分内に挿入された高さ調整ばね２０１９を示し、図１０２は、比較的低い位置までトランサムの取付け区分内に挿入された高さ調整ばねを示している。第１のレバー２７０３の付勢により、ピボット２７０５と反対側の第１のレバーの部分は、高さ調整ばねのいずれの位置においても高さ調整ばねの上端部に接触してこれで支持される。
【０３９０】
作動機構体は、第１のレバー２７０３に関節連結された第２のレバー２７０９を更に有している。第２のレバーは、高さ調整ばねの高さ調整を可能にするよう高さ調整ばねの解除ボタン２０１９ｃに選択的に係合するようになった部分２７１１を有している。図示の形態では、第２のレバー２７０９は、第１のレバーに第２のピボット連結部２７１３のところで枢着されることにより第１のレバー２７０３に関節連結されている。図示の形態では、第２のレバーは、第１のレバーに全体として平行に位置決めされ、高さ調整ばねのボタンに係合する部分を備えた第１の区分２７０９ａ及び第１の区分に対して全体として横方向に延びる第２の区分２７０９ｂを有している。このような形態は、第２のレバーを高さ調整ばねボタンの下向き解除方向に対して全体として横方向であり且つ高さ調整ばねから遠ざかる方向に動かすと、支持フレームの高さを調節できることを意味している。
【０３９１】
可撓性リンク装置２７１５が、第２のレバーの第２の区分２７０９ｂを着座した人が使用できるよう位置決めされたアクチュエータ２７５１に作動的に連結している。図示の形態では、アクチュエータは、ケーブルハウジング２７１５ｂ内に摺動可能に受け入れられたケーブル２７１５ａを有するケーブル組立体である。第１のレバー２７０３は、ケーブルハウジング２７１５ｂの端部を受け入れるケーブルガイド２７１７を有し、ケーブル２７１５ａは、第２のレバー２７０９に係合するようケーブルガイド２７１５ｂを越えて延びている。ケーブルの拡大ヘッド２７１５ｃが、第２のレバーの第２の部分２７０９ｂに設けられた凹部内に受け入れられている。ケーブルガイド２７１９が、作動レバー２７５１に隣接して設けられ、ケーブルハウジング２７１５ｂの他端部は、ケーブルガイド２７１９内に受け入れられ、ケーブル２７１５ａは、作動レバー２７５１に係合するようケーブルガイドを越えて延びている。ケーブルの拡大ヘッド２７１５ｄが、作動レバー２７５１に設けられた凹部内に受け入れられている。
【０３９２】
作動レバーは、好ましくは、座部深さ取付け具と関連して上述した形式のものであり、好ましくは、同様に取り付けられる。座部深さアクチュエータについて上述した変形例も又、この場合に利用できる。
【０３９３】
着座した人によるアクチュエータレバー２７５１の作動により、第２のレバーの部分２７１１は、高さ調整ばねの解除ボタンに係合して、それにより支持フレームの高さを調整することができる。
【０３９４】
作動機構体について説明した特徴は、好ましいオプションに過ぎず、改造を行うことができることが解る。例えば、図示の形態では、第１のピボット連結部２７０５は、第１のレバーの一端部のところに位置決めされ、第２のレバーは、第１のピボット連結部から見てトランサムの取付け区分寄りに位置決めされた第２のピボット連結部２７１３によって第１のレバーに関節連結されている。ピボット位置を交換しても良く、依然として同一の機能が実行されることが解る。
【０３９５】
アクチュエータは、任意適当な形式のものであって良く、着座した人によって使用できる任意適当な位置に設けられるのが良い。しかしながら、可撓性リンク装置を用いた場合の利点は、支持フレームに対して動くよう構成された椅子の部分上又は部分内にアクチュエータを設けることができること及び椅子のこの部分が支持フレームに対して動いているときに高さ調整ばねが偶発的に解除されることがないということがないということにある。例えばアクチュエータを椅子の座部、背もたれ部又はひじ掛け部の任意適当な部分上又は部分内に設けることができる。
【０３９６】
選好制御装置
図１０３〜図１０９は、好ましい形態の選好制御装置の特徴及び動作原理を示している。上述したように、好ましい形態の椅子では、リクライニング機構体は、椅子の背もたれ部２０１５を全体として直立の位置から全体としてリクライニングされた位置に向かってリクライニングさせると、座部２０１３が持ち上がるよう構成されている。即ち、好ましい形態の椅子は、重量補償型リクライニング機構体を有する。
【０３９７】
選好制御装置２８０１は、背もたれ部と座部との間に作動的に係合し、座部２０１３に対する背もたれ部２０１５のメカニカルアドバンテージを変化させ、それにより、全体としてリクライニングされた位置に向かう背もたれ部の変位量が所与の場合、座部の変位量を変化させるよう調整可能である。
【０３９８】
上述すると共に図１０４及び図１０５に示されているように、前側変形可能部材及び後側変形可能部材は、座部深さ取付け具２２２１を主トランサム２０２１に連結している。引き部材２３６１は、座部深さ取付け具から後方に延び、背もたれ部を座部深さ取付け具及びそれにより座部に作動的に連結し、その結果、背もたれ部のリクライニング動作により、座部が持ち上がる共に後方に動くようになっている。
【０３９９】
選好制御装置２８０１は、引き具２３６１の後側端部に連結された選好制御装置ブロック２８０３を有している。選好制御装置ブロック２８０１は、任意適当な方法、例えば接着剤又は締結具により引き具２３６１の対応の領域に取付け可能な２つの可能な取付け領域２８０３ａ，２８０３ｂを有する。選好制御装置ブロックは、引き具と一体成形されるのが良い。
【０４００】
選好制御装置ブロックは、選好調整部材２８０９を受け入れる中央に設けられた領域２８０５を有している。中央に設けられた領域２８０５の側部は、それぞれのスロット２８０８ａ，２８０８ｂだけ取付け領域２８０３ａ，２８０３ｂから間隔をおいて位置している。領域２８０５は、調整部材２８０９を受け入れる全体として垂直に延びる孔２８０７を有している。孔の側部は、全体として位置がスロット２８０８ａ，２８０８ｂに一致したスロット２８０７′に開口している。選好調整部材２８０９は、中央の円筒形本体部分２８１０及び横方向ピンによって構成された２つの横方向延長部２８１０ａ，２８１０ｂを有している。調整部材２８０９が孔２８０７内に設けられると、延長部２８１０ａ，２８１０ｂは、領域２８０５の各側のそれぞれの細長いスロット２８０７′からスロット２８０８ａ，２８０８ｂ内に延びる。調整部材は、以下に説明する仕方で選好ブロック２８０３と背もたれ部との間の関節連結部となる。
【０４０１】
選好ブロック２８０３は又、支持フレーム、特に主トランサム２０２１に関節連結されている。図示の形態では、主トランサム２０２１は、２つの上方に延びるピボット取付け部２０２１ａ，２０２１ｂを有している。ピボットピン（図示せず）が、選好ブロックをピボット軸線２０２２回りに回動可能に主トランサム２０２１に取り付けるために各ピボット取付け部をそれぞれのピボット孔２８０３ｃ，２８０３ｄに連結している。選好ブロックのピボット軸線２０２２は、主トランサムへの背もたれ部のリクライニング連結を可能にするよう底可撓性部材２３５７の上方に垂直方向に間隔をおいて位置している。
【０４０２】
図示の形態では、後側取付けブロック２８１１が、背もたれ部２０１５に剛性的に取り付けられている。後側取付けブロックは、任意適当な方法、例えば接着剤又は締結具を介して背もたれ部の対応の領域２０４９ａ，２０４９ｂに取付け可能な２つの取付け領域２８４０ａ，２８１１ｂを有している。後側取付けブロックは、背もたれ部と一体成形されるのが良い。後側取付けブロック２８１１は、背もたれ部に剛性的に取り付けられているので、取付けブロック２８１１の特徴部は、背もたれ部２０１５の一部となる。下側変形可能部材２３５７を後側取付けブロックの下面に連結するのが良く、或いは変形例として、後側支持部材２０４９ｂに連結しても良い。
【０４０３】
後側取付けブロック２８１１は、２つの前方に差し向けられた延長部２８１３ａ，２８１３ｂを有している。各延長部は、細長いスロット２８１５ａ，２８１５ｂを有している。延長部２８１３ａ，２８１３ｂは、選好ブロックの凹部２８８０ａ，２８８０ｂ内に受け入れられている。選好ピンの延長部２８１０ａ，２８１０ｂは、後側取付けブロック２８１１のスロット２８１５ａ，２８１５ｂ内に受け入れられている。これは、背もたれ部２０１５と選好ブロック２８０３との間の関節連結部を形成している。具体的に説明すると、背もたれ部２０１５は、ピボット軸線２８１７回りに選好ブロック２８０３に回動可能に取り付けられている。
【０４０４】
調整部材及びそれ故に選好ピンは、細長い孔２８０７に沿って上下に動くことができ、それにより、背もたれ部２０１５と選好ブロック２８０３との間のピボット箇所が調整される。これにより、背もたれ部が座部の所望の持ち上げ及びかくして背もたれ部２０１５がユーザの重量を座部２０１３上で動かさなければならないメカニカルアドバンテージを達成するよう後方にリクライニングしなければならない角度の大きさが変化する。
【０４０５】
図１０６は、スロット２８０７′，２８１５ａ，２８１５ｂの頂部のところに位置決めされた選好ピンを有する選好制御装置を示しており、このような頂部は、最高メカニカルアドバンテージ位置である。この位置では、背もたれ部のメカニカルアドバンテージは、最大である。リクライニング中における背もたれ部の変位が所与の場合、座部の上方変位は、最小である。したがって、背もたれ部の所望のリクライニング量を達成するよう背もたれ部に加えられなければならない後ろ向きの力は、最小である。図６の右側は、背もたれ部の１５°の後方リクライニングの結果として生じた座部の変位量を概略的示している。
【０４０６】
図１０７は、第１の中間メカニカルアドバンテージ位置のところに位置決めされた選好ピンを有する選好制御装置を示しており、この位置では、調整部材は、スロット２８０７′，２８１５ａ，２８１５ｂ内に図１０６の場合よりも低い位置に位置決めされている。この位置では、背もたれ部のメカニカルアドバンテージは、図１０６の場合よりも低い。換言すると、リクライニング中における背もたれ部の変位が所与の場合、座部の上方変位は、図１０６の位置の場合よりも大きい。したがって、背もたれ部の所望のリクライニング量を達成するために背もたれ部に加えられなければならない後ろ向きの力は、大きい。図１０７の右側は、背もたれ部の１５°の後方リクライニングの結果として生じた座部変位量を概略的に示しており、この量は、図１０６の場合よりも大きい。
【０４０７】
図１０８は、第２の中間メカニカルアドバンテージところに位置決めされた選好ピンを有する選好制御装置を示しており、この位置では、背もたれ部のメカニカルアドバンテージは、図１０７の場合よりも低い。換言すると、リクライニング中における背もたれ部の変位が所与の場合、座部の上方変位は、図１０７の位置の場合よりも大きい。したがって、座部の所望の持ち上げを達成するために背もたれ部に加えられなければならない後ろ向きの力は、大きい。図１０８の右側は、背もたれ部の１５°の後方リクライニングの結果として生じた座部変位量を概略的に示しており、この量は、図１０７の場合よりも大きい。
【０４０８】
図１０９は、最低メカニカルアドバンテージ位置のところに位置決めされた選好ピンを有する選好制御を示しており、この位置では、調整部材は、スロット２８０７′，２８１５ａ，２８１５ｂの底のところに位置決めされる。この位置では、背もたれ部のメカニカルアドバンテージは、最小である。換言すると、リクライニング中における背もたれ部の変位が所与の場合、座部の上方変位は、最も大きい。したがって、座部の所望の持ち上げを達成するために背もたれ部に加えなければならない後ろ向きの力は、その最も高い設定値にある。図１０９の右側は、背もたれ部の１５°の後方リクライニングの結果として生じた座部の変位量を概略的に示しており、このような変位量は、図１０８の場合よりも大きい。
【０４０９】
選好制御装置は、選好制御装置を作動させてユーザが背もたれ部の所望のメカニカルアドバンテージを選択してユーザの重量を座部上で動かすための任意適当な形式のアクチュエータ（図示せず）を備える。例えば、アクチュエータは、スロット内で作動部材を動かすためのレバー及び可撓性リンク装置を有するのが良い。好ましいアクチュエータは、座部の周辺縁部領域の下に設けられていて、レバーの全体として水平の運動が作動部材を動かすように全体として垂直軸線回りに回動するレバーである。このようなアクチュエータは、部品２２２７ａ′として図６９に示されている。２つ以上のアクチュエータを設けるのが良く、互いに異なるアクチュエータは、選好制御装置の所望の設定値を選択するよう構成される。選好制御装置は、背もたれ部と選好ブロックとの間の所望の関節連結部を選択するよう選択的に係合可能な複数個のボタンを備えるのが良い。
【０４１０】
選好位置は、割送られるのが良い。図示の形態では、スロット２８０７′，２８１５，２８１５ｂの少なくとも１つは、選好ピンの別々の割送り調整位置を定めるよう選好ピンが嵌まる複数の凹部を備えている。変形例として、無限の数の選好位置を設けても良く、選好位置は、選好アクチュエータにより選択される。
【０４１１】
選好制御装置は、少数の調整位置を有するのが良い。例えば、選好制御装置は、最少メカニカルアドバンテージ位置及び最大メカニカルアドバンテージ位置だけを有するのが良い。変形例として、選好制御装置は、１つ、２つ又は３つ以上の中間メカニカルアドバンテージ位置を有しても良い。
【０４１２】
選好制御装置は、リクライニング機構体中のどこに設けられても良い。例えば、選好ブロックは、座部深さ取付け具に取り付けられても良く、引き具は、選好ピンに取り付けられても良く、このような引き具は、背もたれ連結部まで後方に延びても良い。選好制御装置は、中間支持体を有する又は座部深さ取付け具を備えていないリクライニング機構体に使用できる。選好制御装置は、更に、別の形式のリクライニング機構体、例えば、重量の補償が行われないリクライニング機構体を備えた椅子に設けられても良い。
【０４１３】
座部に作動的に係合する（好ましい実施形態における座部深さ取付け具を介して）のではなく、選好制御装置は、別の椅子コンポーネントを作動的に係合しても良い。一例として、別の形式の椅子は、支持フレームに対してリクライニング可能であるが、座部の運動を全く生じさせない背もたれ部を備えても良い。リクライニングばね、例えばねじりばねを背もたれ部と支持フレームとの間に設けることができる。選好制御装置は、背もたれ部とリクライニングばねとの間に作動的に係合するのが良く、このような選好制御装置は、全体としてリクライニングされた位置に向かう背もたれ部の変位量が所与の場合にリクライニングばねの一部の変位を変化させるよう調節可能である。
【０４１４】
腰部支持体
好ましい形態の椅子は、着座した人の腰部領域に対して追加の支持作用を提供する腰部支持機構体を備えても良く又は備えなくても良い。図１１０〜図１１２は、図５６の椅子に組み込まれた好ましい形態の腰部支持体を示している。任意他の適当な形式の腰部支持体を用いることができることが解る。
【０４１５】
腰部支持体２９０１は、背もたれフレームとカバーとの間に位置決めされており、この腰部支持体は、好ましくは、背もたれフレームに対して高さ調整可能である。図１１１で最も明確に解るように、腰部支持体２９０１は、受動式腰部支持体である。即ち、腰部支持体は、カバーの後ろに位置し、着座した人が後ろ向きの力をカバーに加えるまでカバーとは接触しない。
【０４１６】
腰部支持体は、取付け部分２９０３及び２つの着座した人を支持する部分２９０５ａ，２９０５ｂを有している。着座した人を支持する部分２９０５ａ，２９０５ｂは、取付け部分から、それにより、背もたれフレームの部材２０３１から下方に片持ちされている。取付け部分は、背もたれフレームの部材２０３１に設けられたそれぞれの軌道２９０９ａ，２９０９ｂを受け入れる２つの互いに間隔をおいた凹部２９０７ａ，２９０７ｂを有している。軌道及び凹部は、背もたれフレームに対する腰部支持体２９０１の高さ調整を可能にする。腰部支持体２９０１の最大高さ調整位置が、図１１０に想像線で示されており、最低高さ調整位置は、実線で示されている。
【０４１７】
部材２３０１は、凹部２９１１を備え、この凹部は、その長さに沿って設けられた複数個の切欠き２９１３を有している。これら切欠きは、背もたれフレームに対する腰部支持体の割送り高さ調整位置を提供する。図１１２から解るよう、腰部支持体の取付け部分２９０３は、戻り止め２９１５を備え、この戻り止めは、切欠きに向かって付勢されてこれらに嵌合し、腰部支持体を所望の高さ調整位置に維持する。腰部支持体を背もたれフレームに対して上方又は下方に押し又は引くことによりこのような嵌合を無効にすることができ、その結果、腰部支持体を新たな高さ調整位置に動かすことができるようになる。
【０４１８】
着座した人を支持する部分２９０５ａ，２９０５ｂは、互いに間隔をおくと共に間隔２９０５ｃだけ互いに隔てられており、このような間隔は、着座した人が座部上で通常の前方に向いた位置にあるとき、着座した人の背骨と整列する。着座した人を支持する部分２９０５，２９０５ｂが互いに間隔をおいて設けられているので、これらの支持部分は、ユーザが後ろ向きの力を背もたれ部に加えた場合に着座している人の背中の下方領域の２つの側部を実質的に独立して支持することができる。着座した人を支持する部分の独立後方運動が、図１１３に占めさている。
【０４１９】
上述したように、背もたれ部の上方部分は、背もたれ部の下方部分に対してねじれることができる。ユーザが自分の上半身を回して背もたれ部の上方部分を一方の側部を後方に押した場合、これに対応して、着座した人を支持している部分も又、後方に動くことになる。
【０４２０】
上述の好ましい形態の椅子は、多種多様な向きで椅子に着座しているときに着座した人に支持可能且つ快適な位置を提供する。
【０４２１】
上述の説明は、本発明の好ましい形態に関しており、本発明の範囲から逸脱することなくこのような形態に対する改造を行うことができる。例えば、好ましい形態の特徴部をリクライニングオフィス用椅子に関して説明すると共に図示した。しかしながら、これら特徴部の多くを別の形式の椅子、例えばミーティング用の椅子、車両用椅子又は劇場用椅子に容易に組み込むことができることが解る。したがって、支持フレームを地面に又は例えば劇場用椅子のための壁パネルに固定するよう支持フレームを改造することができる。
【０４２２】
さらに、本明細書において説明した多くの特徴部を異なる特徴部を備えた椅子に組み込むことができる。これら特徴部は、全てが同一の椅子に組み込まれる必要はない。
【０４２３】
他の例示の改造例は、「発明の概要」と題する項目に記載されている。
【図１】
2010505507.tif 000003
【図２】
2010505507.tif 000004
【図３】
2010505507.tif 000005
【図４】
2010505507.tif 000006
【図５】
2010505507.tif 000007
【図６ａ】
2010505507.tif 000008
【図６ｂ】
2010505507.tif 000009
【図６ｃ】
2010505507.tif 000010
【図６ｄ】
2010505507.tif 000011
【図７】
2010505507.tif 000012
【図８】
2010505507.tif 000013
【図９】
2010505507.tif 000014
【図１０】
2010505507.tif 000015
【図１１】
2010505507.tif 000016
【図１２】
2010505507.tif 000017
【図１３】
2010505507.tif 000018
【図１４】
2010505507.tif 000019
【図１５】
2010505507.tif 000020
【図１６】
2010505507.tif 000021
【図１７】
2010505507.tif 000022
【図１８】
2010505507.tif 000023
【図１９】
2010505507.tif 000024
【図２０】
2010505507.tif 000025
【図２１】
2010505507.tif 000026
【図２２】
2010505507.tif 000027
【図２３】
2010505507.tif 000028
【図２４】
2010505507.tif 000029
【図２５】
2010505507.tif 000030
【図２６】
2010505507.tif 000031
【図２７】
2010505507.tif 000032
【図２８】
2010505507.tif 000033
【図２９】
2010505507.tif 000034
【図３０】
2010505507.tif 000035
【図３１】
2010505507.tif 000036
【図３２】
2010505507.tif 000037
【図３３】
2010505507.tif 000038
【図３４】
2010505507.tif 000039
【図３５ａ】
2010505507.tif 000040
【図３５ｂ】
2010505507.tif 000041
【図３５ｃ】
2010505507.tif 000042
【図３６ａ】
2010505507.tif 000043
【図３６ｂ】
2010505507.tif 000044
【図３６ｃ】
2010505507.tif 000045
【図３７】
2010505507.tif 000046
【図３８】
2010505507.tif 000047
【図３９】
2010505507.tif 000048
【図４０】
2010505507.tif 000049
【図４１】
2010505507.tif 000050
【図４２】
2010505507.tif 000051
【図４３】
2010505507.tif 000052
【図４４】
2010505507.tif 000053
【図４５ａ】
2010505507.tif 000054
【図４５ｂ】
2010505507.tif 000055
【図４６】
2010505507.tif 000056
【図４７】
2010505507.tif 000057
【図４８】
2010505507.tif 000058
【図４９ａ】
2010505507.tif 000059
【図４９ｂ】
2010505507.tif 000060
【図４９ｃ】
2010505507.tif 000061
【図５０】
2010505507.tif 000062
【図５１】
2010505507.tif 000063
【図５２】
2010505507.tif 000064
【図５３】
2010505507.tif 000065
【図５４】
2010505507.tif 000066
【図５５】
2010505507.tif 000067
【図５６】
2010505507.tif 000068
【図５７】
2010505507.tif 000069
【図５８】
2010505507.tif 000070
【図５９】
2010505507.tif 000071
【図６０】
2010505507.tif 000072
【図６１】
2010505507.tif 000073
【図６２】
2010505507.tif 000074
【図６３】
2010505507.tif 000075
【図６４】
2010505507.tif 000076
【図６５】
2010505507.tif 000077
【図６６】
2010505507.tif 000078
【図６７】
2010505507.tif 000079
【図６８】
2010505507.tif 000080
【図６９】
2010505507.tif 000081
【図７０】
2010505507.tif 000082
【図７１】
2010505507.tif 000083
【図７２】
2010505507.tif 000084
【図７３】
2010505507.tif 000085
【図７４】
2010505507.tif 000086
【図７５】
2010505507.tif 000087
【図７６】
2010505507.tif 000088
【図７７】
2010505507.tif 000089
【図７８】
2010505507.tif 000090
【図７９】
2010505507.tif 000091
【図８０】
2010505507.tif 000092
【図８１ａ】
2010505507.tif 000093
【図８１ｂ】
2010505507.tif 000094
【図８１ｃ】
2010505507.tif 000095
【図８２ａ】
2010505507.tif 000096
【図８２ｂ】
2010505507.tif 000097
【図８２ｃ】
2010505507.tif 000098
【図８３】
2010505507.tif 000099
【図８４】
2010505507.tif 000100
【図８５】
2010505507.tif 000101
【図８６ａ】
2010505507.tif 000102
【図８６ｂ】
2010505507.tif 000103
【図８７ａ】
2010505507.tif 000104
【図８７ｂ】
2010505507.tif 000105
【図８７ｃ】
2010505507.tif 000106
【図８７ｄ】
2010505507.tif 000107
【図８８】
2010505507.tif 000108
【図８９】
2010505507.tif 000109
【図９０】
2010505507.tif 000110
【図９１】
2010505507.tif 000111
【図９２】
2010505507.tif 000112
【図９３】
2010505507.tif 000113
【図９４】
2010505507.tif 000114
【図９５】
2010505507.tif 000115
【図９６】
2010505507.tif 000116
【図９７】
2010505507.tif 000117
【図９８】
2010505507.tif 000118
【図９９】
2010505507.tif 000119
【図１００】
2010505507.tif 000120
【図１０１】
2010505507.tif 000121
【図１０２】
2010505507.tif 000122
【図１０３】
2010505507.tif 000123
【図１０４】
2010505507.tif 000124
【図１０５】
2010505507.tif 000125
【図１０６】
2010505507.tif 000126
【図１０７】
2010505507.tif 000127
【図１０８】
2010505507.tif 000128
【図１０９】
2010505507.tif 000129
【図１１０】
2010505507.tif 000130
【図１１１】
2010505507.tif 000131
【図１１２】
2010505507.tif 000132
【図１１３】
2010505507.tif 000133
【国際調査報告】
2010505507.tif 000134
2010505507.tif 000135
2010505507.tif 000136
2010505507.tif 000137
2010505507.tif 000138
2010505507.tif 000139
2010505507.tif 000140
2010505507.tif 000141
2010505507.tif 000142
2010505507.tif 000143
2010505507.tif 000144
2010505507.tif 000145